(57)【要約】【課題】新規かつ高い分割性能を有する光学異性体の分離剤を提供する。【解決手段】下記一般式（１）又は一般式（２）【化１】2004294219.tif 000023【化２】2004294219.tif 000024（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）で示される光学マレイミド誘導体の不斉アニオン重合により調製される光学活性ポリマレイミド誘導体からなる分離剤を光学活性化合物の分離剤として用いる。【選択図】  なし【特許請求の範囲】
【請求項１】
下記一般式（１）又は一般式（２）
【化１】
2004294219.tif 000015
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）
【化２】
2004294219.tif 000016
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）
で示される光学マレイミド誘導体。
【請求項２】
下記一般式（３）又は一般式（４）
【化３】
2004294219.tif 000017
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）
【化４】
2004294219.tif 000018
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）
で示される光学活性アミンと無水マレイン酸を反応させることを特徴とする請求項１に記載の光学活性マレイミド誘導体の製造方法。
【請求項３】
下記一般式（５）又は一般式（６）
【化５】
2004294219.tif 000019
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示し、ｎは２〜１００００、＊印は不斉炭素を示す。）
【化６】
2004294219.tif 000020
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示し、ｎは２〜１００００、＊印は不斉炭素を示す。）
で示される光学活性ポリマレイミド誘導体。
【請求項４】
請求項１に記載の光学活性マレイミド誘導体を不斉アニオン重合することを特徴とする請求項３に記載の光学活性ポリマレイミド誘導体の製造方法。
【請求項５】
不斉アニオン重合を、下記一般式（７）又は式（８）
【化７】
2004294219.tif 000021
（式中、Ｒ２はメチル基、エチル基、炭素数３〜８の直鎖状、分岐状若しくは環式の飽和若しく不飽和の脂肪族炭化水素基、炭素数６〜２０の芳香族炭化水素基、又はメチル基、エチル基、炭素数３〜８の直鎖状、分岐状若しくは環式の飽和若しくは不飽和の脂肪族炭化水素基及び炭素数６〜２０の芳香族炭化水素基からなる群より選ばれる置換基で置換された炭素数６〜２０の芳香族炭化水素基を表し、Ｂは炭素数０〜５のメチレン鎖、Ｃは炭素数１〜１０のアルキリデン基又は芳香族基、＊印は光学活性炭素を表す。）
【化８】
2004294219.tif 000022
で示される不斉配位子存在下実施することを特徴とする請求項４に記載の製造方法。
【請求項６】
請求項３に記載の光学活性ポリマレイミド誘導体からなる分離剤。
【請求項７】
請求項３に記載の光学活性ポリマレイミド誘導体を担体に担持してなる分離剤。
【請求項８】
請求項６又は請求項７に記載の分離剤を充填してなるクロマトグラフィー用充填カラム。
【請求項９】
請求項６又は請求項７に記載の分離剤を使用することを特徴とする光学活性化合物の分離方法。
【請求項１０】
請求項８に記載の充填カラムを用い、高速液体クロマトグラフィーにより光学活性化合物を分離することを特徴とする光学活性化合物の分離方法。
【発明の詳細な説明】
【０００１】
【発明の属する技術分野】
本発明は、新規な光学活性マレイミド誘導体、光学活性ポリマレイミド誘導体、それらの製造及び用途に関する。光学活性ポリマレイミド誘導体は光学活性化合物の分離剤等の用途として期待される。
【０００２】
【従来の技術】
従来、下記一般式（１）又は一般式（２）
【０００３】
【化９】
2004294219.tif 000002
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）
【０００４】
【化１０】
2004294219.tif 000003
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）
で示される光学マレイミド誘導体、並びに下記一般式（５）又は一般式（６）
【０００５】
【化１１】
2004294219.tif 000004
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示し、ｎは２〜１００００、＊印は不斉炭素を示す。）
【０００６】
【化１２】
2004294219.tif 000005
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示し、ｎは２〜１００００、＊印は不斉炭素を示す。）
で示される光学活性ポリマレイミド誘導体は知られていない。また光学異性体の分離剤としての用途も提案されていない。
【０００７】
一方、光学異性体分割剤として利用される光学活性な合成高分子は数多く知られており、例えば、光学活性メタクリル酸トリフェニルメチル重合体（例えば、特許文献１参照）、光学活性アクリル酸アミド重合体（例えば、特許文献２参照）、シリカゲル表面に化学結合した側鎖に光学活性置換基を有するポリアクリルアミド（例えば、特許文献３参照）等が知られている。
【０００８】
しかしながら、これらの光学活性高分子を光学活性化合物の分離剤として用いた場合、特異の化合物についての分離性能は優れているが、分離可能なラセミ体化合物は限られており、応用範囲を広げるために、特異な性能を有する新規な高分子化合物の種類を持つ必要がある。
【０００９】
また、分析技術及び機器の発達により、より分離性能が高い分離剤の開発が望まれている。
【００１０】
上記の課題に鑑み、本出願人は、光学活性ポリ（Ｎ−１−シクロヘキシル−１−マレイミド）誘導体について既に特許出願している（特許文献４参照）。
【００１１】
【特許文献１】
特開昭５６−１０６９０７号公報
【特許文献２】
特開昭５６−１６７７０８号公報
【特許文献３】
特開昭６３−１４４６号公報
【特許文献４】
特開２００３−６４０５４号公報
【００１２】
【発明が解決しようとする課題】
前記したとおり、多種多様なラセミ体化合物を分離するためには、特異な性能を有する新規な高分子化合物の種類を数多く持つ必要があり、このような新規化合物、及びそれからなる分離剤の開発が強く望まれていた。
【００１３】
本発明の上記の課題に鑑みてなされたものであり、その目的は、新規かつ高い分割性能を有する光学異性体の分離剤を提供することである。
【００１４】
【課題を解決するための手段】
本発明者らは、上記の課題を解決するため、鋭意検討した結果、上記一般式（１）又は一般式（２）で示される新規光学活性マレイミド誘導体を見出し、それらマレイミド誘導体を不斉アニオン重合することにより得られる上記一般式（５）又は一般式（６）で示される新規光学活性ポリマレイミド誘導体を見出し、さらに該光学活性ポリマレイミド誘導体が光学異性体分離剤として極めて有用であることを見出し、本発明を完成させるに至った。
【００１５】
すなわち、本発明は、
１．下記一般式（１）又は一般式（２）で示される光学マレイミド誘導体、
【００１６】
【化１３】
2004294219.tif 000006
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）
【００１７】
【化１４】
2004294219.tif 000007
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）
２．下記一般式（３）又は一般式（４）
【００１８】
【化１５】
2004294219.tif 000008
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）
【００１９】
【化１６】
2004294219.tif 000009
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。但し、Ｒ６がエチル基の場合、Ｒ１、Ｒ２、Ｒ３、Ｒ４、及びＲ５は全て水素原子ではない。）
で示される光学活性アミンと無水マレイン酸を反応させることを特徴とする上記一般式（１）又は一般式（２）で示される光学活性マレイミド誘導体の製造方法。
３．下記一般式（５）又は一般式（６）で示される光学活性ポリマレイミド誘導体、
【００２０】
【化１７】
2004294219.tif 000010
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示し、ｎは２〜１００００、＊印は不斉炭素を示す。）
【００２１】
【化１８】
2004294219.tif 000011
（式中、Ｒ１、Ｒ２、Ｒ３、Ｒ４及びＲ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を示し、Ｒ６はエチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示し、ｎは２〜１００００、＊印は不斉炭素を示す。）
４．上記一般式（１）又は一般式（２）で示される光学活性マレイミド誘導体を不斉アニオン重合することを特徴とする上記一般式（５）又は一般式（６）で示される光学活性ポリマレイミド誘導体の製造方法、
５．不斉アニオン重合を、下記一般式（７）又は式（８）
【００２２】
【化１９】
2004294219.tif 000012
（式中、Ｒ２はメチル基、エチル基、炭素数３〜８の直鎖状、分岐状若しくは環式の飽和若しく不飽和の脂肪族炭化水素基、炭素数６〜２０の芳香族炭化水素基、又はメチル基、エチル基、炭素数３〜８の直鎖状、分岐状若しくは環式の飽和若しくは不飽和の脂肪族炭化水素基及び炭素数６〜２０の芳香族炭化水素基からなる群より選ばれる置換基で置換された炭素数６〜２０の芳香族炭化水素基を表し、Ｂは炭素数０〜５のメチレン鎖、Ｃは炭素数１〜１０のアルキリデン基又は芳香族基、＊印は光学活性炭素を表す。）
【００２３】
【化２０】
2004294219.tif 000013
で示される不斉配位子の存在下実施することを特徴とする上記一般式（５）又は一般式（６）で示される光学活性ポリマレイミド誘導体の製造方法、
６．上記一般式（５）又は一般式（６）で示される光学活性ポリマレイミド誘導体からなる分離剤、
７．上記一般式（５）又は一般式（６）で示される光学活性ポリマレイミド誘導体を担体に担持してなる分離剤、
８．上記の分離剤を充填してなるクロマトグラフィー用充填カラム、
９．上記の分離剤を使用することを特徴とする光学活性化合物の分離方法、並びに
１０．上記の充填カラムを用い、高速液体クロマトグラフィーにより光学活性化合物を分離することを特徴とする光学活性化合物の分離方法、
である。
【００２４】
以下、本発明を詳細に説明する。
【００２５】
本発明の光学活性マレイミド誘導体としては、上記一般式（１）又は一般式（２）で示される化合物であれば、特に限定するものではないが、具体的には、上記一般式（１）又は一般式（２）において、Ｒ６がエチル基である化合物としては、例えば、（Ｓ）−（−）−１−（２−メチルフェニル）−ｎ−プロピル−１−マレイミド、（Ｓ）−（−）−１−（３−メチルフェニル）−ｎ−プロピル−１−マレイミド、（Ｓ）−（−）−１−（４−メチルフェニル）−ｎ−プロピル−１−マレイミド、（Ｓ）−（−）−１−（２，３−ジメチルフェニル）−ｎ−プロピル−１−マレイミド、（Ｓ）−（−）−１−（２，４−ジメチルフェニル）−ｎ−プロピル−１−マレイミド、（Ｓ）−（−）−１−（２，５−ジメチルフェニル）−ｎ−プロピル−１−マレイミド、（Ｓ）−（−）−１−（２，６−ジメチルフェニル）−ｎ−プロピル−１−マレイミド、（Ｓ）−（−）−１−（３，４−ジメチルフェニル）−ｎ−プロピル−１−マレイミド、（Ｓ）−（−）−１−（３，５−ジメチルフェニル）−ｎ−プロピル−１−マレイミド、（Ｓ）−（−）−１−（２，４，６−トリメチルフェニル）−ｎ−プロピル−１−マレイミド、（Ｓ）−（−）−１−（２，３，４，５−テトラメチルフェニル）−ｎ−プロピル−１−マレイミド、（Ｓ）−（−）−１−（２，３，４，６−テトラメチルフェニル）−ｎ−プロピル−１−マレイミド、（Ｓ）−（−）−１−（２，３，５，６−テトラメチルフェニル）−ｎ−プロピル−１−マレイミド、（Ｓ）−（−）−１−（２，３，４，５，６−ペンタメチルフェニル）−ｎ−プロピル−１−マレイミド、（Ｓ）−（−）−１−（２−エチルフェニル）−ｎ−プロピル−１−マレイミド、（Ｓ）−（−）−１−（３−エチルフェニル）−ｎ−プロピル−１−マレイミド、（Ｓ）−（−）−１−（４−エチルフェニル）−ｎ−プロピル−１−マレイミド、（Ｓ）−（−）−１−（２，３−ジエチルフェニル）−ｎ−プロピル−１−マレイミド、（Ｓ）−（−）−１−（２，４−ジエチルフェニル）−ｎ−プロピル−１−マレイミド、（Ｓ）−（−）−１−（２，５−ジエチルフェニル）−ｎ−プロピル−１−マレイミド、（Ｓ）−（−）−１−（２，６−ジエチルフェニル）−ｎ−プロピル−１−マレイミド、（Ｓ）−（−）−１−（３，４−ジエチルフェニル）−ｎ−プロピル−１−マレイミド、（Ｓ）−（−）−１−（３，５−ジエチルフェニル）−ｎ−プロピル−１−マレイミド、（Ｓ）−（−）−１−（２，４，６−トリエチルフェニル）−ｎ−プロピル−１−マレイミド、（Ｓ）−（−）−１−（２，３，４，５−テトラエチルフェニル）−ｎ−プロピル−１−マレイミド、（Ｓ）−（−）−１−（２，３，４，６−テトラエチルフェニル）−ｎ−プロピル−１−マレイミド、（Ｓ）−（−）−１−（２，３，５，６−テトラエチルフェニル）−ｎ−プロピル−１−マレイミド、（Ｓ）−（−）−１−（２，３，４，５，６−ペンタエチルフェニル）−ｎ−プロピル−１−マレイミド、（Ｓ）−（−）−１−（２−ｎ−プロピルフェニル）−ｎ−プロピル−１−マレイミド、（Ｓ）−（−）−１−（３−ｎ−プロピルフェニル）−ｎ−プロピル−１−マレイミド、（Ｓ）−（−）−１−（４−ｎ−プロピルフェニル）−ｎ−プロピル−１−マレイミド、（Ｓ）−（−）−１−（２，３−ジ−ｎ−プロピルフェニル）−ｎ−プロピル−１−マレイミド、（Ｓ）−（−）−１−（２，４−ジ−ｎ−プロピルフェニル）−ｎ−プロピル−１−マレイミド、（Ｓ）−（−）−１−（２，５−ジ−ｎ−プロピルフェニル）−ｎ−プロピル−１−マレイミド、（Ｓ）−（−）−１−（２，６−ジ−ｎ−プロピルフェニル）−ｎ−プロピル−１−マレイミド、（Ｓ）−（−）−１−（３，４−ジ−ｎ−プロピルフェニル）−ｎ−プロピル−１−マレイミド、（Ｓ）−（−）−１−（３，５−ジ−ｎ−プロピルフェニル）−ｎ−プロピル−１−マレイミド、（Ｓ）−（−）−１−（２，４，６−トリ−ｎ−プロピルフェニル）−ｎ−プロピル−１−マレイミド、（Ｓ）−（−）−１−（２，３，４，５−テトラ−ｎ−プロピルフェニル）−ｎ−プロピル−１−マレイミド、（Ｓ）−（−）−１−（２，３，４，６−テトラ−ｎ−プロピルフェニル）−ｎ−プロピル−１−マレイミド、（Ｓ）−（−）−１−（２，３，５，６−テトラ−ｎ−プロピルフェニル）−ｎ−プロピル−１−マレイミド、（Ｓ）−（−）−１−（２，３，４，５，６−ペンタ−ｎ−プロピルフェニル）−ｎ−プロピル−１−マレイミド、（Ｓ）−（−）−１−（２−ｉ−プロピルフェニル）−ｎ−プロピル−１−マレイミド、（Ｓ）−（−）−１−（３−ｉ−プロピルフェニル）−ｎ−プロピル−１−マレイミド、（Ｓ）−（−）−１−（４−ｉ−プロピルフェニル）−ｎ−プロピル−１−マレイミド、（Ｓ）−（−）−１−（２，３−ジ−ｉ−プロピルフェニル）−ｎ−プロピル−１−マレイミド、（Ｓ）−（−）−１−（２，４−ジ−ｉ−プロピルフェニル）−ｎ−プロピル−１−マレイミド、（Ｓ）−（−）−１−（２，５−ジ−ｉ−プロピルフェニル）−ｎ−プロピル−１−マレイミド、（Ｓ）−（−）−１−（２，６−ジ−ｉ−プロピルフェニル）−ｎ−プロピル−１−マレイミド、（Ｓ）−（−）−１−（３，４−ジ−ｉ−プロピルフェニル）−ｎ−プロピル−１−マレイミド、（Ｓ）−（−）−１−（３，５−ジ−ｉ−プロピルフェニル）−ｎ−プロピル−１−マレイミド、（Ｓ）−（−）−１−（２，４，６−トリ−ｉ−プロピルフェニル）−ｎ−プロピル−１−マレイミド、（Ｓ）−（−）−１−（２，３，４，５−テトラ−ｉ−プロピルフェニル）−ｎ−プロピル−１−マレイミド、（Ｓ）−（−）−１−（２，３，４，６−テトラ−ｉ−プロピルフェニル）−ｎ−プロピル−１−マレイミド、（Ｓ）−（−）−１−（２，３，５，６−テトラ−ｉ−プロピルフェニル）−ｎ−プロピル−１−マレイミド、（Ｓ）−（−）−１−（２，３，４，５，６−ペンタ−ｉ−プロピルフェニル）−ｎ−プロピル−１−マレイミド、（Ｓ）−（−）−１−（２−ｎ−ブチルフェニル）−ｎ−プロピル−１−マレイミド、（Ｓ）−（−）−１−（３−ｎ−ブチルフェニル）−ｎ−プロピル−１−マレイミド、（Ｓ）−（−）−１−（４−ｎ−ブチルフェニル）−ｎ−プロピル−１−マレイミド、（Ｓ）−（−）−１−（２，３−ジ−ｎ−ブチルフェニル）−ｎ−プロピル−１−マレイミド、（Ｓ）−（−）−１−（２，４−ジ−ｎ−ブチルフェニル）−ｎ−プロピル−１−マレイミド、（Ｓ）−（−）−１−（２，５−ジ−ｎ−ブチルフェニル）−ｎ−プロピル−１−マレイミド、（Ｓ）−（−）−１−（２，６−ジ−ｎ−ブチルフェニル）−ｎ−プロピル−１−マレイミド、（Ｓ）−（−）−１−（３，４−ジ−ｎ−ブチルフェニル）−ｎ−プロピル−１−マレイミド、（Ｓ）−（−）−１−（３，５−ジ−ｎ−ブチルフェニル）−ｎ−プロピル−１−マレイミド、（Ｓ）−（−）−１−（２，４，６−トリ−ｎ−ブチルフェニル）−ｎ−プロピル−１−マレイミド、（Ｓ）−（−）−１−（２，３，４，５−テトラ−ｎ−ブチルフェニル）−ｎ−プロピル−１−マレイミド、（Ｓ）−（−）−１−（２，３，４，６−テトラ−ｎ−ブチルフェニル）−ｎ−プロピル−１−マレイミド、（Ｓ）−（−）−１−（２，３，５，６−テトラ−ｎ−ブチルフェニル）−ｎ−プロピル−１−マレイミド、（Ｓ）−（−）−１−（２，３，４，５，６−ペンタ−ｎ−ブチルフェニル）−ｎ−プロピル−１−マレイミド、（Ｓ）−（−）−１−（２−ｉ−ブチルフェニル）−ｎ−プロピル−１−マレイミド、（Ｓ）−（−）−１−（３−ｉ−ブチルフェニル）−ｎ−プロピル−１−マレイミド、（Ｓ）−（−）−１−（４−ｉ−ブチルフェニル）−ｎ−プロピル−１−マレイミド、（Ｓ）−（−）−１−（２，３−ジ−ｉ−ブチルフェニル）−ｎ−プロピル−１−マレイミド、（Ｓ）−（−）−１−（２，４−ジ−ｉ−ブチルフェニル）−ｎ−プロピル−１−マレイミド、（Ｓ）−（−）−１−（２，５−ジ−ｉ−ブチルフェニル）−ｎ−プロピル−１−マレイミド、（Ｓ）−（−）−１−（２，６−ジ−ｉ−ブチルフェニル）−ｎ−プロピル−１−マレイミド、（Ｓ）−（−）−１−（３，４−ジ−ｉ−ブチルフェニル）−ｎ−プロピル−１−マレイミド、（Ｓ）−（−）−１−（３，５−ジ−ｉ−ブチルフェニル）−ｎ−プロピル−１−マレイミド、（Ｓ）−（−）−１−（２，４，６−トリ−ｉ−ブチルフェニル）−ｎ−プロピル−１−マレイミド、（Ｓ）−（−）−１−（２，３，４，５−テトラ−ｉ−ブチルフェニル）−ｎ−プロピル−１−マレイミド、（Ｓ）−（−）−１−（２，３，４，６−テトラ−ｉ−ブチルフェニル）−ｎ−プロピル−１−マレイミド、（Ｓ）−（−）−１−（２，３，５，６−テトラ−ｉ−ブチルフェニル）−ｎ−プロピル−１−マレイミド、（Ｓ）−（−）−１−（２，３，４，５，６−ペンタ−ｉ−ブチルフェニル）−ｎ−プロピル−１−マレイミド、（Ｓ）−（−）−１−（２−ｔ−ブチルフェニル）−ｎ−プロピル−１−マレイミド、（Ｓ）−（−）−１−（３−ｔ−ブチルフェニル）−ｎ−プロピル−１−マレイミド、（Ｓ）−（−）−１−（４−ｔ−ブチルフェニル）−ｎ−プロピル−１−マレイミド、（Ｓ）−（−）−１−（２，３−ジ−ｔ−ブチルフェニル）−ｎ−プロピル−１−マレイミド、（Ｓ）−（−）−１−（２，４−ジ−ｔ−ブチルフェニル）−ｎ−プロピル−１−マレイミド、（Ｓ）−（−）−１−（２，５−ジ−ｔ−ブチルフェニル）−ｎ−プロピル−１−マレイミド、（Ｓ）−（−）−１−（２，６−ジ−ｔ−ブチルフェニル）−ｎ−プロピル−１−マレイミド、（Ｓ）−（−）−１−（３，４−ジ−ｔ−ブチルフェニル）−ｎ−プロピル−１−マレイミド、（Ｓ）−（−）−１−（３，５−ジ−ｔ−ブチルフェニル）−ｎ−プロピル−１−マレイミド、（Ｓ）−（−）−１−（２，４，６−トリ−ｔ−ブチルフェニル）−ｎ−プロピル−１−マレイミド、（Ｓ）−（−）−１−（２，３，４，５−テトラ−ｔ−ブチルフェニル）−ｎ−プロピル−１−マレイミド、（Ｓ）−（−）−１−（２，３，４，６−テトラ−ｔ−ブチルフェニル）−ｎ−プロピル−１−マレイミド、（Ｓ）−（−）−１−（２，３，５，６−テトラ−ｔ−ブチルフェニル）−ｎ−プロピル−１−マレイミド、（Ｓ）−（−）−１−（２，３，４，５，６−ペンタ−ｔ−ブチルフェニル）−ｎ−プロピル−１−マレイミド、（Ｓ）−（−）−１−（２−メトキシフェニル）−ｎ−プロピル−１−マレイミド、（Ｓ）−（−）−１−（３−メトキシフェニル）−ｎ−プロピル−１−マレイミド、（Ｓ）−（−）−１−（４−メトキシフェニル）−ｎ−プロピル−１−マレイミド、（Ｓ）−（−）−１−（２、３−ジメトキシフェニル）−ｎ−プロピル−１−マレイミド、（Ｓ）−（−）−１−（２、４−ジメトキシフェニル）−ｎ−プロピル−１−マレイミド、（Ｓ）−（−）−１−（２、５−ジメトキシフェニル）−ｎ−プロピル−１−マレイミド、（Ｓ）−（−）−１−（２、６−ジメトキシフェニル）−ｎ−プロピル−１−マレイミド、（Ｓ）−（−）−１−（３、４−ジメトキシフェニル）−ｎ−プロピル−１−マレイミド、（Ｓ）−（−）−１−（３、５−ジメトキシフェニル）−ｎ−プロピル−１−マレイミド、（Ｓ）−（−）−１−（２、４、６−トリメトキシフェニル）−ｎ−プロピル−１−マレイミド、（Ｓ）−（−）−１−（２、３、４、５−テトラメトキシフェニル）−ｎ−プロピル−１−マレイミド、（Ｓ）−（−）−１−（２、３、４、６−テトラメトキシフェニル）−ｎ−プロピル−１−マレイミド、（Ｓ）−（−）−１−（２、３、５、６−テトラメトキシフェニル）−ｎ−プロピル−１−マレイミド、（Ｓ）−（−）−１−（２、３、４、５、６−ペンタメトキシフェニル）−ｎ−プロピル−１−マレイミド、（Ｓ）−（−）−１−（２−エトキシフェニル）−ｎ−プロピル−１−マレイミド、（Ｓ）−（−）−１−（３−エトキシフェニル）−ｎ−プロピル−１−マレイミド、（Ｓ）−（−）−１−（４−エトキシフェニル）−ｎ−プロピル−１−マレイミド、（Ｓ）−（−）−１−（２、３−ジエトキシフェニル）−ｎ−プロピル−１−マレイミド、（Ｓ）−（−）−１−（２、４−ジエトキシフェニル）−ｎ−プロピル−１−マレイミド、（Ｓ）−（−）−１−（２、５−ジエトキシフェニル）−ｎ−プロピル−１−マレイミド、（Ｓ）−（−）−１−（２、６−ジエトキシフェニル）−ｎ−プロピル−１−マレイミド、（Ｓ）−（−）−１−（３、４−ジエトキシフェニル）−ｎ−プロピル−１−マレイミド、（Ｓ）−（−）−１−（３、５−ジエトキシフェニル）−ｎ−プロピル−１−マレイミド、（Ｓ）−（−）−１−（２、４、６−トリエトキシフェニル）−ｎ−プロピル−１−マレイミド、（Ｓ）−（−）−１−（２、３、４、５−テトラエトキシフェニル）−ｎ−プロピル−１−マレイミド、（Ｓ）−（−）−１−（２、３、４、６−テトラエトキシフェニル）−ｎ−プロピル−１−マレイミド、（Ｓ）−（−）−１−（２、３、５、６−テトラエトキシフェニル）−ｎ−プロピル−１−マレイミド、（Ｓ）−（−）−１−（２、３、４、５、６−ペンタエトキシフェニル）−ｎ−プロピル−１−マレイミド等が挙げられ、これら（Ｓ）体と鏡像体の（Ｒ）体も含まれる。
【００２６】
また、上記一般式（１）又は一般式（２）において、Ｒ６がｉ−プロピル基である化合物としては、（Ｓ）−（−）−１−（２−メチルフェニル）−２−メチルプロピル−１−マレイミド、（Ｓ）−（−）−１−（３−メチルフェニル）−２−メチルプロピル−１−マレイミド、（Ｓ）−（−）−１−（４−メチルフェニル）−２−メチルプロピル−１−マレイミド、（Ｓ）−（−）−１−（２，３−ジメチルフェニル）−２−メチルプロピル−１−マレイミド、（Ｓ）−（−）−１−（２，４−ジメチルフェニル）−２−メチルプロピル−１−マレイミド、（Ｓ）−（−）−１−（２，５−ジメチルフェニル）−２−メチルプロピル−１−マレイミド、（Ｓ）−（−）−１−（２，６−ジメチルフェニル）−２−メチルプロピル−１−マレイミド、（Ｓ）−（−）−１−（３，４−ジメチルフェニル）−２−メチルプロピル−１−マレイミド、（Ｓ）−（−）−１−（３，５−ジメチルフェニル）−２−メチルプロピル−１−マレイミド、（Ｓ）−（−）−１−（２，４，６−トリメチルフェニル）−２−メチルプロピル−１−マレイミド、（Ｓ）−（−）−１−（２，３，４，５−テトラメチルフェニル）−２−メチルプロピル−１−マレイミド、（Ｓ）−（−）−１−（２，３，４，６−テトラメチルフェニル）−２−メチルプロピル−１−マレイミド、（Ｓ）−（−）−１−（２，３，５，６−テトラメチルフェニル）−２−メチルプロピル−１−マレイミド、（Ｓ）−（−）−１−（２，３，４，５，６−ペンタメチルフェニル）−２−メチルプロピル−１−マレイミド、（Ｓ）−（−）−１−（２−エチルフェニル）−２−メチルプロピル−１−マレイミド、（Ｓ）−（−）−１−（３−エチルフェニル）−２−メチルプロピル−１−マレイミド、（Ｓ）−（−）−１−（４−エチルフェニル）−２−メチルプロピル−１−マレイミド、（Ｓ）−（−）−１−（２，３−ジエチルフェニル）−２−メチルプロピル−１−マレイミド、（Ｓ）−（−）−１−（２，４−ジエチルフェニル）−２−メチルプロピル−１−マレイミド、（Ｓ）−（−）−１−（２，５−ジエチルフェニル）−２−メチルプロピル−１−マレイミド、（Ｓ）−（−）−１−（２，６−ジエチルフェニル）−２−メチルプロピル−１−マレイミド、（Ｓ）−（−）−１−（３，４−ジエチルフェニル）−２−メチルプロピル−１−マレイミド、（Ｓ）−（−）−１−（３，５−ジエチルフェニル）−２−メチルプロピル−１−マレイミド、（Ｓ）−（−）−１−（２，４，６−トリエチルフェニル）−２−メチルプロピル−１−マレイミド、（Ｓ）−（−）−１−（２，３，４，５−テトラエチルフェニル）−２−メチルプロピル−１−マレイミド、（Ｓ）−（−）−１−（２，３，４，６−テトラエチルフェニル）−２−メチルプロピル−１−マレイミド、（Ｓ）−（−）−１−（２，３，５，６−テトラエチルフェニル）−２−メチルプロピル−１−マレイミド、（Ｓ）−（−）−１−（２，３，４，５，６−ペンタエチルフェニル）−２−メチルプロピル−１−マレイミド、（Ｓ）−（−）−１−（２−ｎ−プロピルフェニル）−２−メチルプロピル−１−マレイミド、（Ｓ）−（−）−１−（３−ｎ−プロピルフェニル）−２−メチルプロピル−１−マレイミド、（Ｓ）−（−）−１−（４−ｎ−プロピルフェニル）−２−メチルプロピル−１−マレイミド、（Ｓ）−（−）−１−（２，３−ジ−ｎ−プロピルフェニル）−２−メチルプロピル−１−マレイミド、（Ｓ）−（−）−１−（２，４−ジ−ｎ−プロピルフェニル）−２−メチルプロピル−１−マレイミド、（Ｓ）−（−）−１−（２，５−ジ−ｎ−プロピルフェニル）−２−メチルプロピル−１−マレイミド、（Ｓ）−（−）−１−（２，６−ジ−ｎ−プロピルフェニル）−２−メチルプロピル−１−マレイミド、（Ｓ）−（−）−１−（３，４−ジ−ｎ−プロピルフェニル）−２−メチルプロピル−１−マレイミド、（Ｓ）−（−）−１−（３，５−ジ−ｎ−プロピルフェニル）−２−メチルプロピル−１−マレイミド、（Ｓ）−（−）−１−（２，４，６−トリ−ｎ−プロピルフェニル）−２−メチルプロピル−１−マレイミド、（Ｓ）−（−）−１−（２，３，４，５−テトラ−ｎ−プロピルフェニル）−２−メチルプロピル−１−マレイミド、（Ｓ）−（−）−１−（２，３，４，６−テトラ−ｎ−プロピルフェニル）−２−メチルプロピル−１−マレイミド、（Ｓ）−（−）−１−（２，３，５，６−テトラ−ｎ−プロピルフェニル）−２−メチルプロピル−１−マレイミド、（Ｓ）−（−）−１−（２，３，４，５，６−ペンタ−ｎ−プロピルフェニル）−２−メチルプロピル−１−マレイミド、（Ｓ）−（−）−１−（２−ｉ−プロピルフェニル）−２−メチルプロピル−１−マレイミド、（Ｓ）−（−）−１−（３−ｉ−プロピルフェニル）−２−メチルプロピル−１−マレイミド、（Ｓ）−（−）−１−（４−ｉ−プロピルフェニル）−２−メチルプロピル−１−マレイミド、（Ｓ）−（−）−１−（２，３−ジ−ｉ−プロピルフェニル）−２−メチルプロピル−１−マレイミド、（Ｓ）−（−）−１−（２，４−ジ−ｉ−プロピルフェニル）−２−メチルプロピル−１−マレイミド、（Ｓ）−（−）−１−（２，５−ジ−ｉ−プロピルフェニル）−２−メチルプロピル−１−マレイミド、（Ｓ）−（−）−１−（２，６−ジ−ｉ−プロピルフェニル）−２−メチルプロピル−１−マレイミド、（Ｓ）−（−）−１−（３，４−ジ−ｉ−プロピルフェニル）−２−メチルプロピル−１−マレイミド、（Ｓ）−（−）−１−（３，５−ジ−ｉ−プロピルフェニル）−２−メチルプロピル−１−マレイミド、（Ｓ）−（−）−１−（２，４，６−トリ−ｉ−プロピルフェニル）−２−メチルプロピル−１−マレイミド、（Ｓ）−（−）−１−（２，３，４，５−テトラ−ｉ−プロピルフェニル）−２−メチルプロピル−１−マレイミド、（Ｓ）−（−）−１−（２，３，４，６−テトラ−ｉ−プロピルフェニル）−２−メチルプロピル−１−マレイミド、（Ｓ）−（−）−１−（２，３，５，６−テトラ−ｉ−プロピルフェニル）−２−メチルプロピル−１−マレイミド、（Ｓ）−（−）−１−（２，３，４，５，６−ペンタ−ｉ−プロピルフェニル）−２−メチルプロピル−１−マレイミド、（Ｓ）−（−）−１−（２−ｎ−ブチルフェニル）−２−メチルプロピル−１−マレイミド、（Ｓ）−（−）−１−（３−ｎ−ブチルフェニル）−２−メチルプロピル−１−マレイミド、（Ｓ）−（−）−１−（４−ｎ−ブチルフェニル）−２−メチルプロピル−１−マレイミド、（Ｓ）−（−）−１−（２，３−ジ−ｎ−ブチルフェニル）−２−メチルプロピル−１−マレイミド、（Ｓ）−（−）−１−（２，４−ジ−ｎ−ブチルフェニル）−２−メチルプロピル−１−マレイミド、（Ｓ）−（−）−１−（２，５−ジ−ｎ−ブチルフェニル）−２−メチルプロピル−１−マレイミド、（Ｓ）−（−）−１−（２，６−ジ−ｎ−ブチルフェニル）−２−メチルプロピル−１−マレイミド、（Ｓ）−（−）−１−（３，４−ジ−ｎ−ブチルフェニル）−２−メチルプロピル−１−マレイミド、（Ｓ）−（−）−１−（３，５−ジ−ｎ−ブチルフェニル）−２−メチルプロピル−１−マレイミド、（Ｓ）−（−）−１−（２，４，６−トリ−ｎ−ブチルフェニル）−２−メチルプロピル−１−マレイミド、（Ｓ）−（−）−１−（２，３，４，５−テトラ−ｎ−ブチルフェニル）−２−メチルプロピル−１−マレイミド、（Ｓ）−（−）−１−（２，３，４，６−テトラ−ｎ−ブチルフェニル）−２−メチルプロピル−１−マレイミド、（Ｓ）−（−）−１−（２，３，５，６−テトラ−ｎ−ブチルフェニル）−２−メチルプロピル−１−マレイミド、（Ｓ）−（−）−１−（２，３，４，５，６−ペンタ−ｎ−ブチルフェニル）−２−メチルプロピル−１−マレイミド、（Ｓ）−（−）−１−（２−ｉ−ブチルフェニル）−２−メチルプロピル−１−マレイミド、（Ｓ）−（−）−１−（３−ｉ−ブチルフェニル）−２−メチルプロピル−１−マレイミド、（Ｓ）−（−）−１−（４−ｉ−ブチルフェニル）−２−メチルプロピル−１−マレイミド、（Ｓ）−（−）−１−（２，３−ジ−ｉ−ブチルフェニル）−２−メチルプロピル−１−マレイミド、（Ｓ）−（−）−１−（２，４−ジ−ｉ−ブチルフェニル）−２−メチルプロピル−１−マレイミド、（Ｓ）−（−）−１−（２，５−ジ−ｉ−ブチルフェニル）−２−メチルプロピル−１−マレイミド、（Ｓ）−（−）−１−（２，６−ジ−ｉ−ブチルフェニル）−２−メチルプロピル−１−マレイミド、（Ｓ）−（−）−１−（３，４−ジ−ｉ−ブチルフェニル）−２−メチルプロピル−１−マレイミド、（Ｓ）−（−）−１−（３，５−ジ−ｉ−ブチルフェニル）−２−メチルプロピル−１−マレイミド、（Ｓ）−（−）−１−（２，４，６−トリ−ｉ−ブチルフェニル）−２−メチルプロピル−１−マレイミド、（Ｓ）−（−）−１−（２，３，４，５−テトラ−ｉ−ブチルフェニル）−２−メチルプロピル−１−マレイミド、（Ｓ）−（−）−１−（２，３，４，６−テトラ−ｉ−ブチルフェニル）−２−メチルプロピル−１−マレイミド、（Ｓ）−（−）−１−（２，３，５，６−テトラ−ｉ−ブチルフェニル）−２−メチルプロピル−１−マレイミド、（Ｓ）−（−）−１−（２，３，４，５，６−ペンタ−ｉ−ブチルフェニル）−２−メチルプロピル−１−マレイミド、（Ｓ）−（−）−１−（２−ｔ−ブチルフェニル）−２−メチルプロピル−１−マレイミド、（Ｓ）−（−）−１−（３−ｔ−ブチルフェニル）−２−メチルプロピル−１−マレイミド、（Ｓ）−（−）−１−（４−ｔ−ブチルフェニル）−２−メチルプロピル−１−マレイミド、（Ｓ）−（−）−１−（２，３−ジ−ｔ−ブチルフェニル）−２−メチルプロピル−１−マレイミド、（Ｓ）−（−）−１−（２，４−ジ−ｔ−ブチルフェニル）−２−メチルプロピル−１−マレイミド、（Ｓ）−（−）−１−（２，５−ジ−ｔ−ブチルフェニル）−２−メチルプロピル−１−マレイミド、（Ｓ）−（−）−１−（２，６−ジ−ｔ−ブチルフェニル）−２−メチルプロピル−１−マレイミド、（Ｓ）−（−）−１−（３，４−ジ−ｔ−ブチルフェニル）−２−メチルプロピル−１−マレイミド、（Ｓ）−（−）−１−（３，５−ジ−ｔ−ブチルフェニル）−２−メチルプロピル−１−マレイミド、（Ｓ）−（−）−１−（２，４，６−トリ−ｔ−ブチルフェニル）−２−メチルプロピル−１−マレイミド、（Ｓ）−（−）−１−（２，３，４，５−テトラ−ｔ−ブチルフェニル）−２−メチルプロピル−１−マレイミド、（Ｓ）−（−）−１−（２，３，４，６−テトラ−ｔ−ブチルフェニル）−２−メチルプロピル−１−マレイミド、（Ｓ）−（−）−１−（２，３，５，６−テトラ−ｔ−ブチルフェニル）−２−メチルプロピル−１−マレイミド、（Ｓ）−（−）−１−（２，３，４，５，６−ペンタ−ｔ−ブチルフェニル）−２−メチルプロピル−１−マレイミド、（Ｓ）−（−）−１−（２−メトキシフェニル）−２−メチルプロピル−１−マレイミド、（Ｓ）−（−）−１−（３−メトキシフェニル）−２−メチルプロピル−１−マレイミド、（Ｓ）−（−）−１−（４−メトキシフェニル）−２−メチルプロピル−１−マレイミド、（Ｓ）−（−）−１−（２、３−ジメトキシフェニル）−２−メチルプロピル−１−マレイミド、（Ｓ）−（−）−１−（２、４−ジメトキシフェニル）−２−メチルプロピル−１−マレイミド、（Ｓ）−（−）−１−（２、５−ジメトキシフェニル）−２−メチルプロピル−１−マレイミド、（Ｓ）−（−）−１−（２、６−ジメトキシフェニル）−２−メチルプロピル−１−マレイミド、（Ｓ）−（−）−１−（３、４−ジメトキシフェニル）−２−メチルプロピル−１−マレイミド、（Ｓ）−（−）−１−（３、５−ジメトキシフェニル）−２−メチルプロピル−１−マレイミド、（Ｓ）−（−）−１−（２、４、６−トリメトキシフェニル）−２−メチルプロピル−１−マレイミド、（Ｓ）−（−）−１−（２、３、４、５−テトラメトキシフェニル）−２−メチルプロピル−１−マレイミド、（Ｓ）−（−）−１−（２、３、４、６−テトラメトキシフェニル）−２−メチルプロピル−１−マレイミド、（Ｓ）−（−）−１−（２、３、５、６−テトラメトキシフェニル）−２−メチルプロピル−１−マレイミド、（Ｓ）−（−）−１−（２、３、４、５、６−ペンタメトキシフェニル）−２−メチルプロピル−１−マレイミド、（Ｓ）−（−）−１−（２−エトキシフェニル）−２−メチルプロピル−１−マレイミド、（Ｓ）−（−）−１−（３−エトキシフェニル）−２−メチルプロピル−１−マレイミド、（Ｓ）−（−）−１−（４−エトキシフェニル）−２−メチルプロピル−１−マレイミド、（Ｓ）−（−）−１−（２、３−ジエトキシフェニル）−２−メチルプロピル−１−マレイミド、（Ｓ）−（−）−１−（２、４−ジエトキシフェニル）−２−メチルプロピル−１−マレイミド、（Ｓ）−（−）−１−（２、５−ジエトキシフェニル）−２−メチルプロピル−１−マレイミド、（Ｓ）−（−）−１−（２、６−ジエトキシフェニル）−２−メチルプロピル−１−マレイミド、（Ｓ）−（−）−１−（３、４−ジエトキシフェニル）−２−メチルプロピル−１−マレイミド、（Ｓ）−（−）−１−（３、５−ジエトキシフェニル）−２−メチルプロピル−１−マレイミド、（Ｓ）−（−）−１−（２、４、６−トリエトキシフェニル）−２−メチルプロピル−１−マレイミド、（Ｓ）−（−）−１−（２、３、４、５−テトラエトキシフェニル）−２−メチルプロピル−１−マレイミド、（Ｓ）−（−）−１−（２、３、４、６−テトラエトキシフェニル）−２−メチルプロピル−１−マレイミド、（Ｓ）−（−）−１−（２、３、５、６−テトラエトキシフェニル）−２−メチルプロピル−１−マレイミド、（Ｓ）−（−）−１−（２、３、４、５、６−ペンタエトキシフェニル）−２−メチルプロピル−１−マレイミド等が挙げられ、これら（Ｓ）体と鏡像体の（Ｒ）体も含まれる。
【００２７】
また、上記一般式（１）又は一般式（２）において、Ｒ６がｎ−プロピル基である化合物としては、例えば、（Ｓ）−（−）−１−（２−メチルフェニル）−ｎ−ブチル−１−マレイミド、（Ｓ）−（−）−１−（３−メチルフェニル）−ｎ−ブチル−１−マレイミド、（Ｓ）−（−）−１−（４−メチルフェニル）−ｎ−ブチル−１−マレイミド、（Ｓ）−（−）−１−（２，３−ジメチルフェニル）−ｎ−ブチル−１−マレイミド、（Ｓ）−（−）−１−（２，４−ジメチルフェニル）−ｎ−ブチル−１−マレイミド、（Ｓ）−（−）−１−（２，５−ジメチルフェニル）−ｎ−ブチル−１−マレイミド、（Ｓ）−（−）−１−（２，６−ジメチルフェニル）−ｎ−ブチル−１−マレイミド、（Ｓ）−（−）−１−（３，４−ジメチルフェニル）−ｎ−ブチル−１−マレイミド、（Ｓ）−（−）−１−（３，５−ジメチルフェニル）−ｎ−ブチル−１−マレイミド、（Ｓ）−（−）−１−（２，４，６−トリメチルフェニル）−ｎ−ブチル−１−マレイミド、（Ｓ）−（−）−１−（２，３，４，５−テトラメチルフェニル）−ｎ−ブチル−１−マレイミド、（Ｓ）−（−）−１−（２，３，４，６−テトラメチルフェニル）−ｎ−ブチル−１−マレイミド、（Ｓ）−（−）−１−（２，３，５，６−テトラメチルフェニル）−ｎ−ブチル−１−マレイミド、（Ｓ）−（−）−１−（２，３，４，５，６−ペンタメチルフェニル）−ｎ−ブチル−１−マレイミド、（Ｓ）−（−）−１−（２−エチルフェニル）−ｎ−ブチル−１−マレイミド、（Ｓ）−（−）−１−（３−エチルフェニル）−ｎ−ブチル−１−マレイミド、（Ｓ）−（−）−１−（４−エチルフェニル）−ｎ−ブチル−１−マレイミド、（Ｓ）−（−）−１−（２，３−ジエチルフェニル）−ｎ−ブチル−１−マレイミド、（Ｓ）−（−）−１−（２，４−ジエチルフェニル）−ｎ−ブチル−１−マレイミド、（Ｓ）−（−）−１−（２，５−ジエチルフェニル）−ｎ−ブチル−１−マレイミド、（Ｓ）−（−）−１−（２，６−ジエチルフェニル）−ｎ−ブチル−１−マレイミド、（Ｓ）−（−）−１−（３，４−ジエチルフェニル）−ｎ−ブチル−１−マレイミド、（Ｓ）−（−）−１−（３，５−ジエチルフェニル）−ｎ−ブチル−１−マレイミド、（Ｓ）−（−）−１−（２，４，６−トリエチルフェニル）−ｎ−ブチル−１−マレイミド、（Ｓ）−（−）−１−（２，３，４，５−テトラエチルフェニル）−ｎ−ブチル−１−マレイミド、（Ｓ）−（−）−１−（２，３，４，６−テトラエチルフェニル）−ｎ−ブチル−１−マレイミド、（Ｓ）−（−）−１−（２，３，５，６−テトラエチルフェニル）−ｎ−ブチル−１−マレイミド、（Ｓ）−（−）−１−（２，３，４，５，６−ペンタエチルフェニル）−ｎ−ブチル−１−マレイミド、（Ｓ）−（−）−１−（２−ｎ−プロピルフェニル）−ｎ−ブチル−１−マレイミド、（Ｓ）−（−）−１−（３−ｎ−プロピルフェニル）−ｎ−ブチル−１−マレイミド、（Ｓ）−（−）−１−（４−ｎ−プロピルフェニル）−ｎ−ブチル−１−マレイミド、（Ｓ）−（−）−１−（２，３−ジ−ｎ−プロピルフェニル）−ｎ−ブチル−１−マレイミド、（Ｓ）−（−）−１−（２，４−ジ−ｎ−プロピルフェニル）−ｎ−ブチル−１−マレイミド、（Ｓ）−（−）−１−（２，５−ジ−ｎ−プロピルフェニル）−ｎ−ブチル−１−マレイミド、（Ｓ）−（−）−１−（２，６−ジ−ｎ−プロピルフェニル）−ｎ−ブチル−１−マレイミド、（Ｓ）−（−）−１−（３，４−ジ−ｎ−プロピルフェニル）−ｎ−ブチル−１−マレイミド、（Ｓ）−（−）−１−（３，５−ジ−ｎ−プロピルフェニル）−ｎ−ブチル−１−マレイミド、（Ｓ）−（−）−１−（２，４，６−トリ−ｎ−プロピルフェニル）−ｎ−ブチル−１−マレイミド、（Ｓ）−（−）−１−（２，３，４，５−テトラ−ｎ−プロピルフェニル）−ｎ−ブチル−１−マレイミド、（Ｓ）−（−）−１−（２，３，４，６−テトラ−ｎ−プロピルフェニル）−ｎ−ブチル−１−マレイミド、（Ｓ）−（−）−１−（２，３，５，６−テトラ−ｎ−プロピルフェニル）−ｎ−ブチル−１−マレイミド、（Ｓ）−（−）−１−（２，３，４，５，６−ペンタ−ｎ−プロピルフェニル）−ｎ−ブチル−１−マレイミド、（Ｓ）−（−）−１−（２−ｉ−プロピルフェニル）−ｎ−ブチル−１−マレイミド、（Ｓ）−（−）−１−（３−ｉ−プロピルフェニル）−ｎ−ブチル−１−マレイミド、（Ｓ）−（−）−１−（４−ｉ−プロピルフェニル）−ｎ−ブチル−１−マレイミド、（Ｓ）−（−）−１−（２，３−ジ−ｉ−プロピルフェニル）−ｎ−ブチル−１−マレイミド、（Ｓ）−（−）−１−（２，４−ジ−ｉ−プロピルフェニル）−ｎ−ブチル−１−マレイミド、（Ｓ）−（−）−１−（２，５−ジ−ｉ−プロピルフェニル）−ｎ−ブチル−１−マレイミド、（Ｓ）−（−）−１−（２，６−ジ−ｉ−プロピルフェニル）−ｎ−ブチル−１−マレイミド、（Ｓ）−（−）−１−（３，４−ジ−ｉ−プロピルフェニル）−ｎ−ブチル−１−マレイミド、（Ｓ）−（−）−１−（３，５−ジ−ｉ−プロピルフェニル）−ｎ−ブチル−１−マレイミド、（Ｓ）−（−）−１−（２，４，６−トリ−ｉ−プロピルフェニル）−ｎ−ブチル−１−マレイミド、（Ｓ）−（−）−１−（２，３，４，５−テトラ−ｉ−プロピルフェニル）−ｎ−ブチル−１−マレイミド、（Ｓ）−（−）−１−（２，３，４，６−テトラ−ｉ−プロピルフェニル）−ｎ−ブチル−１−マレイミド、（Ｓ）−（−）−１−（２，３，５，６−テトラ−ｉ−プロピルフェニル）−ｎ−ブチル−１−マレイミド、（Ｓ）−（−）−１−（２，３，４，５，６−ペンタ−ｉ−プロピルフェニル）−ｎ−ブチル−１−マレイミド、（Ｓ）−（−）−１−（２−ｎ−ブチルフェニル）−ｎ−ブチル−１−マレイミド、（Ｓ）−（−）−１−（３−ｎ−ブチルフェニル）−ｎ−ブチル−１−マレイミド、（Ｓ）−（−）−１−（４−ｎ−ブチルフェニル）−ｎ−ブチル−１−マレイミド、（Ｓ）−（−）−１−（２，３−ジ−ｎ−ブチルフェニル）−ｎ−ブチル−１−マレイミド、（Ｓ）−（−）−１−（２，４−ジ−ｎ−ブチルフェニル）−ｎ−ブチル−１−マレイミド、（Ｓ）−（−）−１−（２，５−ジ−ｎ−ブチルフェニル）−ｎ−ブチル−１−マレイミド、（Ｓ）−（−）−１−（２，６−ジ−ｎ−ブチルフェニル）−ｎ−ブチル−１−マレイミド、（Ｓ）−（−）−１−（３，４−ジ−ｎ−ブチルフェニル）−ｎ−ブチル−１−マレイミド、（Ｓ）−（−）−１−（３，５−ジ−ｎ−ブチルフェニル）−ｎ−ブチル−１−マレイミド、（Ｓ）−（−）−１−（２，４，６−トリ−ｎ−ブチルフェニル）−ｎ−ブチル−１−マレイミド、（Ｓ）−（−）−１−（２，３，４，５−テトラ−ｎ−ブチルフェニル）−ｎ−ブチル−１−マレイミド、（Ｓ）−（−）−１−（２，３，４，６−テトラ−ｎ−ブチルフェニル）−ｎ−ブチル−１−マレイミド、（Ｓ）−（−）−１−（２，３，５，６−テトラ−ｎ−ブチルフェニル）−ｎ−ブチル−１−マレイミド、（Ｓ）−（−）−１−（２，３，４，５，６−ペンタ−ｎ−ブチルフェニル）−ｎ−ブチル−１−マレイミド、（Ｓ）−（−）−１−（２−ｉ−ブチルフェニル）−ｎ−ブチル−１−マレイミド、（Ｓ）−（−）−１−（３−ｉ−ブチルフェニル）−ｎ−ブチル−１−マレイミド、（Ｓ）−（−）−１−（４−ｉ−ブチルフェニル）−ｎ−ブチル−１−マレイミド、（Ｓ）−（−）−１−（２，３−ジ−ｉ−ブチルフェニル）−ｎ−ブチル−１−マレイミド、（Ｓ）−（−）−１−（２，４−ジ−ｉ−ブチルフェニル）−ｎ−ブチル−１−マレイミド、（Ｓ）−（−）−１−（２，５−ジ−ｉ−ブチルフェニル）−ｎ−ブチル−１−マレイミド、（Ｓ）−（−）−１−（２，６−ジ−ｉ−ブチルフェニル）−ｎ−ブチル−１−マレイミド、（Ｓ）−（−）−１−（３，４−ジ−ｉ−ブチルフェニル）−ｎ−ブチル−１−マレイミド、（Ｓ）−（−）−１−（３，５−ジ−ｉ−ブチルフェニル）−ｎ−ブチル−１−マレイミド、（Ｓ）−（−）−１−（２，４，６−トリ−ｉ−ブチルフェニル）−ｎ−ブチル−１−マレイミド、（Ｓ）−（−）−１−（２，３，４，５−テトラ−ｉ−ブチルフェニル）−ｎ−ブチル−１−マレイミド、（Ｓ）−（−）−１−（２，３，４，６−テトラ−ｉ−ブチルフェニル）−ｎ−ブチル−１−マレイミド、（Ｓ）−（−）−１−（２，３，５，６−テトラ−ｉ−ブチルフェニル）−ｎ−ブチル−１−マレイミド、（Ｓ）−（−）−１−（２，３，４，５，６−ペンタ−ｉ−ブチルフェニル）−ｎ−ブチル−１−マレイミド、（Ｓ）−（−）−１−（２−ｔ−ブチルフェニル）−ｎ−ブチル−１−マレイミド、（Ｓ）−（−）−１−（３−ｔ−ブチルフェニル）−ｎ−ブチル−１−マレイミド、（Ｓ）−（−）−１−（４−ｔ−ブチルフェニル）−ｎ−ブチル−１−マレイミド、（Ｓ）−（−）−１−（２，３−ジ−ｔ−ブチルフェニル）−ｎ−ブチル−１−マレイミド、（Ｓ）−（−）−１−（２，４−ジ−ｔ−ブチルフェニル）−ｎ−ブチル−１−マレイミド、（Ｓ）−（−）−１−（２，５−ジ−ｔ−ブチルフェニル）−ｎ−ブチル−１−マレイミド、（Ｓ）−（−）−１−（２，６−ジ−ｔ−ブチルフェニル）−ｎ−ブチル−１−マレイミド、（Ｓ）−（−）−１−（３，４−ジ−ｔ−ブチルフェニル）−ｎ−ブチル−１−マレイミド、（Ｓ）−（−）−１−（３，５−ジ−ｔ−ブチルフェニル）−ｎ−ブチル−１−マレイミド、（Ｓ）−（−）−１−（２，４，６−トリ−ｔ−ブチルフェニル）−ｎ−ブチル−１−マレイミド、（Ｓ）−（−）−１−（２，３，４，５−テトラ−ｔ−ブチルフェニル）−ｎ−ブチル−１−マレイミド、（Ｓ）−（−）−１−（２，３，４，６−テトラ−ｔ−ブチルフェニル）−ｎ−ブチル−１−マレイミド、（Ｓ）−（−）−１−（２，３，５，６−テトラ−ｔ−ブチルフェニル）−ｎ−ブチル−１−マレイミド、（Ｓ）−（−）−１−（２，３，４，５，６−ペンタ−ｔ−ブチルフェニル）−ｎ−ブチル−１−マレイミド、（Ｓ）−（−）−１−（２−メトキシフェニル）−ｎ−ブチル−１−マレイミド、（Ｓ）−（−）−１−（３−メトキシフェニル）−ｎ−ブチル−１−マレイミド、（Ｓ）−（−）−１−（４−メトキシフェニル）−ｎ−ブチル−１−マレイミド、（Ｓ）−（−）−１−（２、３−ジメトキシフェニル）−ｎ−ブチル−１−マレイミド、（Ｓ）−（−）−１−（２、４−ジメトキシフェニル）−ｎ−ブチル−１−マレイミド、（Ｓ）−（−）−１−（２、５−ジメトキシフェニル）−ｎ−ブチル−１−マレイミド、（Ｓ）−（−）−１−（２、６−ジメトキシフェニル）−ｎ−ブチル−１−マレイミド、（Ｓ）−（−）−１−（３、４−ジメトキシフェニル）−ｎ−ブチル−１−マレイミド、（Ｓ）−（−）−１−（３、５−ジメトキシフェニル）−ｎ−ブチル−１−マレイミド、（Ｓ）−（−）−１−（２、４、６−トリメトキシフェニル）−ｎ−ブチル−１−マレイミド、（Ｓ）−（−）−１−（２、３、４、５−テトラメトキシフェニル）−ｎ−ブチル−１−マレイミド、（Ｓ）−（−）−１−（２、３、４、６−テトラメトキシフェニル）−ｎ−ブチル−１−マレイミド、（Ｓ）−（−）−１−（２、３、５、６−テトラメトキシフェニル）−ｎ−ブチル−１−マレイミド、（Ｓ）−（−）−１−（２、３、４、５、６−ペンタメトキシフェニル）−ｎ−ブチル−１−マレイミド、（Ｓ）−（−）−１−（２−エトキシフェニル）−ｎ−ブチル−１−マレイミド、（Ｓ）−（−）−１−（３−エトキシフェニル）−ｎ−ブチル−１−マレイミド、（Ｓ）−（−）−１−（４−エトキシフェニル）−ｎ−ブチル−１−マレイミド、（Ｓ）−（−）−１−（２、３−ジエトキシフェニル）−ｎ−ブチル−１−マレイミド、（Ｓ）−（−）−１−（２、４−ジエトキシフェニル）−ｎ−ブチル−１−マレイミド、（Ｓ）−（−）−１−（２、５−ジエトキシフェニル）−ｎ−ブチル−１−マレイミド、（Ｓ）−（−）−１−（２、６−ジエトキシフェニル）−ｎ−ブチル−１−マレイミド、（Ｓ）−（−）−１−（３、４−ジエトキシフェニル）−ｎ−ブチル−１−マレイミド、（Ｓ）−（−）−１−（３、５−ジエトキシフェニル）−ｎ−ブチル−１−マレイミド、（Ｓ）−（−）−１−（２、４、６−トリエトキシフェニル）−ｎ−ブチル−１−マレイミド、（Ｓ）−（−）−１−（２、３、４、５−テトラエトキシフェニル）−ｎ−ブチル−１−マレイミド、（Ｓ）−（−）−１−（２、３、４、６−テトラエトキシフェニル）−ｎ−ブチル−１−マレイミド、（Ｓ）−（−）−１−（２、３、５、６−テトラエトキシフェニル）−ｎ−ブチル−１−マレイミド、（Ｓ）−（−）−１−（２、３、４、５、６−ペンタエトキシフェニル）−ｎ−ブチル−１−マレイミド等が挙げられ、これら（Ｓ）体と鏡像体の（Ｒ）体も含まれる。
【００２８】
また、上記一般式（１）又は一般式（２）において、Ｒ６がｉ−ブチル基である化合物としては、例えば、（Ｓ）−（−）−１−（２−メチルフェニル）−３−メチルブチル−１−マレイミド、（Ｓ）−（−）−１−（３−メチルフェニル）−３−メチルブチル−１−マレイミド、（Ｓ）−（−）−１−（４−メチルフェニル）−３−メチルブチル−１−マレイミド、（Ｓ）−（−）−１−（２，３−ジメチルフェニル）−３−メチルブチル−１−マレイミド、（Ｓ）−（−）−１−（２，４−ジメチルフェニル）−３−メチルブチル−１−マレイミド、（Ｓ）−（−）−１−（２，５−ジメチルフェニル）−３−メチルブチル−１−マレイミド、（Ｓ）−（−）−１−（２，６−ジメチルフェニル）−３−メチルブチル−１−マレイミド、（Ｓ）−（−）−１−（３，４−ジメチルフェニル）−３−メチルブチル−１−マレイミド、（Ｓ）−（−）−１−（３，５−ジメチルフェニル）−３−メチルブチル−１−マレイミド、（Ｓ）−（−）−１−（２，４，６−トリメチルフェニル）−３−メチルブチル−１−マレイミド、（Ｓ）−（−）−１−（２，３，４，５−テトラメチルフェニル）−３−メチルブチル−１−マレイミド、（Ｓ）−（−）−１−（２，３，４，６−テトラメチルフェニル）−３−メチルブチル−１−マレイミド、（Ｓ）−（−）−１−（２，３，５，６−テトラメチルフェニル）−３−メチルブチル−１−マレイミド、（Ｓ）−（−）−１−（２，３，４，５，６−ペンタメチルフェニル）−３−メチルブチル−１−マレイミド、（Ｓ）−（−）−１−（２−エチルフェニル）−３−メチルブチル−１−マレイミド、（Ｓ）−（−）−１−（３−エチルフェニル）−３−メチルブチル−１−マレイミド、（Ｓ）−（−）−１−（４−エチルフェニル）−３−メチルブチル−１−マレイミド、（Ｓ）−（−）−１−（２，３−ジエチルフェニル）−３−メチルブチル−１−マレイミド、（Ｓ）−（−）−１−（２，４−ジエチルフェニル）−３−メチルブチル−１−マレイミド、（Ｓ）−（−）−１−（２，５−ジエチルフェニル）−３−メチルブチル−１−マレイミド、（Ｓ）−（−）−１−（２，６−ジエチルフェニル）−３−メチルブチル−１−マレイミド、（Ｓ）−（−）−１−（３，４−ジエチルフェニル）−３−メチルブチル−１−マレイミド、（Ｓ）−（−）−１−（３，５−ジエチルフェニル）−３−メチルブチル−１−マレイミド、（Ｓ）−（−）−１−（２，４，６−トリエチルフェニル）−３−メチルブチル−１−マレイミド、（Ｓ）−（−）−１−（２，３，４，５−テトラエチルフェニル）−３−メチルブチル−１−マレイミド、（Ｓ）−（−）−１−（２，３，４，６−テトラエチルフェニル）−３−メチルブチル−１−マレイミド、（Ｓ）−（−）−１−（２，３，５，６−テトラエチルフェニル）−３−メチルブチル−１−マレイミド、（Ｓ）−（−）−１−（２，３，４，５，６−ペンタエチルフェニル）−３−メチルブチル−１−マレイミド、（Ｓ）−（−）−１−（２−ｎ−プロピルフェニル）−３−メチルブチル−１−マレイミド、（Ｓ）−（−）−１−（３−ｎ−プロピルフェニル）−３−メチルブチル−１−マレイミド、（Ｓ）−（−）−１−（４−ｎ−プロピルフェニル）−３−メチルブチル−１−マレイミド、（Ｓ）−（−）−１−（２，３−ジ−ｎ−プロピルフェニル）−３−メチルブチル−１−マレイミド、（Ｓ）−（−）−１−（２，４−ジ−ｎ−プロピルフェニル）−３−メチルブチル−１−マレイミド、（Ｓ）−（−）−１−（２，５−ジ−ｎ−プロピルフェニル）−３−メチルブチル−１−マレイミド、（Ｓ）−（−）−１−（２，６−ジ−ｎ−プロピルフェニル）−３−メチルブチル−１−マレイミド、（Ｓ）−（−）−１−（３，４−ジ−ｎ−プロピルフェニル）−３−メチルブチル−１−マレイミド、（Ｓ）−（−）−１−（３，５−ジ−ｎ−プロピルフェニル）−３−メチルブチル−１−マレイミド、（Ｓ）−（−）−１−（２，４，６−トリ−ｎ−プロピルフェニル）−３−メチルブチル−１−マレイミド、（Ｓ）−（−）−１−（２，３，４，５−テトラ−ｎ−プロピルフェニル）−３−メチルブチル−１−マレイミド、（Ｓ）−（−）−１−（２，３，４，６−テトラ−ｎ−プロピルフェニル）−３−メチルブチル−１−マレイミド、（Ｓ）−（−）−１−（２，３，５，６−テトラ−ｎ−プロピルフェニル）−３−メチルブチル−１−マレイミド、（Ｓ）−（−）−１−（２，３，４，５，６−ペンタ−ｎ−プロピルフェニル）−３−メチルブチル−１−マレイミド、（Ｓ）−（−）−１−（２−ｉ−プロピルフェニル）−３−メチルブチル−１−マレイミド、（Ｓ）−（−）−１−（３−ｉ−プロピルフェニル）−３−メチルブチル−１−マレイミド、（Ｓ）−（−）−１−（４−ｉ−プロピルフェニル）−３−メチルブチル−１−マレイミド、（Ｓ）−（−）−１−（２，３−ジ−ｉ−プロピルフェニル）−３−メチルブチル−１−マレイミド、（Ｓ）−（−）−１−（２，４−ジ−ｉ−プロピルフェニル）−３−メチルブチル−１−マレイミド、（Ｓ）−（−）−１−（２，５−ジ−ｉ−プロピルフェニル）−３−メチルブチル−１−マレイミド、（Ｓ）−（−）−１−（２，６−ジ−ｉ−プロピルフェニル）−３−メチルブチル−１−マレイミド、（Ｓ）−（−）−１−（３，４−ジ−ｉ−プロピルフェニル）−３−メチルブチル−１−マレイミド、（Ｓ）−（−）−１−（３，５−ジ−ｉ−プロピルフェニル）−３−メチルブチル−１−マレイミド、（Ｓ）−（−）−１−（２，４，６−トリ−ｉ−プロピルフェニル）−３−メチルブチル−１−マレイミド、（Ｓ）−（−）−１−（２，３，４，５−テトラ−ｉ−プロピルフェニル）−３−メチルブチル−１−マレイミド、（Ｓ）−（−）−１−（２，３，４，６−テトラ−ｉ−プロピルフェニル）−３−メチルブチル−１−マレイミド、（Ｓ）−（−）−１−（２，３，５，６−テトラ−ｉ−プロピルフェニル）−３−メチルブチル−１−マレイミド、（Ｓ）−（−）−１−（２，３，４，５，６−ペンタ−ｉ−プロピルフェニル）−３−メチルブチル−１−マレイミド、（Ｓ）−（−）−１−（２−ｎ−ブチルフェニル）−３−メチルブチル−１−マレイミド、（Ｓ）−（−）−１−（３−ｎ−ブチルフェニル）−３−メチルブチル−１−マレイミド、（Ｓ）−（−）−１−（４−ｎ−ブチルフェニル）−３−メチルブチル−１−マレイミド、（Ｓ）−（−）−１−（２，３−ジ−ｎ−ブチルフェニル）−３−メチルブチル−１−マレイミド、（Ｓ）−（−）−１−（２，４−ジ−ｎ−ブチルフェニル）−３−メチルブチル−１−マレイミド、（Ｓ）−（−）−１−（２，５−ジ−ｎ−ブチルフェニル）−３−メチルブチル−１−マレイミド、（Ｓ）−（−）−１−（２，６−ジ−ｎ−ブチルフェニル）−３−メチルブチル−１−マレイミド、（Ｓ）−（−）−１−（３，４−ジ−ｎ−ブチルフェニル）−３−メチルブチル−１−マレイミド、（Ｓ）−（−）−１−（３，５−ジ−ｎ−ブチルフェニル）−３−メチルブチル−１−マレイミド、（Ｓ）−（−）−１−（２，４，６−トリ−ｎ−ブチルフェニル）−３−メチルブチル−１−マレイミド、（Ｓ）−（−）−１−（２，３，４，５−テトラ−ｎ−ブチルフェニル）−３−メチルブチル−１−マレイミド、（Ｓ）−（−）−１−（２，３，４，６−テトラ−ｎ−ブチルフェニル）−３−メチルブチル−１−マレイミド、（Ｓ）−（−）−１−（２，３，５，６−テトラ−ｎ−ブチルフェニル）−３−メチルブチル−１−マレイミド、（Ｓ）−（−）−１−（２，３，４，５，６−ペンタ−ｎ−ブチルフェニル）−３−メチルブチル−１−マレイミド、（Ｓ）−（−）−１−（２−フェニル）−３−メチルブチル−１−マレイミド、（Ｓ）−（−）−１−（３−ｉ−ブチルフェニル）−３−メチルブチル−１−マレイミド、（Ｓ）−（−）−１−（４−ｉ−ブチルフェニル）−３−メチルブチル−１−マレイミド、（Ｓ）−（−）−１−（２，３−ジ−ｉ−ブチルフェニル）−３−メチルブチル−１−マレイミド、（Ｓ）−（−）−１−（２，４−ジ−ｉ−ブチルフェニル）−３−メチルブチル−１−マレイミド、（Ｓ）−（−）−１−（２，５−ジ−ｉ−ブチルフェニル）−３−メチルブチル−１−マレイミド、（Ｓ）−（−）−１−（２，６−ジ−ｉ−ブチルフェニル）−３−メチルブチル−１−マレイミド、（Ｓ）−（−）−１−（３，４−ジ−ｉ−ブチルフェニル）−３−メチルブチル−１−マレイミド、（Ｓ）−（−）−１−（３，５−ジ−ｉ−ブチルフェニル）−３−メチルブチル−１−マレイミド、（Ｓ）−（−）−１−（２，４，６−トリ−ｉ−ブチルフェニル）−３−メチルブチル−１−マレイミド、（Ｓ）−（−）−１−（２，３，４，５−テトラ−ｉ−ブチルフェニル）−３−メチルブチル−１−マレイミド、（Ｓ）−（−）−１−（２，３，４，６−テトラ−ｉ−ブチルフェニル）−３−メチルブチル−１−マレイミド、（Ｓ）−（−）−１−（２，３，５，６−テトラ−ｉ−ブチルフェニル）−３−メチルブチル−１−マレイミド、（Ｓ）−（−）−１−（２，３，４，５，６−ペンタ−ｉ−ブチルフェニル）−３−メチルブチル−１−マレイミド、（Ｓ）−（−）−１−（２−ｔ−ブチルフェニル）−３−メチルブチル−１−マレイミド、（Ｓ）−（−）−１−（３−ｔ−ブチルフェニル）−３−メチルブチル−１−マレイミド、（Ｓ）−（−）−１−（４−ｔ−ブチルフェニル）−３−メチルブチル−１−マレイミド、（Ｓ）−（−）−１−（２，３−ジ−ｔ−ブチルフェニル）−３−メチルブチル−１−マレイミド、（Ｓ）−（−）−１−（２，４−ジ−ｔ−ブチルフェニル）−３−メチルブチル−１−マレイミド、（Ｓ）−（−）−１−（２，５−ジ−ｔ−ブチルフェニル）−３−メチルブチル−１−マレイミド、（Ｓ）−（−）−１−（２，６−ジ−ｔ−ブチルフェニル）−３−メチルブチル−１−マレイミド、（Ｓ）−（−）−１−（３，４−ジ−ｔ−ブチルフェニル）−３−メチルブチル−１−マレイミド、（Ｓ）−（−）−１−（３，５−ジ−ｔ−ブチルフェニル）−３−メチルブチル−１−マレイミド、（Ｓ）−（−）−１−（２，４，６−トリ−ｔ−ブチルフェニル）−３−メチルブチル−１−マレイミド、（Ｓ）−（−）−１−（２，３，４，５−テトラ−ｔ−ブチルフェニル）−３−メチルブチル−１−マレイミド、（Ｓ）−（−）−１−（２，３，４，６−テトラ−ｔ−ブチルフェニル）−３−メチルブチル−１−マレイミド、（Ｓ）−（−）−１−（２，３，５，６−テトラ−ｔ−ブチルフェニル）−３−メチルブチル−１−マレイミド、（Ｓ）−（−）−１−（２，３，４，５，６−ペンタ−ｔ−ブチルフェニル）−３−メチルブチル−１−マレイミド、（Ｓ）−（−）−１−（２−メトキシフェニル）−３−メチルブチル−１−マレイミド、（Ｓ）−（−）−１−（３−メトキシフェニル）−３−メチルブチル−１−マレイミド、（Ｓ）−（−）−１−（４−メトキシフェニル）−３−メチルブチル−１−マレイミド、（Ｓ）−（−）−１−（２、３−ジメトキシフェニル）−３−メチルブチル−１−マレイミド、（Ｓ）−（−）−１−（２、４−ジメトキシフェニル）−３−メチルブチル−１−マレイミド、（Ｓ）−（−）−１−（２、５−ジメトキシフェニル）−３−メチルブチル−１−マレイミド、（Ｓ）−（−）−１−（２、６−ジメトキシフェニル）−３−メチルブチル−１−マレイミド、（Ｓ）−（−）−１−（３、４−ジメトキシフェニル）−３−メチルブチル−１−マレイミド、（Ｓ）−（−）−１−（３、５−ジメトキシフェニル）−３−メチルブチル−１−マレイミド、（Ｓ）−（−）−１−（２、４、６−トリメトキシフェニル）−３−メチルブチル−１−マレイミド、（Ｓ）−（−）−１−（２、３、４、５−テトラメトキシフェニル）−３−メチルブチル−１−マレイミド、（Ｓ）−（−）−１−（２、３、４、６−テトラメトキシフェニル）−３−メチルブチル−１−マレイミド、（Ｓ）−（−）−１−（２、３、５、６−テトラメトキシフェニル）−３−メチルブチル−１−マレイミド、（Ｓ）−（−）−１−（２、３、４、５、６−ペンタメトキシフェニル）−３−メチルブチル−１−マレイミド、（Ｓ）−（−）−１−（２−エトキシフェニル）−３−メチルブチル−１−マレイミド、（Ｓ）−（−）−１−（３−エトキシフェニル）−３−メチルブチル−１−マレイミド、（Ｓ）−（−）−１−（４−エトキシフェニル）−３−メチルブチル−１−マレイミド、（Ｓ）−（−）−１−（２、３−ジエトキシフェニル）−３−メチルブチル−１−マレイミド、（Ｓ）−（−）−１−（２、４−ジエトキシフェニル）−３−メチルブチル−１−マレイミド、（Ｓ）−（−）−１−（２、５−ジエトキシフェニル）−３−メチルブチル−１−マレイミド、（Ｓ）−（−）−１−（２、６−ジエトキシフェニル）−３−メチルブチル−１−マレイミド、（Ｓ）−（−）−１−（３、４−ジエトキシフェニル）−３−メチルブチル−１−マレイミド、（Ｓ）−（−）−１−（３、５−ジエトキシフェニル）−３−メチルブチル−１−マレイミド、（Ｓ）−（−）−１−（２、４、６−トリエトキシフェニル）−３−メチルブチル−１−マレイミド、（Ｓ）−（−）−１−（２、３、４、５−テトラエトキシフェニル）−３−メチルブチル−１−マレイミド、（Ｓ）−（−）−１−（２、３、４、６−テトラエトキシフェニル）−３−メチルブチル−１−マレイミド、（Ｓ）−（−）−１−（２、３、５、６−テトラエトキシフェニル）−３−メチルブチル−１−マレイミド、（Ｓ）−（−）−１−（２、３、４、５、６−ペンタエトキシフェニル）−３−メチルブチル−１−マレイミド等が挙げられ、これら（Ｓ）体と鏡像体の（Ｒ）体も含まれる。
【００２９】
また、上記一般式（１）又は一般式（２）において、Ｒ６がｔｅｒｔ−ブチル基である化合物としては、例えば、（Ｓ）−（−）−１−（２−メチルフェニル）−２，２−ジメチルプロピル−１−マレイミド、（Ｓ）−（−）−１−（３−メチルフェニル）−２，２−ジメチルプロピル−１−マレイミド、（Ｓ）−（−）−１−（４−メチルフェニル）−２，２−ジメチルプロピル−１−マレイミド、（Ｓ）−（−）−１−（２，３−ジメチルフェニル）−２，２−ジメチルプロピル−１−マレイミド、（Ｓ）−（−）−１−（２，４−ジメチルフェニル）−２，２−ジメチルプロピル−１−マレイミド、（Ｓ）−（−）−１−（２，５−ジメチルフェニル）−２，２−ジメチルプロピル−１−マレイミド、（Ｓ）−（−）−１−（２，６−ジメチルフェニル）−２，２−ジメチルプロピル−１−マレイミド、（Ｓ）−（−）−１−（３，４−ジメチルフェニル）−２，２−ジメチルプロピル−１−マレイミド、（Ｓ）−（−）−１−（３，５−ジメチルフェニル）−２，２−ジメチルプロピル−１−マレイミド、（Ｓ）−（−）−１−（２，４，６−トリメチルフェニル）−２，２−ジメチルプロピル−１−マレイミド、（Ｓ）−（−）−１−（２，３，４，５−テトラメチルフェニル）−２，２−ジメチルプロピル−１−マレイミド、（Ｓ）−（−）−１−（２，３，４，６−テトラメチルフェニル）−２，２−ジメチルプロピル−１−マレイミド、（Ｓ）−（−）−１−（２，３，５，６−テトラメチルフェニル）−２，２−ジメチルプロピル−１−マレイミド、（Ｓ）−（−）−１−（２，３，４，５，６−ペンタメチルフェニル）−２，２−ジメチルプロピル−１−マレイミド、（Ｓ）−（−）−１−（２−エチルフェニル）−２，２−ジメチルプロピル−１−マレイミド、（Ｓ）−（−）−１−（３−エチルフェニル）−２，２−ジメチルプロピル−１−マレイミド、（Ｓ）−（−）−１−（４−エチルフェニル）−２，２−ジメチルプロピル−１−マレイミド、（Ｓ）−（−）−１−（２，３−ジエチルフェニル）−２，２−ジメチルプロピル−１−マレイミド、（Ｓ）−（−）−１−（２，４−ジエチルフェニル）−２，２−ジメチルプロピル−１−マレイミド、（Ｓ）−（−）−１−（２，５−ジエチルフェニル）−２，２−ジメチルプロピル−１−マレイミド、（Ｓ）−（−）−１−（２，６−ジエチルフェニル）−２，２−ジメチルプロピル−１−マレイミド、（Ｓ）−（−）−１−（３，４−ジエチルフェニル）−２，２−ジメチルプロピル−１−マレイミド、（Ｓ）−（−）−１−（３，５−ジエチルフェニル）−２，２−ジメチルプロピル−１−マレイミド、（Ｓ）−（−）−１−（２，４，６−トリエチルフェニル）−２，２−ジメチルプロピル−１−マレイミド、（Ｓ）−（−）−１−（２，３，４，５−テトラエチルフェニル）−２，２−ジメチルプロピル−１−マレイミド、（Ｓ）−（−）−１−（２，３，４，６−テトラエチルフェニル）−２，２−ジメチルプロピル−１−マレイミド、（Ｓ）−（−）−１−（２，３，５，６−テトラエチルフェニル）−２，２−ジメチルプロピル−１−マレイミド、（Ｓ）−（−）−１−（２，３，４，５，６−ペンタエチルフェニル）−２，２−ジメチルプロピル−１−マレイミド、（Ｓ）−（−）−１−（２−ｎ−プロピルフェニル）−２，２−ジメチルプロピル−１−マレイミド、（Ｓ）−（−）−１−（３−ｎ−プロピルフェニル）−２，２−ジメチルプロピル−１−マレイミド、（Ｓ）−（−）−１−（４−ｎ−プロピルフェニル）−２，２−ジメチルプロピル−１−マレイミド、（Ｓ）−（−）−１−（２，３−ジ−ｎ−プロピルフェニル）−２，２−ジメチルプロピル−１−マレイミド、（Ｓ）−（−）−１−（２，４−ジ−ｎ−プロピルフェニル）−２，２−ジメチルプロピル−１−マレイミド、（Ｓ）−（−）−１−（２，５−ジ−ｎ−プロピルフェニル）−２，２−ジメチルプロピル−１−マレイミド、（Ｓ）−（−）−１−（２，６−ジ−ｎ−プロピルフェニル）−２，２−ジメチルプロピル−１−マレイミド、（Ｓ）−（−）−１−（３，４−ジ−ｎ−プロピルフェニル）−２，２−ジメチルプロピル−１−マレイミド、（Ｓ）−（−）−１−（３，５−ジ−ｎ−プロピルフェニル）−２，２−ジメチルプロピル−１−マレイミド、（Ｓ）−（−）−１−（２，４，６−トリ−ｎ−プロピルフェニル）−２，２−ジメチルプロピル−１−マレイミド、（Ｓ）−（−）−１−（２，３，４，５−テトラ−ｎ−プロピルフェニル）−２，２−ジメチルプロピル−１−マレイミド、（Ｓ）−（−）−１−（２，３，４，６−テトラ−ｎ−プロピルフェニル）−２，２−ジメチルプロピル−１−マレイミド、（Ｓ）−（−）−１−（２，３，５，６−テトラ−ｎ−プロピルフェニル）−２，２−ジメチルプロピル−１−マレイミド、（Ｓ）−（−）−１−（２，３，４，５，６−ペンタ−ｎ−プロピルフェニル）−２，２−ジメチルプロピル−１−マレイミド、（Ｓ）−（−）−１−（２−ｉ−プロピルフェニル）−２，２−ジメチルプロピル−１−マレイミド、（Ｓ）−（−）−１−（３−ｉ−プロピルフェニル）−２，２−ジメチルプロピル−１−マレイミド、（Ｓ）−（−）−１−（４−ｉ−プロピルフェニル）−２，２−ジメチルプロピル−１−マレイミド、（Ｓ）−（−）−１−（２，３−ジ−ｉ−プロピルフェニル）−２，２−ジメチルプロピル−１−マレイミド、（Ｓ）−（−）−１−（２，４−ジ−ｉ−プロピルフェニル）−２，２−ジメチルプロピル−１−マレイミド、（Ｓ）−（−）−１−（２，５−ジ−ｉ−プロピルフェニル）−２，２−ジメチルプロピル−１−マレイミド、（Ｓ）−（−）−１−（２，６−ジ−ｉ−プロピルフェニル）−２，２−ジメチルプロピル−１−マレイミド、（Ｓ）−（−）−１−（３，４−ジ−ｉ−プロピルフェニル）−２，２−ジメチルプロピル−１−マレイミド、（Ｓ）−（−）−１−（３，５−ジ−ｉ−プロピルフェニル）−２，２−ジメチルプロピル−１−マレイミド、（Ｓ）−（−）−１−（２，４，６−トリ−ｉ−プロピルフェニル）−２，２−ジメチルプロピル−１−マレイミド、（Ｓ）−（−）−１−（２，３，４，５−テトラ−ｉ−プロピルフェニル）−２，２−ジメチルプロピル−１−マレイミド、（Ｓ）−（−）−１−（２，３，４，６−テトラ−ｉ−プロピルフェニル）−２，２−ジメチルプロピル−１−マレイミド、（Ｓ）−（−）−１−（２，３，５，６−テトラ−ｉ−プロピルフェニル）−２，２−ジメチルプロピル−１−マレイミド、（Ｓ）−（−）−１−（２，３，４，５，６−ペンタ−ｉ−プロピルフェニル）−２，２−ジメチルプロピル−１−マレイミド、（Ｓ）−（−）−１−（２−ｎ−ブチルフェニル）−２，２−ジメチルプロピル−１−マレイミド、（Ｓ）−（−）−１−（３−ｎ−ブチルフェニル）−２，２−ジメチルプロピル−１−マレイミド、（Ｓ）−（−）−１−（４−ｎ−ブチルフェニル）−２，２−ジメチルプロピル−１−マレイミド、（Ｓ）−（−）−１−（２，３−ジ−ｎ−ブチルフェニル）−２，２−ジメチルプロピル−１−マレイミド、（Ｓ）−（−）−１−（２，４−ジ−ｎ−ブチルフェニル）−２，２−ジメチルプロピル−１−マレイミド、（Ｓ）−（−）−１−（２，５−ジ−ｎ−ブチルフェニル）−２，２−ジメチルプロピル−１−マレイミド、（Ｓ）−（−）−１−（２，６−ジ−ｎ−ブチルフェニル）−２，２−ジメチルプロピル−１−マレイミド、（Ｓ）−（−）−１−（３，４−ジ−ｎ−ブチルフェニル）−２，２−ジメチルプロピル−１−マレイミド、（Ｓ）−（−）−１−（３，５−ジ−ｎ−ブチルフェニル）−２，２−ジメチルプロピル−１−マレイミド、（Ｓ）−（−）−１−（２，４，６−トリ−ｎ−ブチルフェニル）−２，２−ジメチルプロピル−１−マレイミド、（Ｓ）−（−）−１−（２，３，４，５−テトラ−ｎ−ブチルフェニル）−２，２−ジメチルプロピル−１−マレイミド、（Ｓ）−（−）−１−（２，３，４，６−テトラ−ｎ−ブチルフェニル）−２，２−ジメチルプロピル−１−マレイミド、（Ｓ）−（−）−１−（２，３，５，６−テトラ−ｎ−ブチルフェニル）−２，２−ジメチルプロピル−１−マレイミド、（Ｓ）−（−）−１−（２，３，４，５，６−ペンタ−ｎ−ブチルフェニル）−２，２−ジメチルプロピル−１−マレイミド、（Ｓ）−（−）−１−（２−ｉ−ブチルフェニル）−２，２−ジメチルプロピル−１−マレイミド、（Ｓ）−（−）−１−（３−ｉ−ブチルフェニル）−２，２−ジメチルプロピル−１−マレイミド、（Ｓ）−（−）−１−（４−ｉ−ブチルフェニル）−２，２−ジメチルプロピル−１−マレイミド、（Ｓ）−（−）−１−（２，３−ジ−ｉ−ブチルフェニル）−２，２−ジメチルプロピル−１−マレイミド、（Ｓ）−（−）−１−（２，４−ジ−ｉ−ブチルフェニル）−２，２−ジメチルプロピル−１−マレイミド、（Ｓ）−（−）−１−（２，５−ジ−ｉ−ブチルフェニル）−２，２−ジメチルプロピル−１−マレイミド、（Ｓ）−（−）−１−（２，６−ジ−ｉ−ブチルフェニル）−２，２−ジメチルプロピル−１−マレイミド、（Ｓ）−（−）−１−（３，４−ジ−ｉ−ブチルフェニル）−２，２−ジメチルプロピル−１−マレイミド、（Ｓ）−（−）−１−（３，５−ジ−ｉ−ブチルフェニル）−２，２−ジメチルプロピル−１−マレイミド、（Ｓ）−（−）−１−（２，４，６−トリ−ｉ−ブチルフェニル）−２，２−ジメチルプロピル−１−マレイミド、（Ｓ）−（−）−１−（２，３，４，５−テトラ−ｉ−ブチルフェニル）−２，２−ジメチルプロピル−１−マレイミド、（Ｓ）−（−）−１−（２，３，４，６−テトラ−ｉ−ブチルフェニル）−２，２−ジメチルプロピル−１−マレイミド、（Ｓ）−（−）−１−（２，３，５，６−テトラ−ｉ−ブチルフェニル）−２，２−ジメチルプロピル−１−マレイミド、（Ｓ）−（−）−１−（２，３，４，５，６−ペンタ−ｉ−ブチルフェニル）−２，２−ジメチルプロピル−１−マレイミド、（Ｓ）−（−）−１−（２−ｔ−ブチルフェニル）−２，２−ジメチルプロピル−１−マレイミド、（Ｓ）−（−）−１−（３−ｔ−ブチルフェニル）−２，２−ジメチルプロピル−１−マレイミド、（Ｓ）−（−）−１−（４−ｔ−ブチルフェニル）−２，２−ジメチルプロピル−１−マレイミド、（Ｓ）−（−）−１−（２，３−ジ−ｔ−ブチルフェニル）−２，２−ジメチルプロピル−１−マレイミド、（Ｓ）−（−）−１−（２，４−ジ−ｔ−ブチルフェニル）−２，２−ジメチルプロピル−１−マレイミド、（Ｓ）−（−）−１−（２，５−ジ−ｔ−ブチルフェニル）−２，２−ジメチルプロピル−１−マレイミド、（Ｓ）−（−）−１−（２，６−ジ−ｔ−ブチルフェニル）−２，２−ジメチルプロピル−１−マレイミド、（Ｓ）−（−）−１−（３，４−ジ−ｔ−ブチルフェニル）−２，２−ジメチルプロピル−１−マレイミド、（Ｓ）−（−）−１−（３，５−ジ−ｔ−ブチルフェニル）−２，２−ジメチルプロピル−１−マレイミド、（Ｓ）−（−）−１−（２，４，６−トリ−ｔ−ブチルフェニル）−２，２−ジメチルプロピル−１−マレイミド、（Ｓ）−（−）−１−（２，３，４，５−テトラ−ｔ−ブチルフェニル）−２，２−ジメチルプロピル−１−マレイミド、（Ｓ）−（−）−１−（２，３，４，６−テトラ−ｔ−ブチルフェニル）−２，２−ジメチルプロピル−１−マレイミド、（Ｓ）−（−）−１−（２，３，５，６−テトラ−ｔ−ブチルフェニル）−２，２−ジメチルプロピル−１−マレイミド、（Ｓ）−（−）−１−（２−メトキシフェニル）−２，２−ジメチルプロピル−１−マレイミド、（Ｓ）−（−）−１−（３−メトキシフェニル）−２，２−ジメチルプロピル−１−マレイミド、（Ｓ）−（−）−１−（４−メトキシフェニル）−２，２−ジメチルプロピル−１−マレイミド、（Ｓ）−（−）−１−（２、３−ジメトキシフェニル）−２，２−ジメチルプロピル−１−マレイミド、（Ｓ）−（−）−１−（２、４−ジメトキシフェニル）−２，２−ジメチルプロピル−１−マレイミド、（Ｓ）−（−）−１−（２、５−ジメトキシフェニル）−２，２−ジメチルプロピル−１−マレイミド、（Ｓ）−（−）−１−（２、６−ジメトキシフェニル）−２，２−ジメチルプロピル−１−マレイミド、（Ｓ）−（−）−１−（３、４−ジメトキシフェニル）−２，２−ジメチルプロピル−１−マレイミド、（Ｓ）−（−）−１−（３、５−ジメトキシフェニル）−２，２−ジメチルプロピル−１−マレイミド、（Ｓ）−（−）−１−（２、４、６−トリメトキシフェニル）−２，２−ジメチルプロピル−１−マレイミド、（Ｓ）−（−）−１−（２、３、４、５−テトラメトキシフェニル）−２，２−ジメチルプロピル−１−マレイミド、（Ｓ）−（−）−１−（２、３、４、６−テトラメトキシフェニル）−２，２−ジメチルプロピル−１−マレイミド、（Ｓ）−（−）−１−（２、３、５、６−テトラメトキシフェニル）−２，２−ジメチルプロピル−１−マレイミド、（Ｓ）−（−）−１−（２、３、４、５、６−ペンタメトキシフェニル）−２，２−ジメチルプロピル−１−マレイミド、（Ｓ）−（−）−１−（２−エトキシフェニル）−２，２−ジメチルプロピル−１−マレイミド、（Ｓ）−（−）−１−（３−エトキシフェニル）−２，２−ジメチルプロピル−１−マレイミド、（Ｓ）−（−）−１−（４−エトキシフェニル）−２，２−ジメチルプロピル−１−マレイミド、（Ｓ）−（−）−１−（２、３−ジエトキシフェニル）−２，２−ジメチルプロピル−１−マレイミド、（Ｓ）−（−）−１−（２、４−ジエトキシフェニル）−２，２−ジメチルプロピル−１−マレイミド、（Ｓ）−（−）−１−（２、５−ジエトキシフェニル）−２，２−ジメチルプロピル−１−マレイミド、（Ｓ）−（−）−１−（２、６−ジエトキシフェニル）−２，２−ジメチルプロピル−１−マレイミド、（Ｓ）−（−）−１−（３、４−ジエトキシフェニル）−２，２−ジメチルプロピル−１−マレイミド、（Ｓ）−（−）−１−（３、５−ジエトキシフェニル）−２，２−ジメチルプロピル−１−マレイミド、（Ｓ）−（−）−１−（２、４、６−トリエトキシフェニル）−２，２−ジメチルプロピル−１−マレイミド、（Ｓ）−（−）−１−（２、３、４、５−テトラエトキシフェニル）−２，２−ジメチルプロピル−１−マレイミド、（Ｓ）−（−）−１−（２、３、４、６−テトラエトキシフェニル）−２，２−ジメチルプロピル−１−マレイミド、（Ｓ）−（−）−１−（２、３、５、６−テトラエトキシフェニル）−２，２−ジメチルプロピル−１−マレイミド、（Ｓ）−（−）−１−（２、３、４、５、６−ペンタエトキシフェニル）−２，２−ジメチルプロピル−１−マレイミド等が挙げられ、これら（Ｓ）体と鏡像体の（Ｒ）体も含まれる。
【００３０】
また、上記一般式（１）又は一般式（２）において、Ｒ６がｎ−ブチル基である化合物としては、例えば、（Ｓ）−（−）−１−（２−メチルフェニル）−ｎ−ペンチル−１−マレイミド、（Ｓ）−（−）−１−（３−メチルフェニル）−ｎ−ペンチル−１−マレイミド、（Ｓ）−（−）−１−（４−メチルフェニル）−ｎ−ペンチル−１−マレイミド、（Ｓ）−（−）−１−（２，３−ジメチルフェニル）−ｎ−ペンチル−１−マレイミド、（Ｓ）−（−）−１−（２，４−ジメチルフェニル）−ｎ−ペンチル−１−マレイミド、（Ｓ）−（−）−１−（２，５−ジメチルフェニル）−ｎ−ペンチル−１−マレイミド、（Ｓ）−（−）−１−（２，６−ジメチルフェニル）−ｎ−ペンチル−１−マレイミド、（Ｓ）−（−）−１−（３，４−ジメチルフェニル）−ｎ−ペンチル−１−マレイミド、（Ｓ）−（−）−１−（３，５−ジメチルフェニル）−ｎ−ペンチル−１−マレイミド、（Ｓ）−（−）−１−（２，４，６−トリメチルフェニル）−ｎ−ペンチル−１−マレイミド、（Ｓ）−（−）−１−（２，３，４，５−テトラメチルフェニル）−ｎ−ペンチル−１−マレイミド、（Ｓ）−（−）−１−（２，３，４，６−テトラメチルフェニル）−ｎ−ペンチル−１−マレイミド、（Ｓ）−（−）−１−（２，３，５，６−テトラメチルフェニル）−ｎ−ペンチル−１−マレイミド、（Ｓ）−（−）−１−（２，３，４，５，６−ペンタメチルフェニル）−ｎ−ペンチル−１−マレイミド、（Ｓ）−（−）−１−（２−エチルフェニル）−ｎ−ペンチル−１−マレイミド、（Ｓ）−（−）−１−（３−エチルフェニル）−ｎ−ペンチル−１−マレイミド、（Ｓ）−（−）−１−（４−エチルフェニル）−ｎ−ペンチル−１−マレイミド、（Ｓ）−（−）−１−（２，３−ジエチルフェニル）−ｎ−ペンチル−１−マレイミド、（Ｓ）−（−）−１−（２，４−ジエチルフェニル）−ｎ−ペンチル−１−マレイミド、（Ｓ）−（−）−１−（２，５−ジエチルフェニル）−ｎ−ペンチル−１−マレイミド、（Ｓ）−（−）−１−（２，６−ジエチルフェニル）−ｎ−ペンチル−１−マレイミド、（Ｓ）−（−）−１−（３，４−ジエチルフェニル）−ｎ−ペンチル−１−マレイミド、（Ｓ）−（−）−１−（３，５−ジエチルフェニル）−ｎ−ペンチル−１−マレイミド、（Ｓ）−（−）−１−（２，４，６−トリエチルフェニル）−ｎ−ペンチル−１−マレイミド、（Ｓ）−（−）−１−（２，３，４，５−テトラエチルフェニル）−ｎ−ペンチル−１−マレイミド、（Ｓ）−（−）−１−（２，３，４，６−テトラエチルフェニル）−ｎ−ペンチル−１−マレイミド、（Ｓ）−（−）−１−（２，３，５，６−テトラエチルフェニル）−ｎ−ペンチル−１−マレイミド、（Ｓ）−（−）−１−（２，３，４，５，６−ペンタエチルフェニル）−ｎ−ペンチル−１−マレイミド、（Ｓ）−（−）−１−（２−ｎ−プロピルフェニル）−ｎ−ペンチル−１−マレイミド、（Ｓ）−（−）−１−（３−ｎ−プロピルフェニル）−ｎ−ペンチル−１−マレイミド、（Ｓ）−（−）−１−（４−ｎ−プロピルフェニル）−ｎ−ペンチル−１−マレイミド、（Ｓ）−（−）−１−（２，３−ジ−ｎ−プロピルフェニル）−ｎ−ペンチル−１−マレイミド、（Ｓ）−（−）−１−（２，４−ジ−ｎ−プロピルフェニル）−ｎ−ペンチル−１−マレイミド、（Ｓ）−（−）−１−（２，５−ジ−ｎ−プロピルフェニル）−ｎ−ペンチル−１−マレイミド、（Ｓ）−（−）−１−（２，６−ジ−ｎ−プロピルフェニル）−ｎ−ペンチル−１−マレイミド、（Ｓ）−（−）−１−（３，４−ジ−ｎ−プロピルフェニル）−ｎ−ペンチル−１−マレイミド、（Ｓ）−（−）−１−（３，５−ジ−ｎ−プロピルフェニル）−ｎ−ペンチル−１−マレイミド、（Ｓ）−（−）−１−（２，４，６−トリ−ｎ−プロピルフェニル）−ｎ−ペンチル−１−マレイミド、（Ｓ）−（−）−１−（２，３，４，５−テトラ−ｎ−プロピルフェニル）−ｎ−ペンチル−１−マレイミド、（Ｓ）−（−）−１−（２，３，４，６−テトラ−ｎ−プロピルフェニル）−ｎ−ペンチル−１−マレイミド、（Ｓ）−（−）−１−（２，３，５，６−テトラ−ｎ−プロピルフェニル）−ｎ−ペンチル−１−マレイミド、（Ｓ）−（−）−１−（２，３，４，５，６−ペンタ−ｎ−プロピルフェニル）−ｎ−ペンチル−１−マレイミド、（Ｓ）−（−）−１−（２−ｉ−プロピルフェニル）−ｎ−ペンチル−１−マレイミド、（Ｓ）−（−）−１−（３−ｉ−プロピルフェニル）−ｎ−ペンチル−１−マレイミド、（Ｓ）−（−）−１−（４−ｉ−プロピルフェニル）−ｎ−ペンチル−１−マレイミド、（Ｓ）−（−）−１−（２，３−ジ−ｉ−プロピルフェニル）−ｎ−ペンチル−１−マレイミド、（Ｓ）−（−）−１−（２，４−ジ−ｉ−プロピルフェニル）−ｎ−ペンチル−１−マレイミド、（Ｓ）−（−）−１−（２，５−ジ−ｉ−プロピルフェニル）−ｎ−ペンチル−１−マレイミド、（Ｓ）−（−）−１−（２，６−ジ−ｉ−プロピルフェニル）−ｎ−ペンチル−１−マレイミド、（Ｓ）−（−）−１−（３，４−ジ−ｉ−プロピルフェニル）−ｎ−ペンチル−１−マレイミド、（Ｓ）−（−）−１−（３，５−ジ−ｉ−プロピルフェニル）−ｎ−ペンチル−１−マレイミド、（Ｓ）−（−）−１−（２，４，６−トリ−ｉ−プロピルフェニル）−ｎ−ペンチル−１−マレイミド、（Ｓ）−（−）−１−（２，３，４，５−テトラ−ｉ−プロピルフェニル）−ｎ−ペンチル−１−マレイミド、（Ｓ）−（−）−１−（２，３，４，６−テトラ−ｉ−プロピルフェニル）−ｎ−ペンチル−１−マレイミド、（Ｓ）−（−）−１−（２，３，５，６−テトラ−ｉ−プロピルフェニル）−ｎ−ペンチル−１−マレイミド、（Ｓ）−（−）−１−（２，３，４，５，６−ペンタ−ｉ−プロピルフェニル）−ｎ−ペンチル−１−マレイミド、（Ｓ）−（−）−１−（２−ｎ−ブチルフェニル）−ｎ−ペンチル−１−マレイミド、（Ｓ）−（−）−１−（３−ｎ−ブチルフェニル）−ｎ−ペンチル−１−マレイミド、（Ｓ）−（−）−１−（４−ｎ−ブチルフェニル）−ｎ−ペンチル−１−マレイミド、（Ｓ）−（−）−１−（２，３−ジ−ｎ−ブチルフェニル）−ｎ−ペンチル−１−マレイミド、（Ｓ）−（−）−１−（２，４−ジ−ｎ−ブチルフェニル）−ｎ−ペンチル−１−マレイミド、（Ｓ）−（−）−１−（２，５−ジ−ｎ−ブチルフェニル）−ｎ−ペンチル−１−マレイミド、（Ｓ）−（−）−１−（２，６−ジ−ｎ−ブチルフェニル）−ｎ−ペンチル−１−マレイミド、（Ｓ）−（−）−１−（３，４−ジ−ｎ−ブチルフェニル）−ｎ−ペンチル−１−マレイミド、（Ｓ）−（−）−１−（３，５−ジ−ｎ−ブチルフェニル）−ｎ−ペンチル−１−マレイミド、（Ｓ）−（−）−１−（２，４，６−トリ−ｎ−ブチルフェニル）−ｎ−ペンチル−１−マレイミド、（Ｓ）−（−）−１−（２，３，４，５−テトラ−ｎ−ブチルフェニル）−ｎ−ペンチル−１−マレイミド、（Ｓ）−（−）−１−（２，３，４，６−テトラ−ｎ−ブチルフェニル）−ｎ−ペンチル−１−マレイミド、（Ｓ）−（−）−１−（２，３，５，６−テトラ−ｎ−ブチルフェニル）−ｎ−ペンチル−１−マレイミド、（Ｓ）−（−）−１−（２，３，４，５，６−ペンタ−ｎ−ブチルフェニル）−ｎ−ペンチル−１−マレイミド、（Ｓ）−（−）−１−（２−ｉ−ブチルフェニル）−ｎ−ペンチル−１−マレイミド、（Ｓ）−（−）−１−（３−ｉ−ブチルフェニル）−ｎ−ペンチル−１−マレイミド、（Ｓ）−（−）−１−（４−ｉ−ブチルフェニル）−ｎ−ペンチル−１−マレイミド、（Ｓ）−（−）−１−（２，３−ジ−ｉ−ブチルフェニル）−ｎ−ペンチル−１−マレイミド、（Ｓ）−（−）−１−（２，４−ジ−ｉ−ブチルフェニル）−ｎ−ペンチル−１−マレイミド、（Ｓ）−（−）−１−（２，５−ジ−ｉ−ブチルフェニル）−ｎ−ペンチル−１−マレイミド、（Ｓ）−（−）−１−（２，６−ジ−ｉ−ブチルフェニル）−ｎ−ペンチル−１−マレイミド、（Ｓ）−（−）−１−（３，４−ジ−ｉ−ブチルフェニル）−ｎ−ペンチル−１−マレイミド、（Ｓ）−（−）−１−（３，５−ジ−ｉ−ブチルフェニル）−ｎ−ペンチル−１−マレイミド、（Ｓ）−（−）−１−（２，４，６−トリ−ｉ−ブチルフェニル）−ｎ−ペンチル−１−マレイミド、（Ｓ）−（−）−１−（２，３，４，５−テトラ−ｉ−ブチルフェニル）−ｎ−ペンチル−１−マレイミド、（Ｓ）−（−）−１−（２，３，４，６−テトラ−ｉ−ブチルフェニル）−ｎ−ペンチル−１−マレイミド、（Ｓ）−（−）−１−（２，３，５，６−テトラ−ｉ−ブチルフェニル）−ｎ−ペンチル−１−マレイミド、（Ｓ）−（−）−１−（２，３，４，５，６−ペンタ−ｉ−ブチルフェニル）−ｎ−ペンチル−１−マレイミド、（Ｓ）−（−）−１−（２−ｔ−ブチルフェニル）−ｎ−ペンチル−１−マレイミド、（Ｓ）−（−）−１−（３−ｔ−ブチルフェニル）−ｎ−ペンチル−１−マレイミド、（Ｓ）−（−）−１−（４−ｔ−ブチルフェニル）−ｎ−ペンチル−１−マレイミド、（Ｓ）−（−）−１−（２，３−ジ−ｔ−ブチルフェニル）−ｎ−ペンチル−１−マレイミド、（Ｓ）−（−）−１−（２，４−ジ−ｔ−ブチルフェニル）−ｎ−ペンチル−１−マレイミド、（Ｓ）−（−）−１−（２，５−ジ−ｔ−ブチルフェニル）−ｎ−ペンチル−１−マレイミド、（Ｓ）−（−）−１−（２，６−ジ−ｔ−ブチルフェニル）−ｎ−ペンチル−１−マレイミド、（Ｓ）−（−）−１−（３，４−ジ−ｔ−ブチルフェニル）−ｎ−ペンチル−１−マレイミド、（Ｓ）−（−）−１−（３，５−ジ−ｔ−ブチルフェニル）−ｎ−ペンチル−１−マレイミド、（Ｓ）−（−）−１−（２，４，６−トリ−ｔ−ブチルフェニル）−ｎ−ペンチル−１−マレイミド、（Ｓ）−（−）−１−（２，３，４，５−テトラ−ｔ−ブチルフェニル）−ｎ−ペンチル−１−マレイミド、（Ｓ）−（−）−１−（２，３，４，６−テトラ−ｔ−ブチルフェニル）−ｎ−ペンチル−１−マレイミド、（Ｓ）−（−）−１−（２，３，５，６−テトラ−ｔ−ブチルフェニル）−ｎ−ペンチル−１−マレイミド、（Ｓ）−（−）−１−（２，３，４，５，６−ペンタ−ｔ−ブチルフェニル）−ｎ−ペンチル−１−マレイミド、（Ｓ）−（−）−１−（２−メトキシフェニル）−ｎ−ペンチル−１−マレイミド、（Ｓ）−（−）−１−（３−メトキシフェニル）−ｎ−ペンチル−１−マレイミド、（Ｓ）−（−）−１−（４−メトキシフェニル）−ｎ−ペンチル−１−マレイミド、（Ｓ）−（−）−１−（２、３−ジメトキシフェニル）−ｎ−ペンチル−１−マレイミド、（Ｓ）−（−）−１−（２、４−ジメトキシフェニル）−ｎ−ペンチル−１−マレイミド、（Ｓ）−（−）−１−（２、５−ジメトキシフェニル）−ｎ−ペンチル−１−マレイミド、（Ｓ）−（−）−１−（２、６−ジメトキシフェニル）−ｎ−ペンチル−１−マレイミド、（Ｓ）−（−）−１−（３、４−ジメトキシフェニル）−ｎ−ペンチル−１−マレイミド、（Ｓ）−（−）−１−（３、５−ジメトキシフェニル）−ｎ−ペンチル−１−マレイミド、（Ｓ）−（−）−１−（２、４、６−トリメトキシフェニル）−ｎ−ペンチル−１−マレイミド、（Ｓ）−（−）−１−（２、３、４、５−テトラメトキシフェニル）−ｎ−ペンチル−１−マレイミド、（Ｓ）−（−）−１−（２、３、４、６−テトラメトキシフェニル）−ｎ−ペンチル−１−マレイミド、（Ｓ）−（−）−１−（２、３、５、６−テトラメトキシフェニル）−ｎ−ペンチル−１−マレイミド、（Ｓ）−（−）−１−（２、３、４、５、６−ペンタメトキシフェニル）−ｎ−ペンチル−１−マレイミド、（Ｓ）−（−）−１−（２−エトキシフェニル）−ｎ−ペンチル−１−マレイミド、（Ｓ）−（−）−１−（３−エトキシフェニル）−ｎ−ペンチル−１−マレイミド、（Ｓ）−（−）−１−（４−エトキシフェニル）−ｎ−ペンチル−１−マレイミド、（Ｓ）−（−）−１−（２、３−ジエトキシフェニル）−ｎ−ペンチル−１−マレイミド、（Ｓ）−（−）−１−（２、４−ジエトキシフェニル）−ｎ−ペンチル−１−マレイミド、（Ｓ）−（−）−１−（２、５−ジエトキシフェニル）−ｎ−ペンチル−１−マレイミド、（Ｓ）−（−）−１−（２、６−ジエトキシフェニル）−ｎ−ペンチル−１−マレイミド、（Ｓ）−（−）−１−（３、４−ジエトキシフェニル）−ｎ−ペンチル−１−マレイミド、（Ｓ）−（−）−１−（３、５−ジエトキシフェニル）−ｎ−ペンチル−１−マレイミド、（Ｓ）−（−）−１−（２、４、６−トリエトキシフェニル）−ｎ−ペンチル−１−マレイミド、（Ｓ）−（−）−１−（２、３、４、５−テトラエトキシフェニル）−ｎ−ペンチル−１−マレイミド、（Ｓ）−（−）−１−（２、３、４、６−テトラエトキシフェニル）−ｎ−ペンチル−１−マレイミド、（Ｓ）−（−）−１−（２、３、５、６−テトラエトキシフェニル）−ｎ−ペンチル−１−マレイミド、（Ｓ）−（−）−１−（２、３、４、５、６−ペンタエトキシフェニル）−ｎ−ペンチル−１−マレイミド等が挙げられ、これら（Ｓ）体と鏡像体の（Ｒ）体も含まれる。
【００３１】
また、上記一般式（１）又は一般式（２）において、Ｒ６がメトキシメチル基である化合物としては、例えば、（Ｓ）−（−）−１−（２−メチルフェニル）−メトキシエチル−１−マレイミド、（Ｓ）−（−）−１−（３−メチルフェニル）−メトキシエチル−１−マレイミド、（Ｓ）−（−）−１−（４−メチルフェニル）−メトキシエチル−１−マレイミド、（Ｓ）−（−）−１−（２，３−ジメチルフェニル）−メトキシエチル−１−マレイミド、（Ｓ）−（−）−１−（２，４−ジメチルフェニル）−メトキシエチル−１−マレイミド、（Ｓ）−（−）−１−（２，５−ジメチルフェニル）−メトキシエチル−１−マレイミド、（Ｓ）−（−）−１−（２，６−ジメチルフェニル）−メトキシエチル−１−マレイミド、（Ｓ）−（−）−１−（３，４−ジメチルフェニル）−メトキシエチル−１−マレイミド、（Ｓ）−（−）−１−（３，５−ジメチルフェニル）−メトキシエチル−１−マレイミド、（Ｓ）−（−）−１−（２，４，６−トリメチルフェニル）−メトキシエチル−１−マレイミド、（Ｓ）−（−）−１−（２，３，４，５−テトラメチルフェニル）−メトキシエチル−１−マレイミド、（Ｓ）−（−）−１−（２，３，４，６−テトラメチルフェニル）−メトキシエチル−１−マレイミド、（Ｓ）−（−）−１−（２，３，５，６−テトラメチルフェニル）−メトキシエチル−１−マレイミド、（Ｓ）−（−）−１−（２，３，４，５，６−ペンタメチルフェニル）−メトキシエチル−１−マレイミド、（Ｓ）−（−）−１−（２−エチルフェニル）−メトキシエチル−１−マレイミド、（Ｓ）−（−）−１−（３−エチルフェニル）−メトキシエチル−１−マレイミド、（Ｓ）−（−）−１−（４−エチルフェニル）−メトキシエチル−１−マレイミド、（Ｓ）−（−）−１−（２，３−ジエチルフェニル）−メトキシエチル−１−マレイミド、（Ｓ）−（−）−１−（２，４−ジエチルフェニル）−メトキシエチル−１−マレイミド、（Ｓ）−（−）−１−（２，５−ジエチルフェニル）−メトキシエチル−１−マレイミド、（Ｓ）−（−）−１−（２，６−ジエチルフェニル）−メトキシエチル−１−マレイミド、（Ｓ）−（−）−１−（３，４−ジエチルフェニル）−メトキシエチル−１−マレイミド、（Ｓ）−（−）−１−（３，５−ジエチルフェニル）−メトキシエチル−１−マレイミド、（Ｓ）−（−）−１−（２，４，６−トリエチルフェニル）−メトキシエチル−１−マレイミド、（Ｓ）−（−）−１−（２，３，４，５−テトラエチルフェニル）−メトキシエチル−１−マレイミド、（Ｓ）−（−）−１−（２，３，４，６−テトラエチルフェニル）−メトキシエチル−１−マレイミド、（Ｓ）−（−）−１−（２，３，５，６−テトラエチルフェニル）−メトキシエチル−１−マレイミド、（Ｓ）−（−）−１−（２，３，４，５，６−ペンタエチルフェニル）−メトキシエチル−１−マレイミド、（Ｓ）−（−）−１−（２−ｎ−プロピルフェニル）−メトキシエチル−１−マレイミド、（Ｓ）−（−）−１−（３−ｎ−プロピルフェニル）−メトキシエチル−１−マレイミド、（Ｓ）−（−）−１−（４−ｎ−プロピルフェニル）−メトキシエチル−１−マレイミド、（Ｓ）−（−）−１−（２，３−ジ−ｎ−プロピルフェニル）−メトキシエチル−１−マレイミド、（Ｓ）−（−）−１−（２，４−ジ−ｎ−プロピルフェニル）−メトキシエチル−１−マレイミド、（Ｓ）−（−）−１−（２，５−ジ−ｎ−プロピルフェニル）−メトキシエチル−１−マレイミド、（Ｓ）−（−）−１−（２，６−ジ−ｎ−プロピルフェニル）−メトキシエチル−１−マレイミド、（Ｓ）−（−）−１−（３，４−ジ−ｎ−プロピルフェニル）−メトキシエチル−１−マレイミド、（Ｓ）−（−）−１−（３，５−ジ−ｎ−プロピルフェニル）−メトキシエチル−１−マレイミド、（Ｓ）−（−）−１−（２，４，６−トリ−ｎ−プロピルフェニル）−メトキシエチル−１−マレイミド、（Ｓ）−（−）−１−（２，３，４，５−テトラ−ｎ−プロピルフェニル）−メトキシエチル−１−マレイミド、（Ｓ）−（−）−１−（２，３，４，６−テトラ−ｎ−プロピルフェニル）−メトキシエチル−１−マレイミド、（Ｓ）−（−）−１−（２，３，５，６−テトラ−ｎ−プロピルフェニル）−メトキシエチル−１−マレイミド、（Ｓ）−（−）−１−（２，３，４，５，６−ペンタ−ｎ−プロピルフェニル）−メトキシエチル−１−マレイミド、（Ｓ）−（−）−１−（２−ｉ−プロピルフェニル）−メトキシエチル−１−マレイミド、（Ｓ）−（−）−１−（３−ｉ−プロピルフェニル）−メトキシエチル−１−マレイミド、（Ｓ）−（−）−１−（４−ｉ−プロピルフェニル）−メトキシエチル−１−マレイミド、（Ｓ）−（−）−１−（２，３−ジ−ｉ−プロピルフェニル）−メトキシエチル−１−マレイミド、（Ｓ）−（−）−１−（２，４−ジ−ｉ−プロピルフェニル）−メトキシエチル−１−マレイミド、（Ｓ）−（−）−１−（２，５−ジ−ｉ−プロピルフェニル）−メトキシエチル−１−マレイミド、（Ｓ）−（−）−１−（２，６−ジ−ｉ−プロピルフェニル）−メトキシエチル−１−マレイミド、（Ｓ）−（−）−１−（３，４−ジ−ｉ−プロピルフェニル）−メトキシエチル−１−マレイミド、（Ｓ）−（−）−１−（３，５−ジ−ｉ−プロピルフェニル）−メトキシエチル−１−マレイミド、（Ｓ）−（−）−１−（２，４，６−トリ−ｉ−プロピルフェニル）−メトキシエチル−１−マレイミド、（Ｓ）−（−）−１−（２，３，４，５−テトラ−ｉ−プロピルフェニル）−メトキシエチル−１−マレイミド、（Ｓ）−（−）−１−（２，３，４，６−テトラ−ｉ−プロピルフェニル）−メトキシエチル−１−マレイミド、（Ｓ）−（−）−１−（２，３，５，６−テトラ−ｉ−プロピルフェニル）−メトキシエチル−１−マレイミド、（Ｓ）−（−）−１−（２，３，４，５，６−ペンタ−ｉ−プロピルフェニル）−メトキシエチル−１−マレイミド、（Ｓ）−（−）−１−（２−ｎ−ブチルフェニル）−メトキシエチル−１−マレイミド、（Ｓ）−（−）−１−（３−ｎ−ブチルフェニル）−メトキシエチル−１−マレイミド、（Ｓ）−（−）−１−（４−ｎ−ブチルフェニル）−メトキシエチル−１−マレイミド、（Ｓ）−（−）−１−（２，３−ジ−ｎ−ブチルフェニル）−メトキシエチル−１−マレイミド、（Ｓ）−（−）−１−（２，４−ジ−ｎ−ブチルフェニル）−メトキシエチル−１−マレイミド、（Ｓ）−（−）−１−（２，５−ジ−ｎ−ブチルフェニル）−メトキシエチル−１−マレイミド、（Ｓ）−（−）−１−（２，６−ジ−ｎ−ブチルフェニル）−メトキシエチル−１−マレイミド、（Ｓ）−（−）−１−（３，４−ジ−ｎ−ブチルフェニル）−メトキシエチル−１−マレイミド、（Ｓ）−（−）−１−（３，５−ジ−ｎ−ブチルフェニル）−メトキシエチル−１−マレイミド、（Ｓ）−（−）−１−（２，４，６−トリ−ｎ−ブチルフェニル）−メトキシエチル−１−マレイミド、（Ｓ）−（−）−１−（２，３，４，５−テトラ−ｎ−ブチルフェニル）−メトキシエチル−１−マレイミド、（Ｓ）−（−）−１−（２，３，４，６−テトラ−ｎ−ブチルフェニル）−メトキシエチル−１−マレイミド、（Ｓ）−（−）−１−（２，３，５，６−テトラ−ｎ−ブチルフェニル）−メトキシエチル−１−マレイミド、（Ｓ）−（−）−１−（２，３，４，５，６−ペンタ−ｎ−ブチルフェニル）−メトキシエチル−１−マレイミド、（Ｓ）−（−）−１−（２−ｉ−ブチルフェニル）−メトキシエチル−１−マレイミド、（Ｓ）−（−）−１−（３−ｉ−ブチルフェニル）−メトキシエチル−１−マレイミド、（Ｓ）−（−）−１−（４−ｉ−ブチルフェニル）−メトキシエチル−１−マレイミド、（Ｓ）−（−）−１−（２，３−ジ−ｉ−ブチルフェニル）−メトキシエチル−１−マレイミド、（Ｓ）−（−）−１−（２，４−ジ−ｉ−ブチルフェニル）−メトキシエチル−１−マレイミド、（Ｓ）−（−）−１−（２，５−ジ−ｉ−ブチルフェニル）−メトキシエチル−１−マレイミド、（Ｓ）−（−）−１−（２，６−ジ−ｉ−ブチルフェニル）−メトキシエチル−１−マレイミド、（Ｓ）−（−）−１−（３，４−ジ−ｉ−ブチルフェニル）−メトキシエチル−１−マレイミド、（Ｓ）−（−）−１−（３，５−ジ−ｉ−ブチルフェニル）−メトキシエチル−１−マレイミド、（Ｓ）−（−）−１−（２，４，６−トリ−ｉ−ブチルフェニル）−メトキシエチル−１−マレイミド、（Ｓ）−（−）−１−（２，３，４，５−テトラ−ｉ−ブチルフェニル）−メトキシエチル−１−マレイミド、（Ｓ）−（−）−１−（２，３，４，６−テトラ−ｉ−ブチルフェニル）−メトキシエチル−１−マレイミド、（Ｓ）−（−）−１−（２，３，５，６−テトラ−ｉ−ブチルフェニル）−メトキシエチル−１−マレイミド、（Ｓ）−（−）−１−（２，３，４，５，６−ペンタ−ｉ−ブチルフェニル）−メトキシエチル−１−マレイミド、（Ｓ）−（−）−１−（２−ｔ−ブチルフェニル）−メトキシエチル−１−マレイミド、（Ｓ）−（−）−１−（３−ｔ−ブチルフェニル）−メトキシエチル−１−マレイミド、（Ｓ）−（−）−１−（４−ｔ−ブチルフェニル）−メトキシエチル−１−マレイミド、（Ｓ）−（−）−１−（２，３−ジ−ｔ−ブチルフェニル）−メトキシエチル−１−マレイミド、（Ｓ）−（−）−１−（２，４−ジ−ｔ−ブチルフェニル）−メトキシエチル−１−マレイミド、（Ｓ）−（−）−１−（２，５−ジ−ｔ−ブチルフェニル）−メトキシエチル−１−マレイミド、（Ｓ）−（−）−１−（２，６−ジ−ｔ−ブチルフェニル）−メトキシエチル−１−マレイミド、（Ｓ）−（−）−１−（３，４−ジ−ｔ−ブチルフェニル）−メトキシエチル−１−マレイミド、（Ｓ）−（−）−１−（３，５−ジ−ｔ−ブチルフェニル）−メトキシエチル−１−マレイミド、（Ｓ）−（−）−１−（２，４，６−トリ−ｔ−ブチルフェニル）−メトキシエチル−１−マレイミド、（Ｓ）−（−）−１−（２，３，４，５−テトラ−ｔ−ブチルフェニル）−メトキシエチル−１−マレイミド、（Ｓ）−（−）−１−（２，３，４，６−テトラ−ｔ−ブチルフェニル）−メトキシエチル−１−マレイミド、（Ｓ）−（−）−１−（２，３，５，６−テトラ−ｔ−ブチルフェニル）−メトキシエチル−１−マレイミド、（Ｓ）−（−）−１−（２，３，４，５，６−ペンタ−ｔ−ブチルフェニル）−メトキシエチル−１−マレイミド、（Ｓ）−（−）−１−（２−メトキシフェニル）−メトキシエチル−１−マレイミド、（Ｓ）−（−）−１−（３−メトキシフェニル）−メトキシエチル−１−マレイミド、（Ｓ）−（−）−１−（４−メトキシフェニル）−メトキシエチル−１−マレイミド、（Ｓ）−（−）−１−（２、３−ジメトキシフェニル）−メトキシエチル−１−マレイミド、（Ｓ）−（−）−１−（２、４−ジメトキシフェニル）−メトキシエチル−１−マレイミド、（Ｓ）−（−）−１−（２、５−ジメトキシフェニル）−メトキシエチル−１−マレイミド、（Ｓ）−（−）−１−（２、６−ジメトキシフェニル）−メトキシエチル−１−マレイミド、（Ｓ）−（−）−１−（３、４−ジメトキシフェニル）−メトキシエチル−１−マレイミド、（Ｓ）−（−）−１−（３、５−ジメトキシフェニル）−メトキシエチル−１−マレイミド、（Ｓ）−（−）−１−（２、４、６−トリメトキシフェニル）−メトキシエチル−１−マレイミド、（Ｓ）−（−）−１−（２、３、４、５−テトラメトキシフェニル）−メトキシエチル−１−マレイミド、（Ｓ）−（−）−１−（２、３、４、６−テトラメトキシフェニル）−メトキシエチル−１−マレイミド、（Ｓ）−（−）−１−（２、３、５、６−テトラメトキシフェニル）−メトキシエチル−１−マレイミド、（Ｓ）−（−）−１−（２、３、４、５、６−ペンタメトキシフェニル）−メトキシエチル−１−マレイミド、（Ｓ）−（−）−１−（２−エトキシフェニル）−メトキシエチル−１−マレイミド、（Ｓ）−（−）−１−（３−エトキシフェニル）−メトキシエチル−１−マレイミド、（Ｓ）−（−）−１−（４−エトキシフェニル）−メトキシエチル−１−マレイミド、（Ｓ）−（−）−１−（２、３−ジエトキシフェニル）−メトキシエチル−１−マレイミド、（Ｓ）−（−）−１−（２、４−ジエトキシフェニル）−メトキシエチル−１−マレイミド、（Ｓ）−（−）−１−（２、５−ジエトキシフェニル）−メトキシエチル−１−マレイミド、（Ｓ）−（−）−１−（２、６−ジエトキシフェニル）−メトキシエチル−１−マレイミド、（Ｓ）−（−）−１−（３、４−ジエトキシフェニル）−メトキシエチル−１−マレイミド、（Ｓ）−（−）−１−（３、５−ジエトキシフェニル）−メトキシエチル−１−マレイミド、（Ｓ）−（−）−１−（２、４、６−トリエトキシフェニル）−メトキシエチル−１−マレイミド、（Ｓ）−（−）−１−（２、３、４、５−テトラエトキシフェニル）−メトキシエチル−１−マレイミド、（Ｓ）−（−）−１−（２、３、４、６−テトラエトキシフェニル）−メトキシエチル−１−マレイミド、（Ｓ）−（−）−１−（２、３、５、６−テトラエトキシフェニル）−メトキシエチル−１−マレイミド、（Ｓ）−（−）−１−（２、３、４、５、６−ペンタエトキシフェニル）−メトキシエチル−１−マレイミド等が挙げられ、これら（Ｓ）体と鏡像体の（Ｒ）体も含まれる。
【００３２】
また、上記一般式（１）又は一般式（２）において、Ｒ６がメトキシエチル基である化合物としては、例えば、（Ｓ）−（−）−１−（２−メチルフェニル）−メトキシプロピル−１−マレイミド、（Ｓ）−（−）−１−（３−メチルフェニル）−メトキシプロピル−１−マレイミド、（Ｓ）−（−）−１−（４−メチルフェニル）−メトキシプロピル−１−マレイミド、（Ｓ）−（−）−１−（２，３−ジメチルフェニル）−メトキシプロピル−１−マレイミド、（Ｓ）−（−）−１−（２，４−ジメチルフェニル）−メトキシプロピル−１−マレイミド、（Ｓ）−（−）−１−（２，５−ジメチルフェニル）−メトキシプロピル−１−マレイミド、（Ｓ）−（−）−１−（２，６−ジメチルフェニル）−メトキシプロピル−１−マレイミド、（Ｓ）−（−）−１−（３，４−ジメチルフェニル）−メトキシプロピル−１−マレイミド、（Ｓ）−（−）−１−（３，５−ジメチルフェニル）−メトキシプロピル−１−マレイミド、（Ｓ）−（−）−１−（２，４，６−トリメチルフェニル）−メトキシプロピル−１−マレイミド、（Ｓ）−（−）−１−（２，３，４，５−テトラメチルフェニル）−メトキシプロピル−１−マレイミド、（Ｓ）−（−）−１−（２，３，４，６−テトラメチルフェニル）−メトキシプロピル−１−マレイミド、（Ｓ）−（−）−１−（２，３，５，６−テトラメチルフェニル）−メトキシプロピル−１−マレイミド、（Ｓ）−（−）−１−（２，３，４，５，６−ペンタメチルフェニル）−メトキシプロピル−１−マレイミド、（Ｓ）−（−）−１−（２−エチルフェニル）−メトキシプロピル−１−マレイミド、（Ｓ）−（−）−１−（３−エチルフェニル）−メトキシプロピル−１−マレイミド、（Ｓ）−（−）−１−（４−エチルフェニル）−メトキシプロピル−１−マレイミド、（Ｓ）−（−）−１−（２，３−ジエチルフェニル）−メトキシプロピル−１−マレイミド、（Ｓ）−（−）−１−（２，４−ジエチルフェニル）−メトキシプロピル−１−マレイミド、（Ｓ）−（−）−１−（２，５−ジエチルフェニル）−メトキシプロピル−１−マレイミド、（Ｓ）−（−）−１−（２，６−ジエチルフェニル）−メトキシプロピル−１−マレイミド、（Ｓ）−（−）−１−（３，４−ジエチルフェニル）−メトキシプロピル−１−マレイミド、（Ｓ）−（−）−１−（３，５−ジエチルフェニル）−メトキシプロピル−１−マレイミド、（Ｓ）−（−）−１−（２，４，６−トリエチルフェニル）−メトキシプロピル−１−マレイミド、（Ｓ）−（−）−１−（２，３，４，５−テトラエチルフェニル）−メトキシプロピル−１−マレイミド、（Ｓ）−（−）−１−（２，３，４，６−テトラエチルフェニル）−メトキシプロピル−１−マレイミド、（Ｓ）−（−）−１−（２，３，５，６−テトラエチルフェニル）−メトキシプロピル−１−マレイミド、（Ｓ）−（−）−１−（２，３，４，５，６−ペンタエチルフェニル）−メトキシプロピル−１−マレイミド、（Ｓ）−（−）−１−（２−ｎ−プロピルフェニル）−メトキシプロピル−１−マレイミド、（Ｓ）−（−）−１−（３−ｎ−プロピルフェニル）−メトキシプロピル−１−マレイミド、（Ｓ）−（−）−１−（４−ｎ−プロピルフェニル）−メトキシプロピル−１−マレイミド、（Ｓ）−（−）−１−（２，３−ジ−ｎ−プロピルフェニル）−メトキシプロピル−１−マレイミド、（Ｓ）−（−）−１−（２，４−ジ−ｎ−プロピルフェニル）−メトキシプロピル−１−マレイミド、（Ｓ）−（−）−１−（２，５−ジ−ｎ−プロピルフェニル）−メトキシプロピル−１−マレイミド、（Ｓ）−（−）−１−（２，６−ジ−ｎ−プロピルフェニル）−メトキシプロピル−１−マレイミド、（Ｓ）−（−）−１−（３，４−ジ−ｎ−プロピルフェニル）−メトキシプロピル−１−マレイミド、（Ｓ）−（−）−１−（３，５−ジ−ｎ−プロピルフェニル）−メトキシプロピル−１−マレイミド、（Ｓ）−（−）−１−（２，４，６−トリ−ｎ−プロピルフェニル）−メトキシプロピル−１−マレイミド、（Ｓ）−（−）−１−（２，３，４，５−テトラ−ｎ−プロピルフェニル）−メトキシプロピル−１−マレイミド、（Ｓ）−（−）−１−（２，３，４，６−テトラ−ｎ−プロピルフェニル）−メトキシプロピル−１−マレイミド、（Ｓ）−（−）−１−（２，３，５，６−テトラ−ｎ−プロピルフェニル）−メトキシプロピル−１−マレイミド、（Ｓ）−（−）−１−（２，３，４，５，６−ペンタ−ｎ−プロピルフェニル）−メトキシプロピル−１−マレイミド、（Ｓ）−（−）−１−（２−ｉ−プロピルフェニル）−メトキシプロピル−１−マレイミド、（Ｓ）−（−）−１−（３−ｉ−プロピルフェニル）−メトキシプロピル−１−マレイミド、（Ｓ）−（−）−１−（４−ｉ−プロピルフェニル）−メトキシプロピル−１−マレイミド、（Ｓ）−（−）−１−（２，３−ジ−ｉ−プロピルフェニル）−メトキシプロピル−１−マレイミド、（Ｓ）−（−）−１−（２，４−ジ−ｉ−プロピルフェニル）−メトキシプロピル−１−マレイミド、（Ｓ）−（−）−１−（２，５−ジ−ｉ−プロピルフェニル）−メトキシプロピル−１−マレイミド、（Ｓ）−（−）−１−（２，６−ジ−ｉ−プロピルフェニル）−メトキシプロピル−１−マレイミド、（Ｓ）−（−）−１−（３，４−ジ−ｉ−プロピルフェニル）−メトキシプロピル−１−マレイミド、（Ｓ）−（−）−１−（３，５−ジ−ｉ−プロピルフェニル）−メトキシプロピル−１−マレイミド、（Ｓ）−（−）−１−（２，４，６−トリ−ｉ−プロピルフェニル）−メトキシプロピル−１−マレイミド、（Ｓ）−（−）−１−（２，３，４，５−テトラ−ｉ−プロピルフェニル）−メトキシプロピル−１−マレイミド、（Ｓ）−（−）−１−（２，３，４，６−テトラ−ｉ−プロピルフェニル）−メトキシプロピル−１−マレイミド、（Ｓ）−（−）−１−（２，３，５，６−テトラ−ｉ−プロピルフェニル）−メトキシプロピル−１−マレイミド、（Ｓ）−（−）−１−（２，３，４，５，６−ペンタ−ｉ−プロピルフェニル）−メトキシプロピル−１−マレイミド、（Ｓ）−（−）−１−（２−ｎ−ブチルフェニル）−メトキシプロピル−１−マレイミド、（Ｓ）−（−）−１−（３−ｎ−ブチルフェニル）−メトキシプロピル−１−マレイミド、（Ｓ）−（−）−１−（４−ｎ−ブチルフェニル）−メトキシプロピル−１−マレイミド、（Ｓ）−（−）−１−（２，３−ジ−ｎ−ブチルフェニル）−メトキシプロピル−１−マレイミド、（Ｓ）−（−）−１−（２，４−ジ−ｎ−ブチルフェニル）−メトキシプロピル−１−マレイミド、（Ｓ）−（−）−１−（２，５−ジ−ｎ−ブチルフェニル）−メトキシプロピル−１−マレイミド、（Ｓ）−（−）−１−（２，６−ジ−ｎ−ブチルフェニル）−メトキシプロピル−１−マレイミド、（Ｓ）−（−）−１−（３，４−ジ−ｎ−ブチルフェニル）−メトキシプロピル−１−マレイミド、（Ｓ）−（−）−１−（３，５−ジ−ｎ−ブチルフェニル）−メトキシプロピル−１−マレイミド、（Ｓ）−（−）−１−（２，４，６−トリ−ｎ−ブチルフェニル）−メトキシプロピル−１−マレイミド、（Ｓ）−（−）−１−（２，３，４，５−テトラ−ｎ−ブチルフェニル）−メトキシプロピル−１−マレイミド、（Ｓ）−（−）−１−（２，３，４，６−テトラ−ｎ−ブチルフェニル）−メトキシプロピル−１−マレイミド、（Ｓ）−（−）−１−（２，３，５，６−テトラ−ｎ−ブチルフェニル）−メトキシプロピル−１−マレイミド、（Ｓ）−（−）−１−（２，３，４，５，６−ペンタ−ｎ−ブチルフェニル）−メトキシプロピル−１−マレイミド、（Ｓ）−（−）−１−（２−ｉ−ブチルフェニル）−メトキシプロピル−１−マレイミド、（Ｓ）−（−）−１−（３−ｉ−ブチルフェニル）−メトキシプロピル−１−マレイミド、（Ｓ）−（−）−１−（４−ｉ−ブチルフェニル）−メトキシプロピル−１−マレイミド、（Ｓ）−（−）−１−（２，３−ジ−ｉ−ブチルフェニル）−メトキシプロピル−１−マレイミド、（Ｓ）−（−）−１−（２，４−ジ−ｉ−ブチルフェニル）−メトキシプロピル−１−マレイミド、（Ｓ）−（−）−１−（２，５−ジ−ｉ−ブチルフェニル）−メトキシプロピル−１−マレイミド、（Ｓ）−（−）−１−（２，６−ジ−ｉ−ブチルフェニル）−メトキシプロピル−１−マレイミド、（Ｓ）−（−）−１−（３，４−ジ−ｉ−ブチルフェニル）−メトキシプロピル−１−マレイミド、（Ｓ）−（−）−１−（３，５−ジ−ｉ−ブチルフェニル）−メトキシプロピル−１−マレイミド、（Ｓ）−（−）−１−（２，４，６−トリ−ｉ−ブチルフェニル）−メトキシプロピル−１−マレイミド、（Ｓ）−（−）−１−（２，３，４，５−テトラ−ｉ−ブチルフェニル）−メトキシプロピル−１−マレイミド、（Ｓ）−（−）−１−（２，３，４，６−テトラ−ｉ−ブチルフェニル）−メトキシプロピル−１−マレイミド、（Ｓ）−（−）−１−（２，３，５，６−テトラ−ｉ−ブチルフェニル）−メトキシプロピル−１−マレイミド、（Ｓ）−（−）−１−（２，３，４，５，６−ペンタ−ｉ−ブチルフェニル）−メトキシプロピル−１−マレイミド、（Ｓ）−（−）−１−（２−ｔ−ブチルフェニル）−メトキシプロピル−１−マレイミド、（Ｓ）−（−）−１−（３−ｔ−ブチルフェニル）−メトキシプロピル−１−マレイミド、（Ｓ）−（−）−１−（４−ｔ−ブチルフェニル）−メトキシプロピル−１−マレイミド、（Ｓ）−（−）−１−（２，３−ジ−ｔ−ブチルフェニル）−メトキシプロピル−１−マレイミド、（Ｓ）−（−）−１−（２，４−ジ−ｔ−ブチルフェニル）−メトキシプロピル−１−マレイミド、（Ｓ）−（−）−１−（２，５−ジ−ｔ−ブチルフェニル）−メトキシプロピル−１−マレイミド、（Ｓ）−（−）−１−（２，６−ジ−ｔ−ブチルフェニル）−メトキシプロピル−１−マレイミド、（Ｓ）−（−）−１−（３，４−ジ−ｔ−ブチルフェニル）−メトキシプロピル−１−マレイミド、（Ｓ）−（−）−１−（３，５−ジ−ｔ−ブチルフェニル）−メトキシプロピル−１−マレイミド、（Ｓ）−（−）−１−（２，４，６−トリ−ｔ−ブチルフェニル）−メトキシプロピル−１−マレイミド、（Ｓ）−（−）−１−（２，３，４，５−テトラ−ｔ−ブチルフェニル）−メトキシプロピル−１−マレイミド、（Ｓ）−（−）−１−（２，３，４，６−テトラ−ｔ−ブチルフェニル）−メトキシプロピル−１−マレイミド、（Ｓ）−（−）−１−（２，３，５，６−テトラ−ｔ−ブチルフェニル）−メトキシプロピル−１−マレイミド、（Ｓ）−（−）−１−（２，３，４，５，６−ペンタ−ｔ−ブチルフェニル）−メトキシプロピル−１−マレイミド、（Ｓ）−（−）−１−（２−メトキシフェニル）−メトキシプロピル−１−マレイミド、（Ｓ）−（−）−１−（３−メトキシフェニル）−メトキシプロピル−１−マレイミド、（Ｓ）−（−）−１−（４−メトキシフェニル）−メトキシプロピル−１−マレイミド、（Ｓ）−（−）−１−（２，３−ジメトキシフェニル）−メトキシプロピル−１−マレイミド、（Ｓ）−（−）−１−（２，４−ジメトキシフェニル）−メトキシプロピル−１−マレイミド、（Ｓ）−（−）−１−（２，５−ジメトキシフェニル）−メトキシプロピル−１−マレイミド、（Ｓ）−（−）−１−（２，６−ジメトキシフェニル）−メトキシプロピル−１−マレイミド、（Ｓ）−（−）−１−（３，４−ジメトキシフェニル）−メトキシプロピル−１−マレイミド、（Ｓ）−（−）−１−（３，５−ジメトキシフェニル）−メトキシプロピル−１−マレイミド、（Ｓ）−（−）−１−（２，４，６−トリメトキシフェニル）−メトキシプロピル−１−マレイミド、（Ｓ）−（−）−１−（２，３，４，５−テトラメトキシフェニル）−メトキシプロピル−１−マレイミド、（Ｓ）−（−）−１−（２，３，４，６−テトラメトキシフェニル）−メトキシプロピル−１−マレイミド、（Ｓ）−（−）−１−（２，３，５，６−テトラメトキシフェニル）−メトキシプロピル−１−マレイミド、（Ｓ）−（−）−１−（２，３，４，５，６−ペンタメトキシフェニル）−メトキシプロピル−１−マレイミド、（Ｓ）−（−）−１−（２−エトキシフェニル）−メトキシプロピル−１−マレイミド、（Ｓ）−（−）−１−（３−エトキシフェニル）−メトキシプロピル−１−マレイミド、（Ｓ）−（−）−１−（４−エトキシフェニル）−メトキシプロピル−１−マレイミド、（Ｓ）−（−）−１−（２，３−ジエトキシフェニル）−メトキシプロピル−１−マレイミド、（Ｓ）−（−）−１−（２，４−ジエトキシフェニル）−メトキシプロピル−１−マレイミド、（Ｓ）−（−）−１−（２，５−ジエトキシフェニル）−メトキシプロピル−１−マレイミド、（Ｓ）−（−）−１−（２，６−ジエトキシフェニル）−メトキシプロピル−１−マレイミド、（Ｓ）−（−）−１−（３，４−ジエトキシフェニル）−メトキシプロピル−１−マレイミド、（Ｓ）−（−）−１−（３，５−ジエトキシフェニル）−メトキシプロピル−１−マレイミド、（Ｓ）−（−）−１−（２，４，６−トリエトキシフェニル）−メトキシプロピル−１−マレイミド、（Ｓ）−（−）−１−（２，３，４，５−テトラエトキシフェニル）−メトキシプロピル−１−マレイミド、（Ｓ）−（−）−１−（２，３，４，６−テトラエトキシフェニル）−メトキシプロピル−１−マレイミド、（Ｓ）−（−）−１−（２，３，５，６−テトラエトキシフェニル）−メトキシプロピル−１−マレイミド、（Ｓ）−（−）−１−（２，３，４，５，６−ペンタエトキシフェニル）−メトキシプロピル−１−マレイミド等が挙げられ、これら（Ｓ）体と鏡像体の（Ｒ）体も含まれる。
【００３３】
また、上記一般式（１）又は一般式（２）において、Ｒ６がエトキシメチル基である化合物としては、例えば、（Ｓ）−（−）−１−（２−メチルフェニル）−エトキシエチル−１−マレイミド、（Ｓ）−（−）−１−（３−メチルフェニル）−エトキシエチル−１−マレイミド、（Ｓ）−（−）−１−（４−メチルフェニル）−エトキシエチル−１−マレイミド、（Ｓ）−（−）−１−（２，３−ジメチルフェニル）−エトキシエチル−１−マレイミド、（Ｓ）−（−）−１−（２，４−ジメチルフェニル）−エトキシエチル−１−マレイミド、（Ｓ）−（−）−１−（２，５−ジメチルフェニル）−エトキシエチル−１−マレイミド、（Ｓ）−（−）−１−（２，６−ジメチルフェニル）−エトキシエチル−１−マレイミド、（Ｓ）−（−）−１−（３，４−ジメチルフェニル）−エトキシエチル−１−マレイミド、（Ｓ）−（−）−１−（３，５−ジメチルフェニル）−エトキシエチル−１−マレイミド、（Ｓ）−（−）−１−（２，４，６−トリメチルフェニル）−エトキシエチル−１−マレイミド、（Ｓ）−（−）−１−（２，３，４，５−テトラメチルフェニル）−エトキシエチル−１−マレイミド、（Ｓ）−（−）−１−（２，３，４，６−テトラメチルフェニル）−エトキシエチル−１−マレイミド、（Ｓ）−（−）−１−（２，３，５，６−テトラメチルフェニル）−エトキシエチル−１−マレイミド、（Ｓ）−（−）−１−（２，３，４，５，６−ペンタメチルフェニル）−エトキシエチル−１−マレイミド、（Ｓ）−（−）−１−（２−エチルフェニル）−エトキシエチル−１−マレイミド、（Ｓ）−（−）−１−（３−エチルフェニル）−エトキシエチル−１−マレイミド、（Ｓ）−（−）−１−（４−エチルフェニル）−エトキシエチル−１−マレイミド、（Ｓ）−（−）−１−（２，３−ジエチルフェニル）−エトキシエチル−１−マレイミド、（Ｓ）−（−）−１−（２，４−ジエチルフェニル）−エトキシエチル−１−マレイミド、（Ｓ）−（−）−１−（２，５−ジエチルフェニル）−エトキシエチル−１−マレイミド、（Ｓ）−（−）−１−（２，６−ジエチルフェニル）−エトキシエチル−１−マレイミド、（Ｓ）−（−）−１−（３，４−ジエチルフェニル）−エトキシエチル−１−マレイミド、（Ｓ）−（−）−１−（３，５−ジエチルフェニル）−エトキシエチル−１−マレイミド、（Ｓ）−（−）−１−（２，４，６−トリエチルフェニル）−エトキシエチル−１−マレイミド、（Ｓ）−（−）−１−（２，３，４，５−テトラエチルフェニル）−エトキシエチル−１−マレイミド、（Ｓ）−（−）−１−（２，３，４，６−テトラエチルフェニル）−エトキシエチル−１−マレイミド、（Ｓ）−（−）−１−（２，３，５，６−テトラエチルフェニル）−エトキシエチル−１−マレイミド、（Ｓ）−（−）−１−（２，３，４，５，６−ペンタエチルフェニル）−エトキシエチル−１−マレイミド、（Ｓ）−（−）−１−（２−ｎ−プロピルフェニル）−エトキシエチル−１−マレイミド、（Ｓ）−（−）−１−（３−ｎ−プロピルフェニル）−エトキシエチル−１−マレイミド、（Ｓ）−（−）−１−（４−ｎ−プロピルフェニル）−エトキシエチル−１−マレイミド、（Ｓ）−（−）−１−（２，３−ジ−ｎ−プロピルフェニル）−エトキシエチル−１−マレイミド、（Ｓ）−（−）−１−（２，４−ジ−ｎ−プロピルフェニル）−エトキシエチル−１−マレイミド、（Ｓ）−（−）−１−（２，５−ジ−ｎ−プロピルフェニル）−エトキシエチル−１−マレイミド、（Ｓ）−（−）−１−（２，６−ジ−ｎ−プロピルフェニル）−エトキシエチル−１−マレイミド、（Ｓ）−（−）−１−（３，４−ジ−ｎ−プロピルフェニル）−エトキシエチル−１−マレイミド、（Ｓ）−（−）−１−（３，５−ジ−ｎ−プロピルフェニル）−エトキシエチル−１−マレイミド、（Ｓ）−（−）−１−（２，４，６−トリ−ｎ−プロピルフェニル）−エトキシエチル−１−マレイミド、（Ｓ）−（−）−１−（２，３，４，５−テトラ−ｎ−プロピルフェニル）−エトキシエチル−１−マレイミド、（Ｓ）−（−）−１−（２，３，４，６−テトラ−ｎ−プロピルフェニル）−エトキシエチル−１−マレイミド、（Ｓ）−（−）−１−（２，３，５，６−テトラ−ｎ−プロピルフェニル）−エトキシエチル−１−マレイミド、（Ｓ）−（−）−１−（２，３，４，５，６−ペンタ−ｎ−プロピルフェニル）−エトキシエチル−１−マレイミド、（Ｓ）−（−）−１−（２−ｉ−プロピルフェニル）−エトキシエチル−１−マレイミド、（Ｓ）−（−）−１−（３−ｉ−プロピルフェニル）−エトキシエチル−１−マレイミド、（Ｓ）−（−）−１−（４−ｉ−プロピルフェニル）−エトキシエチル−１−マレイミド、（Ｓ）−（−）−１−（２，３−ジ−ｉ−プロピルフェニル）−エトキシエチル−１−マレイミド、（Ｓ）−（−）−１−（２，４−ジ−ｉ−プロピルフェニル）−エトキシエチル−１−マレイミド、（Ｓ）−（−）−１−（２，５−ジ−ｉ−プロピルフェニル）−エトキシエチル−１−マレイミド、（Ｓ）−（−）−１−（２，６−ジ−ｉ−プロピルフェニル）−エトキシエチル−１−マレイミド、（Ｓ）−（−）−１−（３，４−ジ−ｉ−プロピルフェニル）−エトキシエチル−１−マレイミド、（Ｓ）−（−）−１−（３，５−ジ−ｉ−プロピルフェニル）−エトキシエチル−１−マレイミド、（Ｓ）−（−）−１−（２，４，６−トリ−ｉ−プロピルフェニル）−エトキシエチル−１−マレイミド、（Ｓ）−（−）−１−（２，３，４，５−テトラ−ｉ−プロピルフェニル）−エトキシエチル−１−マレイミド、（Ｓ）−（−）−１−（２，３，４，６−テトラ−ｉ−プロピルフェニル）−エトキシエチル−１−マレイミド、（Ｓ）−（−）−１−（２，３，５，６−テトラ−ｉ−プロピルフェニル）−エトキシエチル−１−マレイミド、（Ｓ）−（−）−１−（２，３，４，５，６−ペンタ−ｉ−プロピルフェニル）−エトキシエチル−１−マレイミド、（Ｓ）−（−）−１−（２−ｎ−ブチルフェニル）−エトキシエチル−１−マレイミド、（Ｓ）−（−）−１−（３−ｎ−ブチルフェニル）−エトキシエチル−１−マレイミド、（Ｓ）−（−）−１−（４−ｎ−ブチルフェニル）−エトキシエチル−１−マレイミド、（Ｓ）−（−）−１−（２，３−ジ−ｎ−ブチルフェニル）−エトキシエチル−１−マレイミド、（Ｓ）−（−）−１−（２，４−ジ−ｎ−ブチルフェニル）−エトキシエチル−１−マレイミド、（Ｓ）−（−）−１−（２，５−ジ−ｎ−ブチルフェニル）−エトキシエチル−１−マレイミド、（Ｓ）−（−）−１−（２，６−ジ−ｎ−ブチルフェニル）−エトキシエチル−１−マレイミド、（Ｓ）−（−）−１−（３，４−ジ−ｎ−ブチルフェニル）−エトキシエチル−１−マレイミド、（Ｓ）−（−）−１−（３，５−ジ−ｎ−ブチルフェニル）−エトキシエチル−１−マレイミド、（Ｓ）−（−）−１−（２，４，６−トリ−ｎ−ブチルフェニル）−エトキシエチル−１−マレイミド、（Ｓ）−（−）−１−（２，３，４，５−テトラ−ｎ−ブチルフェニル）−エトキシエチル−１−マレイミド、（Ｓ）−（−）−１−（２，３，４，６−テトラ−ｎ−ブチルフェニル）−エトキシエチル−１−マレイミド、（Ｓ）−（−）−１−（２，３，５，６−テトラ−ｎ−ブチルフェニル）−エトキシエチル−１−マレイミド、（Ｓ）−（−）−１−（２，３，４，５，６−ペンタ−ｎ−ブチルフェニル）−エトキシエチル−１−マレイミド、（Ｓ）−（−）−１−（２−ｉ−ブチルフェニル）−エトキシエチル−１−マレイミド、（Ｓ）−（−）−１−（３−ｉ−ブチルフェニル）−エトキシエチル−１−マレイミド、（Ｓ）−（−）−１−（４−ｉ−ブチルフェニル）−エトキシエチル−１−マレイミド、（Ｓ）−（−）−１−（２，３−ジ−ｉ−ブチルフェニル）−エトキシエチル−１−マレイミド、（Ｓ）−（−）−１−（２，４−ジ−ｉ−ブチルフェニル）−エトキシエチル−１−マレイミド、（Ｓ）−（−）−１−（２，５−ジ−ｉ−ブチルフェニル）−エトキシエチル−１−マレイミド、（Ｓ）−（−）−１−（２，６−ジ−ｉ−ブチルフェニル）−エトキシエチル−１−マレイミド、（Ｓ）−（−）−１−（３，４−ジ−ｉ−ブチルフェニル）−エトキシエチル−１−マレイミド、（Ｓ）−（−）−１−（３，５−ジ−ｉ−ブチルフェニル）−エトキシエチル−１−マレイミド、（Ｓ）−（−）−１−（２，４，６−トリ−ｉ−ブチルフェニル）−エトキシエチル−１−マレイミド、（Ｓ）−（−）−１−（２，３，４，５−テトラ−ｉ−ブチルフェニル）−エトキシエチル−１−マレイミド、（Ｓ）−（−）−１−（２，３，４，６−テトラ−ｉ−ブチルフェニル）−エトキシエチル−１−マレイミド、（Ｓ）−（−）−１−（２，３，５，６−テトラ−ｉ−ブチルフェニル）−エトキシエチル−１−マレイミド、（Ｓ）−（−）−１−（２，３，４，５，６−ペンタ−ｉ−ブチルフェニル）−エトキシエチル−１−マレイミド、（Ｓ）−（−）−１−（２−ｔ−ブチルフェニル）−エトキシエチル−１−マレイミド、（Ｓ）−（−）−１−（３−ｔ−ブチルフェニル）−エトキシエチル−１−マレイミド、（Ｓ）−（−）−１−（４−ｔ−ブチルフェニル）−エトキシエチル−１−マレイミド、（Ｓ）−（−）−１−（２，３−ジ−ｔ−ブチルフェニル）−エトキシエチル−１−マレイミド、（Ｓ）−（−）−１−（２，４−ジ−ｔ−ブチルフェニル）−エトキシエチル−１−マレイミド、（Ｓ）−（−）−１−（２，５−ジ−ｔ−ブチルフェニル）−エトキシエチル−１−マレイミド、（Ｓ）−（−）−１−（２，６−ジ−ｔ−ブチルフェニル）−エトキシエチル−１−マレイミド、（Ｓ）−（−）−１−（３，４−ジ−ｔ−ブチルフェニル）−エトキシエチル−１−マレイミド、（Ｓ）−（−）−１−（３，５−ジ−ｔ−ブチルフェニル）−エトキシエチル−１−マレイミド、（Ｓ）−（−）−１−（２，４，６−トリ−ｔ−ブチルフェニル）−エトキシエチル−１−マレイミド、（Ｓ）−（−）−１−（２，３，４，５−テトラ−ｔ−ブチルフェニル）−エトキシエチル−１−マレイミド、（Ｓ）−（−）−１−（２，３，４，６−テトラ−ｔ−ブチルフェニル）−エトキシエチル−１−マレイミド、（Ｓ）−（−）−１−（２，３，５，６−テトラ−ｔ−ブチルフェニル）−エトキシエチル−１−マレイミド、（Ｓ）−（−）−１−（２，３，４，５，６−ペンタ−ｔ−ブチルフェニル）−エトキシエチル−１−マレイミド、（Ｓ）−（−）−１−（２−メトキシフェニル）−エトキシエチル−１−マレイミド、（Ｓ）−（−）−１−（３−メトキシフェニル）−エトキシエチル−１−マレイミド、（Ｓ）−（−）−１−（４−メトキシフェニル）−エトキシエチル−１−マレイミド、（Ｓ）−（−）−１−（２、３−ジメトキシフェニル）−エトキシエチル−１−マレイミド、（Ｓ）−（−）−１−（２、４−ジメトキシフェニル）−エトキシエチル−１−マレイミド、（Ｓ）−（−）−１−（２、５−ジメトキシフェニル）−エトキシエチル−１−マレイミド、（Ｓ）−（−）−１−（２、６−ジメトキシフェニル）−エトキシエチル−１−マレイミド、（Ｓ）−（−）−１−（３、４−ジメトキシフェニル）−エトキシエチル−１−マレイミド、（Ｓ）−（−）−１−（３、５−ジメトキシフェニル）−エトキシエチル−１−マレイミド、（Ｓ）−（−）−１−（２、４、６−トリメトキシフェニル）−エトキシエチル−１−マレイミド、（Ｓ）−（−）−１−（２、３、４、５−テトラメトキシフェニル）−エトキシエチル−１−マレイミド、（Ｓ）−（−）−１−（２、３、４、６−テトラメトキシフェニル）−エトキシエチル−１−マレイミド、（Ｓ）−（−）−１−（２、３、５、６−テトラメトキシフェニル）−エトキシエチル−１−マレイミド、（Ｓ）−（−）−１−（２、３、４、５、６−ペンタメトキシフェニル）−エトキシエチル−１−マレイミド、（Ｓ）−（−）−１−（２−エトキシフェニル）−エトキシエチル−１−マレイミド、（Ｓ）−（−）−１−（３−エトキシフェニル）−エトキシエチル−１−マレイミド、（Ｓ）−（−）−１−（４−エトキシフェニル）−エトキシエチル−１−マレイミド、（Ｓ）−（−）−１−（２、３−ジエトキシフェニル）−エトキシエチル−１−マレイミド、（Ｓ）−（−）−１−（２、４−ジエトキシフェニル）−エトキシエチル−１−マレイミド、（Ｓ）−（−）−１−（２、５−ジエトキシフェニル）−エトキシエチル−１−マレイミド、（Ｓ）−（−）−１−（２、６−ジエトキシフェニル）−エトキシエチル−１−マレイミド、（Ｓ）−（−）−１−（３、４−ジエトキシフェニル）−エトキシエチル−１−マレイミド、（Ｓ）−（−）−１−（３、５−ジエトキシフェニル）−エトキシエチル−１−マレイミド、（Ｓ）−（−）−１−（２、４、６−トリエトキシフェニル）−エトキシエチル−１−マレイミド、（Ｓ）−（−）−１−（２、３、４、５−テトラエトキシフェニル）−エトキシエチル−１−マレイミド、（Ｓ）−（−）−１−（２、３、４、６−テトラエトキシフェニル）−エトキシエチル−１−マレイミド、（Ｓ）−（−）−１−（２、３、５、６−テトラエトキシフェニル）−エトキシエチル−１−マレイミド、（Ｓ）−（−）−１−（２、３、４、５、６−ペンタエトキシフェニル）−エトキシエチル−１−マレイミド等が挙げられ、これら（Ｓ）体と鏡像体の（Ｒ）体も含まれる。
【００３４】
また、上記一般式（１）又は一般式（２）において、Ｒ６がエトキシエチル基である化合物としては、例えば、（Ｓ）−（−）−１−（２−メチルフェニル）−エトキシプロピル−１−マレイミド、（Ｓ）−（−）−１−（３−メチルフェニル）−エトキシプロピル−１−マレイミド、（Ｓ）−（−）−１−（４−メチルフェニル）−エトキシプロピル−１−マレイミド、（Ｓ）−（−）−１−（２，３−ジメチルフェニル）−エトキシプロピル−１−マレイミド、（Ｓ）−（−）−１−（２，４−ジメチルフェニル）−エトキシプロピル−１−マレイミド、（Ｓ）−（−）−１−（２，５−ジメチルフェニル）−エトキシプロピル−１−マレイミド、（Ｓ）−（−）−１−（２，６−ジメチルフェニル）−エトキシプロピル−１−マレイミド、（Ｓ）−（−）−１−（３，４−ジメチルフェニル）−エトキシプロピル−１−マレイミド、（Ｓ）−（−）−１−（３，５−ジメチルフェニル）−エトキシプロピル−１−マレイミド、（Ｓ）−（−）−１−（２，４，６−トリメチルフェニル）−エトキシプロピル−１−マレイミド、（Ｓ）−（−）−１−（２，３，４，５−テトラメチルフェニル）−エトキシプロピル−１−マレイミド、（Ｓ）−（−）−１−（２，３，４，６−テトラメチルフェニル）−エトキシプロピル−１−マレイミド、（Ｓ）−（−）−１−（２，３，５，６−テトラメチルフェニル）−エトキシプロピル−１−マレイミド、（Ｓ）−（−）−１−（２，３，４，５，６−ペンタメチルフェニル）−エトキシプロピル−１−マレイミド、（Ｓ）−（−）−１−（２−エチルフェニル）−エトキシプロピル−１−マレイミド、（Ｓ）−（−）−１−（３−エチルフェニル）−エトキシプロピル−１−マレイミド、（Ｓ）−（−）−１−（４−エチルフェニル）−エトキシプロピル−１−マレイミド、（Ｓ）−（−）−１−（２，３−ジエチルフェニル）−エトキシプロピル−１−マレイミド、（Ｓ）−（−）−１−（２，４−ジエチルフェニル）−エトキシプロピル−１−マレイミド、（Ｓ）−（−）−１−（２，５−ジエチルフェニル）−エトキシプロピル−１−マレイミド、（Ｓ）−（−）−１−（２，６−ジエチルフェニル）−エトキシプロピル−１−マレイミド、（Ｓ）−（−）−１−（３，４−ジエチルフェニル）−エトキシプロピル−１−マレイミド、（Ｓ）−（−）−１−（３，５−ジエチルフェニル）−エトキシプロピル−１−マレイミド、（Ｓ）−（−）−１−（２，４，６−トリエチルフェニル）−エトキシプロピル−１−マレイミド、（Ｓ）−（−）−１−（２，３，４，５−テトラエチルフェニル）−エトキシプロピル−１−マレイミド、（Ｓ）−（−）−１−（２，３，４，６−テトラエチルフェニル）−エトキシプロピル−１−マレイミド、（Ｓ）−（−）−１−（２，３，５，６−テトラエチルフェニル）−エトキシプロピル−１−マレイミド、（Ｓ）−（−）−１−（２，３，４，５，６−ペンタエチルフェニル）−エトキシプロピル−１−マレイミド、（Ｓ）−（−）−１−（２−ｎ−プロピルフェニル）−エトキシプロピル−１−マレイミド、（Ｓ）−（−）−１−（３−ｎ−プロピルフェニル）−エトキシプロピル−１−マレイミド、（Ｓ）−（−）−１−（４−ｎ−プロピルフェニル）−エトキシプロピル−１−マレイミド、（Ｓ）−（−）−１−（２，３−ジ−ｎ−プロピルフェニル）−エトキシプロピル−１−マレイミド、（Ｓ）−（−）−１−（２，４−ジ−ｎ−プロピルフェニル）−エトキシプロピル−１−マレイミド、（Ｓ）−（−）−１−（２，５−ジ−ｎ−プロピルフェニル）−エトキシプロピル−１−マレイミド、（Ｓ）−（−）−１−（２，６−ジ−ｎ−プロピルフェニル）−エトキシプロピル−１−マレイミド、（Ｓ）−（−）−１−（３，４−ジ−ｎ−プロピルフェニル）−エトキシプロピル−１−マレイミド、（Ｓ）−（−）−１−（３，５−ジ−ｎ−プロピルフェニル）−エトキシプロピル−１−マレイミド、（Ｓ）−（−）−１−（２，４，６−トリ−ｎ−プロピルフェニル）−エトキシプロピル−１−マレイミド、（Ｓ）−（−）−１−（２，３，４，５−テトラ−ｎ−プロピルフェニル）−エトキシプロピル−１−マレイミド、（Ｓ）−（−）−１−（２，３，４，６−テトラ−ｎ−プロピルフェニル）−エトキシプロピル−１−マレイミド、（Ｓ）−（−）−１−（２，３，５，６−テトラ−ｎ−プロピルフェニル）−エトキシプロピル−１−マレイミド、（Ｓ）−（−）−１−（２，３，４，５，６−ペンタ−ｎ−プロピルフェニル）−エトキシプロピル−１−マレイミド、（Ｓ）−（−）−１−（２−ｉ−プロピルフェニル）−エトキシプロピル−１−マレイミド、（Ｓ）−（−）−１−（３−ｉ−プロピルフェニル）−エトキシプロピル−１−マレイミド、（Ｓ）−（−）−１−（４−ｉ−プロピルフェニル）−エトキシプロピル−１−マレイミド、（Ｓ）−（−）−１−（２，３−ジ−ｉ−プロピルフェニル）−エトキシプロピル−１−マレイミド、（Ｓ）−（−）−１−（２，４−ジ−ｉ−プロピルフェニル）−エトキシプロピル−１−マレイミド、（Ｓ）−（−）−１−（２，５−ジ−ｉ−プロピルフェニル）−エトキシプロピル−１−マレイミド、（Ｓ）−（−）−１−（２，６−ジ−ｉ−プロピルフェニル）−エトキシプロピル−１−マレイミド、（Ｓ）−（−）−１−（３，４−ジ−ｉ−プロピルフェニル）−エトキシプロピル−１−マレイミド、（Ｓ）−（−）−１−（３，５−ジ−ｉ−プロピルフェニル）−エトキシプロピル−１−マレイミド、（Ｓ）−（−）−１−（２，４，６−トリ−ｉ−プロピルフェニル）−エトキシプロピル−１−マレイミド、（Ｓ）−（−）−１−（２，３，４，５−テトラ−ｉ−プロピルフェニル）−エトキシプロピル−１−マレイミド、（Ｓ）−（−）−１−（２，３，４，６−テトラ−ｉ−プロピルフェニル）−エトキシプロピル−１−マレイミド、（Ｓ）−（−）−１−（２，３，５，６−テトラ−ｉ−プロピルフェニル）−エトキシプロピル−１−マレイミド、（Ｓ）−（−）−１−（２，３，４，５，６−ペンタ−ｉ−プロピルフェニル）−エトキシプロピル−１−マレイミド、（Ｓ）−（−）−１−（２−ｎ−ブチルフェニル）−エトキシプロピル−１−マレイミド、（Ｓ）−（−）−１−（３−ｎ−ブチルフェニル）−エトキシプロピル−１−マレイミド、（Ｓ）−（−）−１−（４−ｎ−ブチルフェニル）−エトキシプロピル−１−マレイミド、（Ｓ）−（−）−１−（２，３−ジ−ｎ−ブチルフェニル）−エトキシプロピル−１−マレイミド、（Ｓ）−（−）−１−（２，４−ジ−ｎ−ブチルフェニル）−エトキシプロピル−１−マレイミド、（Ｓ）−（−）−１−（２，５−ジ−ｎ−ブチルフェニル）−エトキシプロピル−１−マレイミド、（Ｓ）−（−）−１−（２，６−ジ−ｎ−ブチルフェニル）−エトキシプロピル−１−マレイミド、（Ｓ）−（−）−１−（３，４−ジ−ｎ−ブチルフェニル）−エトキシプロピル−１−マレイミド、（Ｓ）−（−）−１−（３，５−ジ−ｎ−ブチルフェニル）−エトキシプロピル−１−マレイミド、（Ｓ）−（−）−１−（２，４，６−トリ−ｎ−ブチルフェニル）−エトキシプロピル−１−マレイミド、（Ｓ）−（−）−１−（２，３，４，５−テトラ−ｎ−ブチルフェニル）−エトキシプロピル−１−マレイミド、（Ｓ）−（−）−１−（２，３，４，６−テトラ−ｎ−ブチルフェニル）−エトキシプロピル−１−マレイミド、（Ｓ）−（−）−１−（２，３，５，６−テトラ−ｎ−ブチルフェニル）−エトキシプロピル−１−マレイミド、（Ｓ）−（−）−１−（２，３，４，５，６−ペンタ−ｎ−ブチルフェニル）−エトキシプロピル−１−マレイミド、（Ｓ）−（−）−１−（２−ｉ−ブチルフェニル）−エトキシプロピル−１−マレイミド、（Ｓ）−（−）−１−（３−ｉ−ブチルフェニル）−エトキシプロピル−１−マレイミド、（Ｓ）−（−）−１−（４−ｉ−ブチルフェニル）−エトキシプロピル−１−マレイミド、（Ｓ）−（−）−１−（２，３−ジ−ｉ−ブチルフェニル）−エトキシプロピル−１−マレイミド、（Ｓ）−（−）−１−（２，４−ジ−ｉ−ブチルフェニル）−エトキシプロピル−１−マレイミド、（Ｓ）−（−）−１−（２，５−ジ−ｉ−ブチルフェニル）−エトキシプロピル−１−マレイミド、（Ｓ）−（−）−１−（２，６−ジ−ｉ−ブチルフェニル）−エトキシプロピル−１−マレイミド、（Ｓ）−（−）−１−（３，４−ジ−ｉ−ブチルフェニル）−エトキシプロピル−１−マレイミド、（Ｓ）−（−）−１−（３，５−ジ−ｉ−ブチルフェニル）−エトキシプロピル−１−マレイミド、（Ｓ）−（−）−１−（２，４，６−トリ−ｉ−ブチルフェニル）−エトキシプロピル−１−マレイミド、（Ｓ）−（−）−１−（２，３，４，５−テトラ−ｉ−ブチルフェニル）−エトキシプロピル−１−マレイミド、（Ｓ）−（−）−１−（２，３，４，６−テトラ−ｉ−ブチルフェニル）−エトキシプロピル−１−マレイミド、（Ｓ）−（−）−１−（２，３，５，６−テトラ−ｉ−ブチルフェニル）−エトキシプロピル−１−マレイミド、（Ｓ）−（−）−１−（２，３，４，５，６−ペンタ−ｉ−ブチルフェニル）−エトキシプロピル−１−マレイミド、（Ｓ）−（−）−１−（２−ｔ−ブチルフェニル）−エトキシプロピル−１−マレイミド、（Ｓ）−（−）−１−（３−ｔ−ブチルフェニル）−エトキシプロピル−１−マレイミド、（Ｓ）−（−）−１−（４−ｔ−ブチルフェニル）−エトキシプロピル−１−マレイミド、（Ｓ）−（−）−１−（２，３−ジ−ｔ−ブチルフェニル）−エトキシプロピル−１−マレイミド、（Ｓ）−（−）−１−（２，４−ジ−ｔ−ブチルフェニル）−エトキシプロピル−１−マレイミド、（Ｓ）−（−）−１−（２，５−ジ−ｔ−ブチルフェニル）−エトキシプロピル−１−マレイミド、（Ｓ）−（−）−１−（２，６−ジ−ｔ−ブチルフェニル）−エトキシプロピル−１−マレイミド、（Ｓ）−（−）−１−（３，４−ジ−ｔ−ブチルフェニル）−エトキシプロピル−１−マレイミド、（Ｓ）−（−）−１−（３，５−ジ−ｔ−ブチルフェニル）−エトキシプロピル−１−マレイミド、（Ｓ）−（−）−１−（２，４，６−トリ−ｔ−ブチルフェニル）−エトキシプロピル−１−マレイミド、（Ｓ）−（−）−１−（２，３，４，５−テトラ−ｔ−ブチルフェニル）−エトキシプロピル−１−マレイミド、（Ｓ）−（−）−１−（２，３，４，６−テトラ−ｔ−ブチルフェニル）−エトキシプロピル−１−マレイミド、（Ｓ）−（−）−１−（２，３，５，６−テトラ−ｔ−ブチルフェニル）−エトキシプロピル−１−マレイミド、（Ｓ）−（−）−１−（２，３，４，５，６−ペンタ−ｔ−ブチルフェニル）−エトキシプロピル−１−マレイミド、（Ｓ）−（−）−１−（２−メトキシフェニル）−エトキシプロピル−１−マレイミド、（Ｓ）−（−）−１−（３−メトキシフェニル）−エトキシプロピル−１−マレイミド、（Ｓ）−（−）−１−（４−メトキシフェニル）−エトキシプロピル−１−マレイミド、（Ｓ）−（−）−１−（２，３−ジメトキシフェニル）−エトキシプロピル−１−マレイミド、（Ｓ）−（−）−１−（２，４−ジメトキシフェニル）−エトキシプロピル−１−マレイミド、（Ｓ）−（−）−１−（２，５−ジメトキシフェニル）−エトキシプロピル−１−マレイミド、（Ｓ）−（−）−１−（２，６−ジメトキシフェニル）−エトキシプロピル−１−マレイミド、（Ｓ）−（−）−１−（３，４−ジメトキシフェニル）−エトキシプロピル−１−マレイミド、（Ｓ）−（−）−１−（３，５−ジメトキシフェニル）−エトキシプロピル−１−マレイミド、（Ｓ）−（−）−１−（２，４，６−トリメトキシフェニル）−エトキシプロピル−１−マレイミド、（Ｓ）−（−）−１−（２，３，４，５−テトラメトキシフェニル）−エトキシプロピル−１−マレイミド、（Ｓ）−（−）−１−（２，３，４，６−テトラメトキシフェニル）−エトキシプロピル−１−マレイミド、（Ｓ）−（−）−１−（２，３，５，６−テトラメトキシフェニル）−エトキシプロピル−１−マレイミド、（Ｓ）−（−）−１−（２，３，４，５，６−ペンタメトキシフェニル）−エトキシプロピル−１−マレイミド、（Ｓ）−（−）−１−（２−エトキシフェニル）−エトキシプロピル−１−マレイミド、（Ｓ）−（−）−１−（３−エトキシフェニル）−エトキシプロピル−１−マレイミド、（Ｓ）−（−）−１−（４−エトキシフェニル）−エトキシプロピル−１−マレイミド、（Ｓ）−（−）−１−（２，３−ジエトキシフェニル）−エトキシプロピル−１−マレイミド、（Ｓ）−（−）−１−（２，４−ジエトキシフェニル）−エトキシプロピル−１−マレイミド、（Ｓ）−（−）−１−（２，５−ジエトキシフェニル）−エトキシプロピル−１−マレイミド、（Ｓ）−（−）−１−（２，６−ジエトキシフェニル）−エトキシプロピル−１−マレイミド、（Ｓ）−（−）−１−（３，４−ジエトキシフェニル）−エトキシプロピル−１−マレイミド、（Ｓ）−（−）−１−（３，５−ジエトキシフェニル）−エトキシプロピル−１−マレイミド、（Ｓ）−（−）−１−（２，４，６−トリエトキシフェニル）−エトキシプロピル−１−マレイミド、（Ｓ）−（−）−１−（２，３，４，５−テトラエトキシフェニル）−エトキシプロピル−１−マレイミド、（Ｓ）−（−）−１−（２，３，４，６−テトラエトキシフェニル）−エトキシプロピル−１−マレイミド、（Ｓ）−（−）−１−（２，３，５，６−テトラエトキシフェニル）−エトキシプロピル−１−マレイミド、（Ｓ）−（−）−１−（２，３，４，５，６−ペンタエトキシフェニル）−エトキシプロピル−１−マレイミド等が挙げられ、これら（Ｓ）体と鏡像体の（Ｒ）体も含まれる。
【００３５】
本発明の上記一般式（１）又は一般式（２）で示される光学活性マレイミド誘導体は、相当する光学活性１−フェニル−１−アミノアルカン誘導体と無水マレイン酸を反応させることにより得ることができる。
【００３６】
製造方法としては特に限定するものではないが、例えば、上記一般式（１）又は一般式（２）においてＲ６がエチル基である化合物に相当する、光学活性１−（２−メチルフェニル）−１−アミノプロパン誘導体を例にとると、光学活性１−（２−メチルフェニル）−１−アミノプロパンと等モル量の無水マレイン酸をトルエン等の反応に不活性な溶剤中混合し、これに触媒として塩化亜鉛並びに脱水剤としてヘキサメチルジシラザン等を添加し反応を行うことにより容易に製造することができる。
【００３７】
本発明の光学活性ポリマレイミド誘導体は、上記一般式（５）又は一般式（６）で示される化合物であれば、特に限定するものではないが、具体的には、上記一般式（５）又は一般式（６）において、Ｒ６がエチル基である化合物としては、例えば、ポリ［（Ｓ）−（−）−１−フェニル−ｎ−プロピル−１−マレイミド］、ポリ［（Ｓ）−（−）−１−（２−メチルフェニル）−ｎ−プロピル−１−マレイミド］、ポリ［（Ｓ）−（−）−１−（３−メチルフェニル）−ｎ−プロピル−１−マレイミド］、ポリ［（Ｓ）−（−）−１−（４−メチルフェニル）−ｎ−プロピル−１−マレイミド］、ポリ［（Ｓ）−（−）−１−（２，３−ジメチルフェニル）−ｎ−プロピル−１−マレイミド］、ポリ［（Ｓ）−（−）−１−（２，４−ジメチルフェニル）−ｎ−プロピル−１−マレイミド］、ポリ［（Ｓ）−（−）−１−（２，５−ジメチルフェニル）−ｎ−プロピル−１−マレイミド］、ポリ［（Ｓ）−（−）−１−（２，６−ジメチルフェニル）−ｎ−プロピル−１−マレイミド］、ポリ［（Ｓ）−（−）−１−（３，４−ジメチルフェニル）−ｎ−プロピル−１−マレイミド］、ポリ［（Ｓ）−（−）−１−（３，５−ジメチルフェニル）−ｎ−プロピル−１−マレイミド］、ポリ［（Ｓ）−（−）−１−（２，４，６−トリメチルフェニル）−ｎ−プロピル−１−マレイミド］、ポリ［（Ｓ）−（−）−１−（２，３，４，５−テトラメチルフェニル）−ｎ−プロピル−１−マレイミド］、ポリ［（Ｓ）−（−）−１−（２，３，４，６−テトラメチルフェニル）−ｎ−プロピル−１−マレイミド］、ポリ［（Ｓ）−（−）−１−（２，３，５，６−テトラメチルフェニル）−ｎ−プロピル−１−マレイミド］、ポリ［（Ｓ）−（−）−１−（２，３，４，５，６−ペンタメチルフェニル）−ｎ−プロピル−１−マレイミド］、ポリ［（Ｓ）−（−）−１−（２−エチルフェニル）−ｎ−プロピル−１−マレイミド］、ポリ［（Ｓ）−（−）−１−（３−エチルフェニル）−ｎ−プロピル−１−マレイミド］、ポリ［（Ｓ）−（−）−１−（４−エチルフェニル）−ｎ−プロピル−１−マレイミド］、ポリ［（Ｓ）−（−）−１−（２，３−ジエチルフェニル）−ｎ−プロピル−１−マレイミド］、ポリ［（Ｓ）−（−）−１−（２，４−ジエチルフェニル）−ｎ−プロピル−１−マレイミド］、ポリ［（Ｓ）−（−）−１−（２，５−ジエチルフェニル）−ｎ−プロピル−１−マレイミド］、ポリ［（Ｓ）−（−）−１−（２，６−ジエチルフェニル）−ｎ−プロピル−１−マレイミド］、ポリ［（Ｓ）−（−）−１−（３，４−ジエチルフェニル）−ｎ−プロピル−１−マレイミド］、ポリ［（Ｓ）−（−）−１−（３，５−ジエチルフェニル）−ｎ−プロピル−１−マレイミド］、ポリ［（Ｓ）−（−）−１−（２，４，６−トリエチルフェニル）−ｎ−プロピル−１−マレイミド］、ポリ［（Ｓ）−（−）−１−（２，３，４，５−テトラエチルフェニル）−ｎ−プロピル−１−マレイミド］、ポリ［（Ｓ）−（−）−１−（２，３，４，６−テトラエチルフェニル）−ｎ−プロピル−１−マレイミド］、ポリ［（Ｓ）−（−）−１−（２，３，５，６−テトラエチルフェニル）−ｎ−プロピル−１−マレイミド］、ポリ［（Ｓ）−（−）−１−（２，３，４，５，６−ペンタエチルフェニル）−ｎ−プロピル−１−マレイミド］、ポリ［（Ｓ）−（−）−１−（２−ｎ−プロピルフェニル）−ｎ−プロピル−１−マレイミド］、ポリ［（Ｓ）−（−）−１−（３−ｎ−プロピルフェニル）−ｎ−プロピル−１−マレイミド］、ポリ［（Ｓ）−（−）−１−（４−ｎ−プロピルフェニル）−ｎ−プロピル−１−マレイミド］、ポリ［（Ｓ）−（−）−１−（２，３−ジ−ｎ−プロピルフェニル）−ｎ−プロピル−１−マレイミド］、ポリ［（Ｓ）−（−）−１−（２，４−ジ−ｎ−プロピルフェニル）−ｎ−プロピル−１−マレイミド］、ポリ［（Ｓ）−（−）−１−（２，５−ジ−ｎ−プロピルフェニル）−ｎ−プロピル−１−マレイミド］、ポリ［（Ｓ）−（−）−１−（２，６−ジ−ｎ−プロピルフェニル）−ｎ−プロピル−１−マレイミド］、ポリ［（Ｓ）−（−）−１−（３，４−ジ−ｎ−プロピルフェニル）−ｎ−プロピル−１−マレイミド］、ポリ［（Ｓ）−（−）−１−（３，５−ジ−ｎ−プロピルフェニル）−ｎ−プロピル−１−マレイミド］、ポリ［（Ｓ）−（−）−１−（２，４，６−トリ−ｎ−プロピルフェニル）−ｎ−プロピル−１−マレイミド］、ポリ［（Ｓ）−（−）−１−（２，３，４，５−テトラ−ｎ−プロピルフェニル）−ｎ−プロピル−１−マレイミド］、ポリ［（Ｓ）−（−）−１−（２，３，４，６−テトラ−ｎ−プロピルフェニル）−ｎ−プロピル−１−マレイミド］、ポリ［（Ｓ）−（−）−１−（２，３，５，６−テトラ−ｎ−プロピルフェニル）−ｎ−プロピル−１−マレイミド］、ポリ［（Ｓ）−（−）−１−（２，３，４，５，６−ペンタ−ｎ−プロピルフェニル）−ｎ−プロピル−１−マレイミド］、ポリ［（Ｓ）−（−）−１−（２−ｉ−プロピルフェニル）−ｎ−プロピル−１−マレイミド］、ポリ［（Ｓ）−（−）−１−（３−ｉ−プロピルフェニル）−ｎ−プロピル−１−マレイミド］、ポリ［（Ｓ）−（−）−１−（４−ｉ−プロピルフェニル）−ｎ−プロピル−１−マレイミド］、ポリ［（Ｓ）−（−）−１−（２，３−ジ−ｉ−プロピルフェニル）−ｎ−プロピル−１−マレイミド］、ポリ［（Ｓ）−（−）−１−（２，４−ジ−ｉ−プロピルフェニル）−ｎ−プロピル−１−マレイミド］、ポリ［（Ｓ）−（−）−１−（２，５−ジ−ｉ−プロピルフェニル）−ｎ−プロピル−１−マレイミド］、ポリ［（Ｓ）−（−）−１−（２，６−ジ−ｉ−プロピルフェニル）−ｎ−プロピル−１−マレイミド］、ポリ［（Ｓ）−（−）−１−（３，４−ジ−ｉ−プロピルフェニル）−ｎ−プロピル−１−マレイミド］、ポリ［（Ｓ）−（−）−１−（３，５−ジ−ｉ−プロピルフェニル）−ｎ−プロピル−１−マレイミド］、ポリ［（Ｓ）−（−）−１−（２，４，６−トリ−ｉ−プロピルフェニル）−ｎ−プロピル−１−マレイミド］、ポリ［（Ｓ）−（−）−１−（２，３，４，５−テトラ−ｉ−プロピルフェニル）−ｎ−プロピル−１−マレイミド］、ポリ［（Ｓ）−（−）−１−（２，３，４，６−テトラ−ｉ−プロピルフェニル）−ｎ−プロピル−１−マレイミド］、ポリ［（Ｓ）−（−）−１−（２，３，５，６−テトラ−ｉ−プロピルフェニル）−ｎ−プロピル−１−マレイミド］、ポリ［（Ｓ）−（−）−１−（２，３，４，５，６−ペンタ−ｉ−プロピルフェニル）−ｎ−プロピル−１−マレイミド］、ポリ［（Ｓ）−（−）−１−（２−ｎ−ブチルフェニル）−ｎ−プロピル−１−マレイミド］、ポリ［（Ｓ）−（−）−１−（３−ｎ−ブチルフェニル）−ｎ−プロピル−１−マレイミド］、ポリ［（Ｓ）−（−）−１−（４−ｎ−ブチルフェニル）−ｎ−プロピル−１−マレイミド］、ポリ［（Ｓ）−（−）−１−（２，３−ジ−ｎ−ブチルフェニル）−ｎ−プロピル−１−マレイミド］、ポリ［（Ｓ）−（−）−１−（２，４−ジ−ｎ−ブチルフェニル）−ｎ−プロピル−１−マレイミド］、ポリ［（Ｓ）−（−）−１−（２，５−ジ−ｎ−ブチルフェニル）−ｎ−プロピル−１−マレイミド］、ポリ［（Ｓ）−（−）−１−（２，６−ジ−ｎ−ブチルフェニル）−ｎ−プロピル−１−マレイミド］、ポリ［（Ｓ）−（−）−１−（３，４−ジ−ｎ−ブチルフェニル）−ｎ−プロピル−１−マレイミド］、ポリ［（Ｓ）−（−）−１−（３，５−ジ−ｎ−ブチルフェニル）−ｎ−プロピル−１−マレイミド］、ポリ［（Ｓ）−（−）−１−（２，４，６−トリ−ｎ−ブチルフェニル）−ｎ−プロピル−１−マレイミド］、ポリ［（Ｓ）−（−）−１−（２，３，４，５−テトラ−ｎ−ブチルフェニル）−ｎ−プロピル−１−マレイミド］、ポリ［（Ｓ）−（−）−１−（２，３，４，６−テトラ−ｎ−ブチルフェニル）−ｎ−プロピル−１−マレイミド］、ポリ［（Ｓ）−（−）−１−（２，３，５，６−テトラ−ｎ−ブチルフェニル）−ｎ−プロピル−１−マレイミド］、ポリ［（Ｓ）−（−）−１−（２，３，４，５，６−ペンタ−ｎ−ブチルフェニル）−ｎ−プロピル−１−マレイミド］、ポリ［（Ｓ）−（−）−１−（２−ｉ−ブチルフェニル）−ｎ−プロピル−１−マレイミド］、ポリ［（Ｓ）−（−）−１−（３−ｉ−ブチルフェニル）−ｎ−プロピル−１−マレイミド］、ポリ［（Ｓ）−（−）−１−（４−ｉ−ブチルフェニル）−ｎ−プロピル−１−マレイミド］、ポリ［（Ｓ）−（−）−１−（２，３−ジ−ｉ−ブチルフェニル）−ｎ−プロピル−１−マレイミド］、ポリ［（Ｓ）−（−）−１−（２，４−ジ−ｉ−ブチルフェニル）−ｎ−プロピル−１−マレイミド］、ポリ［（Ｓ）−（−）−１−（２，５−ジ−ｉ−ブチルフェニル）−ｎ−プロピル−１−マレイミド］、ポリ［（Ｓ）−（−）−１−（２，６−ジ−ｉ−ブチルフェニル）−ｎ−プロピル−１−マレイミド］、ポリ［（Ｓ）−（−）−１−（３，４−ジ−ｉ−ブチルフェニル）−ｎ−プロピル−１−マレイミド］、ポリ［（Ｓ）−（−）−１−（３，５−ジ−ｉ−ブチルフェニル）−ｎ−プロピル−１−マレイミド］、ポリ［（Ｓ）−（−）−１−（２，４，６−トリ−ｉ−ブチルフェニル）−ｎ−プロピル−１−マレイミド］、ポリ［（Ｓ）−（−）−１−（２，３，４，５−テトラ−ｉ−ブチルフェニル）−ｎ−プロピル−１−マレイミド］、ポリ［（Ｓ）−（−）−１−（２，３，４，６−テトラ−ｉ−ブチルフェニル）−ｎ−プロピル−１−マレイミド］、ポリ［（Ｓ）−（−）−１−（２，３，５，６−テトラ−ｉ−ブチルフェニル）−ｎ−プロピル−１−マレイミド］、ポリ［（Ｓ）−（−）−１−（２，３，４，５，６−ペンタ−ｉ−ブチルフェニル）−ｎ−プロピル−１−マレイミド］、ポリ［（Ｓ）−（−）−１−（２−ｔ−ブチルフェニル）−ｎ−プロピル−１−マレイミド］、ポリ［（Ｓ）−（−）−１−（３−ｔ−ブチルフェニル）−ｎ−プロピル−１−マレイミド］、ポリ［（Ｓ）−（−）−１−（４−ｔ−ブチルフェニル）−ｎ−プロピル−１−マレイミド］、ポリ［（Ｓ）−（−）−１−（２，３−ジ−ｔ−ブチルフェニル）−ｎ−プロピル−１−マレイミド］、ポリ［（Ｓ）−（−）−１−（２，４−ジ−ｔ−ブチルフェニル）−ｎ−プロピル−１−マレイミド］、ポリ［（Ｓ）−（−）−１−（２，５−ジ−ｔ−ブチルフェニル）−ｎ−プロピル−１−マレイミド］、ポリ［（Ｓ）−（−）−１−（２，６−ジ−ｔ−ブチルフェニル）−ｎ−プロピル−１−マレイミド］、ポリ［（Ｓ）−（−）−１−（３，４−ジ−ｔ−ブチルフェニル）−ｎ−プロピル−１−マレイミド］、ポリ［（Ｓ）−（−）−１−（３，５−ジ−ｔ−ブチルフェニル）−ｎ−プロピル−１−マレイミド］、ポリ［（Ｓ）−（−）−１−（２，４，６−トリ−ｔ−ブチルフェニル）−ｎ−プロピル−１−マレイミド］、ポリ［（Ｓ）−（−）−１−（２，３，４，５−テトラ−ｔ−ブチルフェニル）−ｎ−プロピル−１−マレイミド］、ポリ［（Ｓ）−（−）−１−（２，３，４，６−テトラ−ｔ−ブチルフェニル）−ｎ−プロピル−１−マレイミド］、ポリ［（Ｓ）−（−）−１−（２，３，５，６−テトラ−ｔ−ブチルフェニル）−ｎ−プロピル−１−マレイミド］、ポリ［（Ｓ）−（−）−１−（２，３，４，５，６−ペンタ−ｔ−ブチルフェニル）−ｎ−プロピル−１−マレイミド］、ポリ［（Ｓ）−（−）−１−（２−メトキシフェニル）−ｎ−プロピル−１−マレイミド］、ポリ［（Ｓ）−（−）−１−（３−メトキシフェニル）−ｎ−プロピル−１−マレイミド］、ポリ［（Ｓ）−（−）−１−（４−メトキシフェニル）−ｎ−プロピル−１−マレイミド］、ポリ［（Ｓ）−（−）−１−（２、３−ジメトキシフェニル）−ｎ−プロピル−１−マレイミド］、ポリ［（Ｓ）−（−）−１−（２、４−ジメトキシフェニル）−ｎ−プロピル−１−マレイミド］、ポリ［（Ｓ）−（−）−１−（２、５−ジメトキシフェニル）−ｎ−プロピル−１−マレイミド］、ポリ［（Ｓ）−（−）−１−（２、６−ジメトキシフェニル）−ｎ−プロピル−１−マレイミド］、ポリ［（Ｓ）−（−）−１−（３、４−ジメトキシフェニル）−ｎ−プロピル−１−マレイミド］、ポリ［（Ｓ）−（−）−１−（３、５−ジメトキシフェニル）−ｎ−プロピル−１−マレイミド］、ポリ［（Ｓ）−（−）−１−（２、４、６−トリメトキシフェニル）−ｎ−プロピル−１−マレイミド］、ポリ［（Ｓ）−（−）−１−（２、３、４、５−テトラメトキシフェニル）−ｎ−プロピル−１−マレイミド］、ポリ［（Ｓ）−（−）−１−（２、３、４、６−テトラメトキシフェニル）−ｎ−プロピル−１−マレイミド］、ポリ［（Ｓ）−（−）−１−（２、３、５、６−テトラメトキシフェニル）−ｎ−プロピル−１−マレイミド］、ポリ［（Ｓ）−（−）−１−（２、３、４、５、６−ペンタメトキシフェニル）−ｎ−プロピル−１−マレイミド］、ポリ［（Ｓ）−（−）−１−（２−エトキシフェニル）−ｎ−プロピル−１−マレイミド］、ポリ［（Ｓ）−（−）−１−（３−エトキシフェニル）−ｎ−プロピル−１−マレイミド］、ポリ［（Ｓ）−（−）−１−（４−エトキシフェニル）−ｎ−プロピル−１−マレイミド］、ポリ［（Ｓ）−（−）−１−（２、３−ジエトキシフェニル）−ｎ−プロピル−１−マレイミド］、ポリ［（Ｓ）−（−）−１−（２、４−ジエトキシフェニル）−ｎ−プロピル−１−マレイミド］、ポリ［（Ｓ）−（−）−１−（２、５−ジエトキシフェニル）−ｎ−プロピル−１−マレイミド］、ポリ［（Ｓ）−（−）−１−（２、６−ジエトキシフェニル）−ｎ−プロピル−１−マレイミド］、ポリ［（Ｓ）−（−）−１−（３、４−ジエトキシフェニル）−ｎ−プロピル−１−マレイミド］、ポリ［（Ｓ）−（−）−１−（３、５−ジエトキシフェニル）−ｎ−プロピル−１−マレイミド］、ポリ［（Ｓ）−（−）−１−（２、４、６−トリエトキシフェニル）−ｎ−プロピル−１−マレイミド］、ポリ［（Ｓ）−（−）−１−（２、３、４、５−テトラエトキシフェニル）−ｎ−プロピル−１−マレイミド］、ポリ［（Ｓ）−（−）−１−（２、３、４、６−テトラエトキシフェニル）−ｎ−プロピル−１−マレイミド］、ポリ［（Ｓ）−（−）−１−（２、３、５、６−テトラエトキシフェニル）−ｎ−プロピル−１−マレイミド］、ポリ［（Ｓ）−（−）−１−（２、３、４、５、６−ペンタエトキシフェニル）−ｎ−プロピル−１−マレイミド］等が挙げられ、これら（Ｓ）体と鏡像体の（Ｒ）体のモノマーを用い、不斉アニオン重合したポリマーも含まれる。
【００３８】
また、上記一般式（５）又は一般式（６）において、Ｒ６がｉ−プロピル基である化合物としては、例えば、ポリ［（Ｓ）−（−）−１−フェニル−２−メチルプロピル−１−マレイミド］、ポリ［（Ｓ）−（−）−１−（２−メチルフェニル）−２−メチルプロピル−１−マレイミド］、ポリ［（Ｓ）−（−）−１−（３−メチルフェニル）−２−メチルプロピル−１−マレイミド］、ポリ［（Ｓ）−（−）−１−（４−メチルフェニル）−２−メチルプロピル−１−マレイミド］、ポリ［（Ｓ）−（−）−１−（２，３−ジメチルフェニル）−２−メチルプロピル−１−マレイミド］、ポリ［（Ｓ）−（−）−１−（２，４−ジメチルフェニル）−２−メチルプロピル−１−マレイミド］、ポリ［（Ｓ）−（−）−１−（２，５−ジメチルフェニル）−２−メチルプロピル−１−マレイミド］、ポリ［（Ｓ）−（−）−１−（２，６−ジメチルフェニル）−２−メチルプロピル−１−マレイミド］、ポリ［（Ｓ）−（−）−１−（３，４−ジメチルフェニル）−２−メチルプロピル−１−マレイミド］、ポリ［（Ｓ）−（−）−１−（３，５−ジメチルフェニル）−２−メチルプロピル−１−マレイミド］、ポリ［（Ｓ）−（−）−１−（２，４，６−トリメチルフェニル）−２−メチルプロピル−１−マレイミド］、ポリ［（Ｓ）−（−）−１−（２，３，４，５−テトラメチルフェニル）−２−メチルプロピル−１−マレイミド］、ポリ［（Ｓ）−（−）−１−（２，３，４，６−テトラメチルフェニル）−２−メチルプロピル−１−マレイミド］、ポリ［（Ｓ）−（−）−１−（２，３，５，６−テトラメチルフェニル）−２−メチルプロピル−１−マレイミド］、ポリ［（Ｓ）−（−）−１−（２，３，４，５，６−ペンタメチルフェニル）−２−メチルプロピル−１−マレイミド］、ポリ［（Ｓ）−（−）−１−（２−エチルフェニル）−２−メチルプロピル−１−マレイミド］、ポリ［（Ｓ）−（−）−１−（３−エチルフェニル）−２−メチルプロピル−１−マレイミド］、ポリ［（Ｓ）−（−）−１−（４−エチルフェニル）−２−メチルプロピル−１−マレイミド］、ポリ［（Ｓ）−（−）−１−（２，３−ジエチルフェニル）−２−メチルプロピル−１−マレイミド］、ポリ［（Ｓ）−（−）−１−（２，４−ジエチルフェニル）−２−メチルプロピル−１−マレイミド］、ポリ［（Ｓ）−（−）−１−（２，５−ジエチルフェニル）−２−メチルプロピル−１−マレイミド］、ポリ［（Ｓ）−（−）−１−（２，６−ジエチルフェニル）−２−メチルプロピル−１−マレイミド］、ポリ［（Ｓ）−（−）−１−（３，４−ジエチルフェニル）−２−メチルプロピル−１−マレイミド］、ポリ［（Ｓ）−（−）−１−（３，５−ジエチルフェニル）−２−メチルプロピル−１−マレイミド］、ポリ［（Ｓ）−（−）−１−（２，４，６−トリエチルフェニル）−２−メチルプロピル−１−マレイミド］、ポリ［（Ｓ）−（−）−１−（２，３，４，５−テトラエチルフェニル）−２−メチルプロピル−１−マレイミド］、ポリ［（Ｓ）−（−）−１−（２，３，４，６−テトラエチルフェニル）−２−メチルプロピル−１−マレイミド］、ポリ［（Ｓ）−（−）−１−（２，３，５，６−テトラエチルフェニル）−２−メチルプロピル−１−マレイミド］、ポリ［（Ｓ）−（−）−１−（２，３，４，５，６−ペンタエチルフェニル）−２−メチルプロピル−１−マレイミド］、ポリ［（Ｓ）−（−）−１−（２−ｎ−プロピルフェニル）−２−メチルプロピル−１−マレイミド］、ポリ［（Ｓ）−（−）−１−（３−ｎ−プロピルフェニル）−２−メチルプロピル−１−マレイミド］、ポリ［（Ｓ）−（−）−１−（４−ｎ−プロピルフェニル）−２−メチルプロピル−１−マレイミド］、ポリ［（Ｓ）−（−）−１−（２，３−ジ−ｎ−プロピルフェニル）−２−メチルプロピル−１−マレイミド］、ポリ［（Ｓ）−（−）−１−（２，４−ジ−ｎ−プロピルフェニル）−２−メチルプロピル−１−マレイミド］、ポリ［（Ｓ）−（−）−１−（２，５−ジ−ｎ−プロピルフェニル）−２−メチルプロピル−１−マレイミド］、ポリ［（Ｓ）−（−）−１−（２，６−ジ−ｎ−プロピルフェニル）−２−メチルプロピル−１−マレイミド］、ポリ［（Ｓ）−（−）−１−（３，４−ジ−ｎ−プロピルフェニル）−２−メチルプロピル−１−マレイミド］、ポリ［（Ｓ）−（−）−１−（３，５−ジ−ｎ−プロピルフェニル）−２−メチルプロピル−１−マレイミド］、ポリ［（Ｓ）−（−）−１−（２，４，６−トリ−ｎ−プロピルフェニル）−２−メチルプロピル−１−マレイミド］、ポリ［（Ｓ）−（−）−１−（２，３，４，５−テトラ−ｎ−プロピルフェニル）−２−メチルプロピル−１−マレイミド］、ポリ［（Ｓ）−（−）−１−（２，３，４，６−テトラ−ｎ−プロピルフェニル）−２−メチルプロピル−１−マレイミド］、ポリ［（Ｓ）−（−）−１−（２，３，５，６−テトラ−ｎ−プロピルフェニル）−２−メチルプロピル−１−マレイミド］、ポリ［（Ｓ）−（−）−１−（２，３，４，５，６−ペンタ−ｎ−プロピルフェニル）−２−メチルプロピル−１−マレイミド］、ポリ［（Ｓ）−（−）−１−（２−ｉ−プロピルフェニル）−２−メチルプロピル−１−マレイミド］、ポリ［（Ｓ）−（−）−１−（３−ｉ−プロピルフェニル）−２−メチルプロピル−１−マレイミド］、ポリ［（Ｓ）−（−）−１−（４−ｉ−プロピルフェニル）−２−メチルプロピル−１−マレイミド］、ポリ［（Ｓ）−（−）−１−（２，３−ジ−ｉ−プロピル−フェニル）−２−メチルプロピル−１−マレイミド］、ポリ［（Ｓ）−（−）−１−（２，４−ジ−ｉ−プロピルフェニル）−２−メチルプロピル−１−マレイミド］、ポリ［（Ｓ）−（−）−１−（２，５−ジ−ｉ−プロピルフェニル）−２−メチルプロピル−１−マレイミド］、ポリ［（Ｓ）−（−）−１−（２，６−ジ−ｉ−プロピルフェニル）−２−メチルプロピル−１−マレイミド］、ポリ［（Ｓ）−（−）−１−（３，４−ジ−ｉ−プロピルフェニル）−２−メチルプロピル−１−マレイミド］、ポリ［（Ｓ）−（−）−１−（３，５−ジ−ｉ−プロピルフェニル）−２−メチルプロピル−１−マレイミド］、ポリ［（Ｓ）−（−）−１−（２，４，６−トリ−ｉ−プロピルフェニル）−２−メチルプロピル−１−マレイミド］、ポリ［（Ｓ）−（−）−１−（２，３，４，５−テトラ−ｉ−プロピルフェニル）−２−メチルプロピル−１−マレイミド］、ポリ［（Ｓ）−（−）−１−（２，３，４，６−テトラ−ｉ−プロピルフェニル）−２−メチルプロピル−１−マレイミド］、ポリ［（Ｓ）−（−）−１−（２，３，５，６−テトラ−ｉ−プロピルフェニル）−２−メチルプロピル−１−マレイミド］、ポリ［（Ｓ）−（−）−１−（２，３，４，５，６−ペンタ−ｉ−プロピルフェニル）−２−メチルプロピル−１−マレイミド］、ポリ［（Ｓ）−（−）−１−（２−ｎ−ブチルフェニル）−２−メチルプロピル−１−マレイミド］、ポリ［（Ｓ）−（−）−１−（３−ｎ−ブチルフェニル）−２−メチルプロピル−１−マレイミド］、ポリ［（Ｓ）−（−）−１−（４−ｎ−ブチルフェニル）−２−メチルプロピル−１−マレイミド］、ポリ［（Ｓ）−（−）−１−（２，３−ジ−ｎ−ブチルフェニル）−２−メチルプロピル−１−マレイミド］、ポリ［（Ｓ）−（−）−１−（２，４−ジ−ｎ−ブチルフェニル）−２−メチルプロピル−１−マレイミド］、ポリ［（Ｓ）−（−）−１−（２，５−ジ−ｎ−ブチルフェニル）−２−メチルプロピル−１−マレイミド］、ポリ［（Ｓ）−（−）−１−（２，６−ジ−ｎ−ブチルフェニル）−２−メチルプロピル−１−マレイミド］、ポリ［（Ｓ）−（−）−１−（３，４−ジ−ｎ−ブチルフェニル）−２−メチルプロピル−１−マレイミド］、ポリ［（Ｓ）−（−）−１−（３，５−ジ−ｎ−ブチルフェニル）−２−メチルプロピル−１−マレイミド］、ポリ［（Ｓ）−（−）−１−（２，４，６−トリ−ｎ−ブチルフェニル）−２−メチルプロピル−１−マレイミド］、ポリ［（Ｓ）−（−）−１−（２，３，４，５−テトラ−ｎ−ブチルフェニル）−２−メチルプロピル−１−マレイミド］、ポリ［（Ｓ）−（−）−１−（２，３，４，６−テトラ−ｎ−ブチルフェニル）−２−メチルプロピル−１−マレイミド］、ポリ［（Ｓ）−（−）−１−（２，３，５，６−テトラ−ｎ−ブチルフェニル）−２−メチルプロピル−１−マレイミド］、ポリ［（Ｓ）−（−）−１−（２，３，４，５，６−ペンタ−ｎ−ブチルフェニル）−２−メチルプロピル−１−マレイミド］、ポリ［（Ｓ）−（−）−１−（２−ｉ−ブチルフェニル）−２−メチルプロピル−１−マレイミド］、ポリ［（Ｓ）−（−）−１−（３−ｉ−ブチルフェニル）−２−メチルプロピル−１−マレイミド］、ポリ［（Ｓ）−（−）−１−（４−ｉ−ブチルフェニル）−２−メチルプロピル−１−マレイミド］、ポリ［（Ｓ）−（−）−１−（２，３−ジ−ｉ−ブチルフェニル）−２−メチルプロピル−１−マレイミド］、ポリ［（Ｓ）−（−）−１−（２，４−ジ−ｉ−ブチルフェニル）−２−メチルプロピル−１−マレイミド］、ポリ［（Ｓ）−（−）−１−（２，５−ジ−ｉ−ブチルフェニル）−２−メチルプロピル−１−マレイミド］、ポリ［（Ｓ）−（−）−１−（２，６−ジ−ｉ−ブチルフェニル）−２−メチルプロピル−１−マレイミド］、ポリ［（Ｓ）−（−）−１−（３，４−ジ−ｉ−ブチルフェニル）−２−メチルプロピル−１−マレイミド］、ポリ［（Ｓ）−（−）−１−（３，５−ジ−ｉ−ブチルフェニル）−２−メチルプロピル−１−マレイミド］、ポリ［（Ｓ）−（−）−１−（２，４，６−トリ−ｉ−ブチルフェニル）−２−メチルプロピル−１−マレイミド］、ポリ［（Ｓ）−（−）−１−（２，３，４，５−テトラ−ｉ−ブチルフェニル）−２−メチルプロピル−１−マレイミド］、ポリ［（Ｓ）−（−）−１−（２，３，４，６−テトラ−ｉ−ブチルフェニル）−２−メチルプロピル−１−マレイミド］、ポリ［（Ｓ）−（−）−１−（２，３，５，６−テトラ−ｉ−ブチルフェニル）−２−メチルプロピル−１−マレイミド］、ポリ［（Ｓ）−（−）−１−（２，３，４，５，６−ペンタ−ｉ−ブチルフェニル）−２−メチルプロピル−１−マレイミド］、ポリ［（Ｓ）−（−）−１−（２−ｔ−ブチルフェニル）−２−メチルプロピル−１−マレイミド］、ポリ［（Ｓ）−（−）−１−（３−ｔ−ブチルフェニル）−２−メチルプロピル−１−マレイミド］、ポリ［（Ｓ）−（−）−１−（４−ｔ−ブチルフェニル）−２−メチルプロピル−１−マレイミド］、ポリ［（Ｓ）−（−）−１−（２，３−ジ−ｔ−ブチルフェニル）−２−メチルプロピル−１−マレイミド］、ポリ［（Ｓ）−（−）−１−（２，４−ジ−ｔ−ブチルフェニル）−２−メチルプロピル−１−マレイミド］、ポリ［（Ｓ）−（−）−１−（２，５−ジ−ｔ−ブチルフェニル）−２−メチルプロピル−１−マレイミド］、ポリ［（Ｓ）−（−）−１−（２，６−ジ−ｔ−ブチルフェニル）−２−メチルプロピル−１−マレイミド］、ポリ［（Ｓ）−（−）−１−（３，４−ジ−ｔ−ブチルフェニル）−２−メチルプロピル−１−マレイミド］、ポリ［（Ｓ）−（−）−１−（３，５−ジ−ｔ−ブチルフェニル）−２−メチルプロピル−１−マレイミド］、ポリ［（Ｓ）−（−）−１−（２，４，６−トリ−ｔ−ブチルフェニル）−２−メチルプロピル−１−マレイミド］、ポリ［（Ｓ）−（−）−１−（２，３，４，５−テトラ−ｔ−ブチルフェニル）−２−メチルプロピル−１−マレイミド］、ポリ［（Ｓ）−（−）−１−（２，３，４，６−テトラ−ｔ−ブチルフェニル）−２−メチルプロピル−１−マレイミド］、ポリ［（Ｓ）−（−）−１−（２，３，５，６−テトラ−ｔ−ブチルフェニル）−２−メチルプロピル−１−マレイミド］、ポリ［（Ｓ）−（−）−１−（２−メトキシフェニル）−２−メチルプロピル−１−マレイミド］、ポリ［（Ｓ）−（−）−１−（３−メトキシフェニル）−２−メチルプロピル−１−マレイミド］、ポリ［（Ｓ）−（−）−１−（４−メトキシフェニル）−２−メチルプロピル−１−マレイミド］、ポリ［（Ｓ）−（−）−１−（２、３−ジメトキシフェニル）−２−メチルプロピル−１−マレイミド］、ポリ［（Ｓ）−（−）−１−（２、４−ジメトキシフェニル）−２−メチルプロピル−１−マレイミド］、ポリ［（Ｓ）−（−）−１−（２、５−ジメトキシフェニル）−２−メチルプロピル−１−マレイミド］、ポリ［（Ｓ）−（−）−１−（２、６−ジメトキシフェニル）−２−メチルプロピル−１−マレイミド］、ポリ［（Ｓ）−（−）−１−（３、４−ジメトキシフェニル）−２−メチルプロピル−１−マレイミド］、ポリ［（Ｓ）−（−）−１−（３、５−ジメトキシフェニル）−２−メチルプロピル−１−マレイミド］、ポリ［（Ｓ）−（−）−１−（２、４、６−トリメトキシフェニル）−２−メチルプロピル−１−マレイミド］、ポリ［（Ｓ）−（−）−１−（２、３、４、５−テトラメトキシフェニル）−２−メチルプロピル−１−マレイミド］、ポリ［（Ｓ）−（−）−１−（２、３、４、６−テトラメトキシフェニル）−２−メチルプロピル−１−マレイミド］、ポリ［（Ｓ）−（−）−１−（２、３、５、６−テトラメトキシフェニル）−２−メチルプロピル−１−マレイミド］、ポリ［（Ｓ）−（−）−１−（２、３、４、５、６−ペンタメトキシフェニル）−２−メチルプロピル−１−マレイミド］、ポリ［（Ｓ）−（−）−１−（２−エトキシフェニル）−２−メチルプロピル−１−マレイミド］、ポリ［（Ｓ）−（−）−１−（３−エトキシフェニル）−２−メチルプロピル−１−マレイミド］、ポリ［（Ｓ）−（−）−１−（４−エトキシフェニル）−２−メチルプロピル−１−マレイミド］、ポリ［（Ｓ）−（−）−１−（２、３−ジエトキシフェニル）−２−メチルプロピル−１−マレイミド］、ポリ［（Ｓ）−（−）−１−（２、４−ジエトキシフェニル）−２−メチルプロピル−１−マレイミド］、ポリ［（Ｓ）−（−）−１−（２、５−ジエトキシフェニル）−２−メチルプロピル−１−マレイミド］、ポリ［（Ｓ）−（−）−１−（２、６−ジエトキシフェニル）−２−メチルプロピル−１−マレイミド］、ポリ［（Ｓ）−（−）−１−（３、４−ジエトキシフェニル）−２−メチルプロピル−１−マレイミド］、ポリ［（Ｓ）−（−）−１−（３、５−ジエトキシフェニル）−２−メチルプロピル−１−マレイミド］、ポリ［（Ｓ）−（−）−１−（２、４、６−トリエトキシフェニル）−２−メチルプロピル−１−マレイミド］、ポリ［（Ｓ）−（−）−１−（２、３、４、５−テトラエトキシフェニル）−２−メチルプロピル−１−マレイミド］、ポリ［（Ｓ）−（−）−１−（２、３、４、６−テトラエトキシフェニル）−２−メチルプロピル−１−マレイミド］、ポリ［（Ｓ）−（−）−１−（２、３、５、６−テトラエトキシフェニル）−２−メチルプロピル−１−マレイミド］、ポリ［（Ｓ）−（−）−１−（２、３、４、５、６−ペンタエトキシフェニル）−２−メチルプロピル−１−マレイミド］等が挙げられ、これら（Ｓ）体と鏡像体の（Ｒ）体のモノマーを用い、不斉アニオン重合したポリマーも含まれる。
【００３９】
また、上記一般式（５）又は一般式（６）において、Ｒ６がｎ−プロピル基である化合物としては、例えば、ポリ［（Ｓ）−（−）−１−フェニル−ｎ−ブチル−１−マレイミド］、ポリ［（Ｓ）−（−）−１−（２−メチルフェニル）−ｎ−ブチル−１−マレイミド］、ポリ［（Ｓ）−（−）−１−（３−メチルフェニル）−ｎ−ブチル−１−マレイミド］、ポリ［（Ｓ）−（−）−１−（４−メチルフェニル）−ｎ−ブチル−１−マレイミド］、ポリ［（Ｓ）−（−）−１−（２，３−ジメチルフェニル）−ｎ−ブチル−１−マレイミド］、ポリ［（Ｓ）−（−）−１−（２，４−ジメチルフェニル）−ｎ−ブチル−１−マレイミド］、ポリ［（Ｓ）−（−）−１−（２，５−ジメチルフェニル）−ｎ−ブチル−１−マレイミド］、ポリ［（Ｓ）−（−）−１−（２，６−ジメチルフェニル）−ｎ−ブチル−１−マレイミド］、ポリ［（Ｓ）−（−）−１−（３，４−ジメチルフェニル）−ｎ−ブチル−１−マレイミド］、ポリ［（Ｓ）−（−）−１−（３，５−ジメチルフェニル）−ｎ−ブチル−１−マレイミド］、ポリ［（Ｓ）−（−）−１−（２，４，６−トリメチルフェニル）−ｎ−ブチル−１−マレイミド］、ポリ［（Ｓ）−（−）−１−（２，３，４，５−テトラメチルフェニル）−ｎ−ブチル−１−マレイミド］、ポリ［（Ｓ）−（−）−１−（２，３，４，６−テトラメチルフェニル）−ｎ−ブチル−１−マレイミド］、ポリ［（Ｓ）−（−）−１−（２，３，５，６−テトラメチルフェニル）−ｎ−ブチル−１−マレイミド］、ポリ［（Ｓ）−（−）−１−（２，３，４，５，６−ペンタメチルフェニル）−ｎ−ブチル−１−マレイミド］、ポリ［（Ｓ）−（−）−１−（２−エチルフェニル）−ｎ−ブチル−１−マレイミド］、ポリ［（Ｓ）−（−）−１−（３−エチルフェニル）−ｎ−ブチル−１−マレイミド］、ポリ［（Ｓ）−（−）−１−（４−エチルフェニル）−ｎ−ブチル−１−マレイミド］、ポリ［（Ｓ）−（−）−１−（２，３−ジエチルフェニル）−ｎ−ブチル−１−マレイミド］、ポリ［（Ｓ）−（−）−１−（２，４−ジエチルフェニル）−ｎ−ブチル−１−マレイミド］、ポリ［（Ｓ）−（−）−１−（２，５−ジエチルフェニル）−ｎ−ブチル−１−マレイミド］、ポリ［（Ｓ）−（−）−１−（２，６−ジエチルフェニル）−ｎ−ブチル−１−マレイミド］、ポリ［（Ｓ）−（−）−１−（３，４−ジエチルフェニル）−ｎ−ブチル−１−マレイミド］、ポリ［（Ｓ）−（−）−１−（３，５−ジエチルフェニル）−ｎ−ブチル−１−マレイミド］、ポリ［（Ｓ）−（−）−１−（２，４，６−トリエチルフェニル）−ｎ−ブチル−１−マレイミド］、ポリ［（Ｓ）−（−）−１−（２，３，４，５−テトラエチルフェニル）−ｎ−ブチル−１−マレイミド］、ポリ［（Ｓ）−（−）−１−（２，３，４，６−テトラエチルフェニル）−ｎ−ブチル−１−マレイミド］、ポリ［（Ｓ）−（−）−１−（２，３，５，６−テトラエチルフェニル）−ｎ−ブチル−１−マレイミド］、ポリ［（Ｓ）−（−）−１−（２，３，４，５，６−ペンタエチルフェニル）−ｎ−ブチル−１−マレイミド］、ポリ［（Ｓ）−（−）−１−（２−ｎ−プロピルフェニル）−ｎ−ブチル−１−マレイミド］、ポリ［（Ｓ）−（−）−１−（３−ｎ−プロピルフェニル）−ｎ−ブチル−１−マレイミド］、ポリ［（Ｓ）−（−）−１−（４−ｎ−プロピルフェニル）−ｎ−ブチル−１−マレイミド］、ポリ［（Ｓ）−（−）−１−（２，３−ジ−ｎ−プロピルフェニル）−ｎ−ブチル−１−マレイミド］、ポリ［（Ｓ）−（−）−１−（２，４−ジ−ｎ−プロピルフェニル）−ｎ−ブチル−１−マレイミド］、ポリ［（Ｓ）−（−）−１−（２，５−ジ−ｎ−プロピルフェニル）−ｎ−ブチル−１−マレイミド］、ポリ［（Ｓ）−（−）−１−（２，６−ジ−ｎ−プロピルフェニル）−ｎ−ブチル−１−マレイミド］、ポリ［（Ｓ）−（−）−１−（３，４−ジ−ｎ−プロピルフェニル）−ｎ−ブチル−１−マレイミド］、ポリ［（Ｓ）−（−）−１−（３，５−ジ−ｎ−プロピルフェニル）−ｎ−ブチル−１−マレイミド］、ポリ［（Ｓ）−（−）−１−（２，４，６−トリ−ｎ−プロピルフェニル）−ｎ−ブチル−１−マレイミド］、ポリ［（Ｓ）−（−）−１−（２，３，４，５−テトラ−ｎ−プロピルフェニル）−ｎ−ブチル−１−マレイミド］、ポリ［（Ｓ）−（−）−１−（２，３，４，６−テトラ−ｎ−プロピルフェニル）−ｎ−ブチル−１−マレイミド］、ポリ［（Ｓ）−（−）−１−（２，３，５，６−テトラ−ｎ−プロピルフェニル）−ｎ−ブチル−１−マレイミド］、ポリ［（Ｓ）−（−）−１−（２，３，４，５，６−ペンタ−ｎ−プロピルフェニル）−ｎ−ブチル−１−マレイミド］、ポリ［（Ｓ）−（−）−１−（２−ｉ−プロピルフェニル）−ｎ−ブチル−１−マレイミド］、ポリ［（Ｓ）−（−）−１−（３−ｉ−プロピルフェニル）−ｎ−ブチル−１−マレイミド］、ポリ［（Ｓ）−（−）−１−（４−ｉ−プロピルフェニル）−ｎ−ブチル−１−マレイミド］、ポリ［（Ｓ）−（−）−１−（２，３−ジ−ｉ−プロピルフェニル）−ｎ−ブチル−１−マレイミド］、ポリ［（Ｓ）−（−）−１−（２，４−ジ−ｉ−プロピルフェニル）−ｎ−ブチル−１−マレイミド］、ポリ［（Ｓ）−（−）−１−（２，５−ジ−ｉ−プロピルフェニル）−ｎ−ブチル−１−マレイミド］、ポリ［（Ｓ）−（−）−１−（２，６−ジ−ｉ−プロピルフェニル）−ｎ−ブチル−１−マレイミド］、ポリ［（Ｓ）−（−）−１−（３，４−ジ−ｉ−プロピルフェニル）−ｎ−ブチル−１−マレイミド］、ポリ［（Ｓ）−（−）−１−（３，５−ジ−ｉ−プロピルフェニル）−ｎ−ブチル−１−マレイミド］、ポリ［（Ｓ）−（−）−１−（２，４，６−トリ−ｉ−プロピルフェニル）−ｎ−ブチル−１−マレイミド］、ポリ［（Ｓ）−（−）−１−（２，３，４，５−テトラ−ｉ−プロピルフェニル）−ｎ−ブチル−１−マレイミド］、ポリ［（Ｓ）−（−）−１−（２，３，４，６−テトラ−ｉ−プロピルフェニル）−ｎ−ブチル−１−マレイミド］、ポリ［（Ｓ）−（−）−１−（２，３，５，６−テトラ−ｉ−プロピルフェニル）−ｎ−ブチル−１−マレイミド］、ポリ［（Ｓ）−（−）−１−（２，３，４，５，６−ペンタ−ｉ−プロピルフェニル）−ｎ−ブチル−１−マレイミド］、ポリ［（Ｓ）−（−）−１−（２−ｎ−ブチルフェニル）−ｎ−ブチル−１−マレイミド］、ポリ［（Ｓ）−（−）−１−（３−ｎ−ブチルフェニル）−ｎ−ブチル−１−マレイミド］、ポリ［（Ｓ）−（−）−１−（４−ｎ−ブチルフェニル）−ｎ−ブチル−１−マレイミド］、ポリ［（Ｓ）−（−）−１−（２，３−ジ−ｎ−ブチルフェニル）−ｎ−ブチル−１−マレイミド］、ポリ［（Ｓ）−（−）−１−（２，４−ジ−ｎ−ブチルフェニル）−ｎ−ブチル−１−マレイミド］、ポリ［（Ｓ）−（−）−１−（２，５−ジ−ｎ−ブチルフェニル）−ｎ−ブチル−１−マレイミド］、ポリ［（Ｓ）−（−）−１−（２，６−ジ−ｎ−ブチルフェニル）−ｎ−ブチル−１−マレイミド］、ポリ［（Ｓ）−（−）−１−（３，４−ジ−ｎ−ブチルフェニル）−ｎ−ブチル−１−マレイミド］、ポリ［（Ｓ）−（−）−１−（３，５−ジ−ｎ−ブチルフェニル）−ｎ−ブチル−１−マレイミド］、ポリ［（Ｓ）−（−）−１−（２，４，６−トリ−ｎ−ブチルフェニル）−ｎ−ブチル−１−マレイミド］、ポリ［（Ｓ）−（−）−１−（２，３，４，５−テトラ−ｎ−ブチルフェニル）−ｎ−ブチル−１−マレイミド］、ポリ［（Ｓ）−（−）−１−（２，３，４，６−テトラ−ｎ−ブチルフェニル）−ｎ−ブチル−１−マレイミド］、ポリ［（Ｓ）−（−）−１−（２，３，５，６−テトラ−ｎ−ブチルフェニル）−ｎ−ブチル−１−マレイミド］、ポリ［（Ｓ）−（−）−１−（２，３，４，５，６−ペンタ−ｎ−ブチルフェニル）−ｎ−ブチル−１−マレイミド］、ポリ［（Ｓ）−（−）−１−（２−ｉ−ブチルフェニル）−ｎ−ブチル−１−マレイミド］、ポリ［（Ｓ）−（−）−１−（３−ｉ−ブチルフェニル）−ｎ−ブチル−１−マレイミド］、ポリ［（Ｓ）−（−）−１−（４−ｉ−ブチルフェニル）−ｎ−ブチル−１−マレイミド］、ポリ［（Ｓ）−（−）−１−（２，３−ジ−ｉ−ブチルフェニル）−ｎ−ブチル−１−マレイミド］、ポリ［（Ｓ）−（−）−１−（２，４−ジ−ｉ−ブチルフェニル）−ｎ−ブチル−１−マレイミド］、ポリ［（Ｓ）−（−）−１−（２，５−ジ−ｉ−ブチルフェニル）−ｎ−ブチル−１−マレイミド］、ポリ［（Ｓ）−（−）−１−（２，６−ジ−ｉ−ブチルフェニル）−ｎ−ブチル−１−マレイミド］、ポリ［（Ｓ）−（−）−１−（３，４−ジ−ｉ−ブチルフェニル）−ｎ−ブチル−１−マレイミド］、ポリ［（Ｓ）−（−）−１−（３，５−ジ−ｉ−ブチルフェニル）−ｎ−ブチル−１−マレイミド］、ポリ［（Ｓ）−（−）−１−（２，４，６−トリ−ｉ−ブチルフェニル）−ｎ−ブチル−１−マレイミド］、ポリ［（Ｓ）−（−）−１−（２，３，４，５−テトラ−ｉ−ブチルフェニル）−ｎ−ブチル−１−マレイミド］、ポリ［（Ｓ）−（−）−１−（２，３，４，６−テトラ−ｉ−ブチルフェニル）−ｎ−ブチル−１−マレイミド］、ポリ［（Ｓ）−（−）−１−（２，３，５，６−テトラ−ｉ−ブチルフェニル）−ｎ−ブチル−１−マレイミド］、ポリ［（Ｓ）−（−）−１−（２，３，４，５，６−ペンタ−ｉ−ブチルフェニル）−ｎ−ブチル−１−マレイミド］、ポリ［（Ｓ）−（−）−１−（２−ｔ−ブチルフェニル）−ｎ−ブチル−１−マレイミド］、ポリ［（Ｓ）−（−）−１−（３−ｔ−ブチルフェニル）−ｎ−ブチル−１−マレイミド］、ポリ［（Ｓ）−（−）−１−（４−ｔ−ブチルフェニル）−ｎ−ブチル−１−マレイミド］、ポリ［（Ｓ）−（−）−１−（２，３−ジ−ｔ−ブチルフェニル）−ｎ−ブチル−１−マレイミド］、ポリ［（Ｓ）−（−）−１−（２，４−ジ−ｔ−ブチルフェニル）−ｎ−ブチル−１−マレイミド］、ポリ［（Ｓ）−（−）−１−（２，５−ジ−ｔ−ブチルフェニル）−ｎ−ブチル−１−マレイミド］、ポリ［（Ｓ）−（−）−１−（２，６−ジ−ｔ−ブチルフェニル）−ｎ−ブチル−１−マレイミド］、ポリ［（Ｓ）−（−）−１−（３，４−ジ−ｔ−ブチルフェニル）−ｎ−ブチル−１−マレイミド］、ポリ［（Ｓ）−（−）−１−（３，５−ジ−ｔ−ブチルフェニル）−ｎ−ブチル−１−マレイミド］、ポリ［（Ｓ）−（−）−１−（２，４，６−トリ−ｔ−ブチルフェニル）−ｎ−ブチル−１−マレイミド］、ポリ［（Ｓ）−（−）−１−（２，３，４，５−テトラ−ｔ−ブチルフェニル）−ｎ−ブチル−１−マレイミド］、ポリ［（Ｓ）−（−）−１−（２，３，４，６−テトラ−ｔ−ブチルフェニル）−ｎ−ブチル−１−マレイミド］、ポリ［（Ｓ）−（−）−１−（２，３，５，６−テトラ−ｔ−ブチルフェニル）−ｎ−ブチル−１−マレイミド］、ポリ［（Ｓ）−（−）−１−（２，３，４，５，６−ペンタ−ｔ−ブチルフェニル）−ｎ−ブチル−１−マレイミド］、ポリ［（Ｓ）−（−）−１−（２−メトキシフェニル）−ｎ−ブチル−１−マレイミド］、ポリ［（Ｓ）−（−）−１−（３−メトキシフェニル）−ｎ−ブチル−１−マレイミド］、ポリ［（Ｓ）−（−）−１−（４−メトキシフェニル）−ｎ−ブチル−１−マレイミド］、ポリ［（Ｓ）−（−）−１−（２、３−ジメトキシフェニル）−ｎ−ブチル−１−マレイミド］、ポリ［（Ｓ）−（−）−１−（２、４−ジメトキシフェニル）−ｎ−ブチル−１−マレイミド］、ポリ［（Ｓ）−（−）−１−（２、５−ジメトキシフェニル）−ｎ−ブチル−１−マレイミド］、ポリ［（Ｓ）−（−）−１−（２、６−ジメトキシフェニル）−ｎ−ブチル−１−マレイミド］、ポリ［（Ｓ）−（−）−１−（３、４−ジメトキシフェニル）−ｎ−ブチル−１−マレイミド］、ポリ［（Ｓ）−（−）−１−（３、５−ジメトキシフェニル）−ｎ−ブチル−１−マレイミド］、ポリ［（Ｓ）−（−）−１−（２、４、６−トリメトキシフェニル）−ｎ−ブチル−１−マレイミド］、ポリ［（Ｓ）−（−）−１−（２、３、４、５−テトラメトキシフェニル）−ｎ−ブチル−１−マレイミド］、ポリ［（Ｓ）−（−）−１−（２、３、４、６−テトラメトキシフェニル）−ｎ−ブチル−１−マレイミド］、ポリ［（Ｓ）−（−）−１−（２、３、５、６−テトラメトキシフェニル）−ｎ−ブチル−１−マレイミド］、ポリ［（Ｓ）−（−）−１−（２、３、４、５、６−ペンタメトキシフェニル）−ｎ−ブチル−１−マレイミド］、ポリ［（Ｓ）−（−）−１−（２−エトキシフェニル）−ｎ−ブチル−１−マレイミド］、ポリ［（Ｓ）−（−）−１−（３−エトキシフェニル）−ｎ−ブチル−１−マレイミド］、ポリ［（Ｓ）−（−）−１−（４−エトキシフェニル）−ｎ−ブチル−１−マレイミド］、ポリ［（Ｓ）−（−）−１−（２、３−ジエトキシフェニル）−ｎ−ブチル−１−マレイミド］、ポリ［（Ｓ）−（−）−１−（２、４−ジエトキシフェニル）−ｎ−ブチル−１−マレイミド］、ポリ［（Ｓ）−（−）−１−（２、５−ジエトキシフェニル）−ｎ−ブチル−１−マレイミド］、ポリ［（Ｓ）−（−）−１−（２、６−ジエトキシフェニル）−ｎ−ブチル−１−マレイミド］、ポリ［（Ｓ）−（−）−１−（３、４−ジエトキシフェニル）−ｎ−ブチル−１−マレイミド］、ポリ［（Ｓ）−（−）−１−（３、５−ジエトキシフェニル）−ｎ−ブチル−１−マレイミド］、ポリ［（Ｓ）−（−）−１−（２、４、６−トリエトキシフェニル）−ｎ−ブチル−１−マレイミド］、ポリ［（Ｓ）−（−）−１−（２、３、４、５−テトラエトキシフェニル）−ｎ−ブチル−１−マレイミド］、ポリ［（Ｓ）−（−）−１−（２、３、４、６−テトラエトキシフェニル）−ｎ−ブチル−１−マレイミド］、ポリ［（Ｓ）−（−）−１−（２、３、５、６−テトラエトキシフェニル）−ｎ−ブチル−１−マレイミド］、ポリ［（Ｓ）−（−）−１−（２、３、４、５、６−ペンタエトキシフェニル）−ｎ−ブチル−１−マレイミド］、等が挙げられ、これら（Ｓ）体と鏡像体の（Ｒ）体のモノマーを用い、不斉アニオン重合したポリマーも含まれる。
【００４０】
また、上記一般式（５）又は一般式（６）において、Ｒ６がｉ−ブチル基である化合物としては、例えば、ポリ［（Ｓ）−（−）−１−フェニル−３−メチルブチル−１−マレイミド］、ポリ［（Ｓ）−（−）−１−（２−メチルフェニル）−３−メチルブチル−１−マレイミド］、ポリ［（Ｓ）−（−）−１−（３−メチルフェニル）−３−メチルブチル−１−マレイミド］、ポリ［（Ｓ）−（−）−１−（４−メチルフェニル）−３−メチルブチル−１−マレイミド］、ポリ［（Ｓ）−（−）−１−（２，３−ジメチルフェニル）−３−メチルブチル−１−マレイミド］、ポリ［（Ｓ）−（−）−１−（２，４−ジメチルフェニル）−３−メチルブチル−１３−メチルブチル−１−マレイミド］、ポリ［（Ｓ）−（−）−１−（２，５−ジメチルフェニル）−３−メチルブチル−１３−メチルブチル−１−マレイミド］、ポリ［（Ｓ）−（−）−１−（２，６−ジメチルフェニル）−３−メチルブチル−１３−メチルブチル−１−マレイミド］、ポリ［（Ｓ）−（−）−１−（３，４−ジメチルフェニル）−３−メチルブチル−１３−メチルブチル−１−マレイミド］、ポリ［（Ｓ）−（−）−１−（３，５−ジメチルフェニル）−３−メチルブチル−１３−メチルブチル−１−マレイミド］、ポリ［（Ｓ）−（−）−１−（２，４，６−トリメチルフェニル）−３−メチルブチル−１−マレイミド］、ポリ［（Ｓ）−（−）−１−（２，３，４，５−テトラメチルフェニル）−３−メチルブチル−１−マレイミド］、ポリ［（Ｓ）−（−）−１−（２，３，４，６−テトラメチルフェニル）−３−メチルブチル−１−マレイミド］、ポリ［（Ｓ）−（−）−１−（２，３，５，６−テトラメチルフェニル）−３−メチルブチル−１−マレイミド］、ポリ［（Ｓ）−（−）−１−（２，３，４，５，６−ペンタメチルフェニル）−３−メチルブチル−１３−メチルブチル−１−マレイミド］、ポリ［（Ｓ）−（−）−１−（２−エチルフェニル）−３−メチルブチル−１３−メチルブチル−１−マレイミド］、ポリ［（Ｓ）−（−）−１−（３−エチルフェニル）−３−メチルブチル−１−マレイミド］、ポリ［（Ｓ）−（−）−１−（４−エチルフェニル）−３−メチルブチル−１−マレイミド］、ポリ［（Ｓ）−（−）−１−（２，３−ジエチルフェニル）−３−メチルブチル−１−マレイミド］、ポリ［（Ｓ）−（−）−１−（２，４−ジエチルフェニル）−３−メチルブチル−１−マレイミド］、ポリ［（Ｓ）−（−）−１−（２，５−ジエチルフェニル）−３−メチルブチル−１−マレイミド］、ポリ［（Ｓ）−（−）−１−（２，６−ジエチルフェニル）−３−メチルブチル−１−マレイミド］、ポリ［（Ｓ）−（−）−１−（３，４−ジエチルフェニル）−３−メチルブチル−１−マレイミド］、ポリ［（Ｓ）−（−）−１−（３，５−ジエチルフェニル）−３−メチルブチル−１−マレイミド］、ポリ［（Ｓ）−（−）−１−（２，４，６−トリエチルフェニル）−３−メチルブチル−１−マレイミド］、ポリ［（Ｓ）−（−）−１−（２，３，４，５−テトラエチルフェニル）−３−メチルブチル−１−マレイミド］、ポリ［（Ｓ）−（−）−１−（２，３，４，６−テトラエチルフェニル）−３−メチルブチル−１−マレイミド］、ポリ［（Ｓ）−（−）−１−（２，３，５，６−テトラエチルフェニル）−３−メチルブチル−１−マレイミド］、ポリ［（Ｓ）−（−）−１−（２，３，４，５，６−ペンタエチルフェニル）−３−メチルブチル−１−マレイミド］、ポリ［（Ｓ）−（−）−１−（２−ｎ−プロピルフェニル）−３−メチルブチル−１−マレイミド］、ポリ［（Ｓ）−（−）−１−（３−ｎ−プロピルフェニル）−３−メチルブチル−１−マレイミド］、ポリ［（Ｓ）−（−）−１−（４−ｎ−プロピルフェニル）−３−メチルブチル−１−マレイミド］、ポリ［（Ｓ）−（−）−１−（２，３−ジ−ｎ−プロピルフェニル）−３−メチルブチル−１−マレイミド］、ポリ［（Ｓ）−（−）−１−（２，４−ジ−ｎ−プロピルフェニル）−３−メチルブチル−１−マレイミド］、ポリ［（Ｓ）−（−）−１−（２，５−ジ−ｎ−プロピルフェニル）−３−メチルブチル−１−マレイミド］、ポリ［（Ｓ）−（−）−１−（２，６−ジ−ｎ−プロピルフェニル）−３−メチルブチル−１−マレイミド］、ポリ［（Ｓ）−（−）−１−（３，４−ジ−ｎ−プロピルフェニル）−３−メチルブチル−１−マレイミド］、ポリ［（Ｓ）−（−）−１−（３，５−ジ−ｎ−プロピルフェニル）−３−メチルブチル−１−マレイミド］、ポリ［（Ｓ）−（−）−１−（２，４，６−トリ−ｎ−プロピルフェニル）−３−メチルブチル−１−マレイミド］、ポリ［（Ｓ）−（−）−１−（２，３，４，５−テトラ−ｎ−プロピルフェニル）−３−メチルブチル−１−マレイミド］、ポリ［（Ｓ）−（−）−１−（２，３，４，６−テトラ−ｎ−プロピルフェニル）−３−メチルブチル−１−マレイミド］、ポリ［（Ｓ）−（−）−１−（２，３，５，６−テトラ−ｎ−プロピルフェニル）−３−メチルブチル−１−マレイミド］、ポリ［（Ｓ）−（−）−１−（２，３，４，５，６−ペンタ−ｎ−プロピルフェニル）−３−メチルブチル−１−マレイミド］、ポリ［（Ｓ）−（−）−１−（２−ｉ−プロピルフェニル）−３−メチルブチル−１−マレイミド］、ポリ［（Ｓ）−（−）−１−（３−ｉ−プロピルフェニル）−３−メチルブチル−１−マレイミド］、ポリ［（Ｓ）−（−）−１−（４−ｉ−プロピルフェニル）−３−メチルブチル−１−マレイミド］、ポリ［（Ｓ）−（−）−１−（２，３−ジ−ｉ−プロピルフェニル）−３−メチルブチル−１−マレイミド］、ポリ［（Ｓ）−（−）−１−（２，４−ジ−ｉ−プロピルフェニル）−３−メチルブチル−１−マレイミド］、ポリ［（Ｓ）−（−）−１−（２，５−ジ−ｉ−プロピルフェニル）−３−メチルブチル−１−マレイミド］、ポリ［（Ｓ）−（−）−１−（２，６−ジ−ｉ−プロピルフェニル）−３−メチルブチル−１−マレイミド］、ポリ［（Ｓ）−（−）−１−（３，４−ジ−ｉ−プロピルフェニル）−３−メチルブチル−１−マレイミド］、ポリ［（Ｓ）−（−）−１−（３，５−ジ−ｉ−プロピルフェニル）−３−メチルブチル−１−マレイミド］、ポリ［（Ｓ）−（−）−１−（２，４，６−トリ−ｉ−プロピルフェニル）−３−メチルブチル−１−マレイミド］、ポリ［（Ｓ）−（−）−１−（２，３，４，５−テトラ−ｉ−プロピルフェニル）−３−メチルブチル−１−マレイミド］、ポリ［（Ｓ）−（−）−１−（２，３，４，６−テトラ−ｉ−プロピルフェニル）−３−メチルブチル−１−マレイミド］、ポリ［（Ｓ）−（−）−１−（２，３，５，６−テトラ−ｉ−プロピルフェニル）−３−メチルブチル−１−マレイミド］、ポリ［（Ｓ）−（−）−１−（２，３，４，５，６−ペンタ−ｉ−プロピルフェニル）−３−メチルブチル−１−マレイミド］、ポリ［（Ｓ）−（−）−１−（２−ｎ−ブチルフェニル）−３−メチルブチル−１−マレイミド］、ポリ［（Ｓ）−（−）−１−（３−ｎ−ブチルフェニル）−３−メチルブチル−１−マレイミド］、ポリ［（Ｓ）−（−）−１−（４−ｎ−ブチルフェニル）−３−メチルブチル−１−マレイミド］、ポリ［（Ｓ）−（−）−１−（２，３−ジ−ｎ−ブチルフェニル）−３−メチルブチル−１−マレイミド］、ポリ［（Ｓ）−（−）−１−（２，４−ジ−ｎ−ブチルフェニル）−３−メチルブチル−１−マレイミド］、ポリ［（Ｓ）−（−）−１−（２，５−ジ−ｎ−ブチルフェニル）−３−メチルブチル−１−マレイミド］、ポリ［（Ｓ）−（−）−１−（２，６−ジ−ｎ−ブチルフェニル）−３−メチルブチル−１−マレイミド］、ポリ［（Ｓ）−（−）−１−（３，４−ジ−ｎ−ブチルフェニル）−３−メチルブチル−１−マレイミド］、ポリ［（Ｓ）−（−）−１−（３，５−ジ−ｎ−ブチルフェニル）−３−メチルブチル−１−マレイミド］、ポリ［（Ｓ）−（−）−１−（２，４，６−トリ−ｎ−ブチルフェニル）−３−メチルブチル−１−マレイミド］、ポリ［（Ｓ）−（−）−１−（２，３，４，５−テトラ−ｎ−ブチルフェニル）−３−メチルブチル−１−マレイミド］、ポリ［（Ｓ）−（−）−１−（２，３，４，６−テトラ−ｎ−ブチルフェニル）−３−メチルブチル−１−マレイミド］、ポリ［（Ｓ）−（−）−１−（２，３，５，６−テトラ−ｎ−ブチルフェニル）−３−メチルブチル−１−マレイミド］、ポリ［（Ｓ）−（−）−１−（２，３，４，５，６−ペンタ−ｎ−ブチルフェニル）−３−メチルブチル−１−マレイミド］、ポリ［（Ｓ）−（−）−１−（２−フェニル）−３−メチルブチル−１−マレイミド］、ポリ［（Ｓ）−（−）−１−（３−ｉ−ブチルフェニル）−３−メチルブチル−１−マレイミド］、ポリ［（Ｓ）−（−）−１−（４−ｉ−ブチルフェニル）−３−メチルブチル−１−マレイミド］、ポリ［（Ｓ）−（−）−１−（２，３−ジ−ｉ−ブチルフェニル）−３−メチルブチル−１−マレイミド］、ポリ［（Ｓ）−（−）−１−（２，４−ジ−ｉ−ブチルフェニル）−３−メチルブチル−１−マレイミド］、ポリ［（Ｓ）−（−）−１−（２，５−ジ−ｉ−ブチルフェニル）−３−メチルブチル−１−マレイミド］、ポリ［（Ｓ）−（−）−１−（２，６−ジ−ｉ−ブチルフェニル）−３−メチルブチル−１−マレイミド］、ポリ［（Ｓ）−（−）−１−（３，４−ジ−ｉ−ブチルフェニル）−３−メチルブチル−１−マレイミド］、ポリ［（Ｓ）−（−）−１−（３，５−ジ−ｉ−ブチルフェニル）−３−メチルブチル−１−マレイミド］、ポリ［（Ｓ）−（−）−１−（２，４，６−トリ−ｉ−ブチルフェニル）−３−メチルブチル−１−マレイミド］、ポリ［（Ｓ）−（−）−１−（２，３，４，５−テトラ−ｉ−ブチルフェニル）−３−メチルブチル−１−マレイミド］、ポリ［（Ｓ）−（−）−１−（２，３，４，６−テトラ−ｉ−ブチルフェニル）−３−メチルブチル−１−マレイミド］、ポリ［（Ｓ）−（−）−１−（２，３，５，６−テトラ−ｉ−ブチルフェニル）−３−メチルブチル−１−マレイミド］、ポリ［（Ｓ）−（−）−１−（２，３，４，５，６−ペンタ−ｉ−ブチルフェニル）−３−メチルブチル−１−マレイミド］、ポリ［（Ｓ）−（−）−１−（２−ｔ−ブチルフェニル）−３−メチルブチル−１−マレイミド］、ポリ［（Ｓ）−（−）−１−（３−ｔ−ブチルフェニル）−３−メチルブチル−１−マレイミド］、ポリ［（Ｓ）−（−）−１−（４−ｔ−ブチルフェニル）−３−メチルブチル−１−マレイミド］、ポリ［（Ｓ）−（−）−１−（２，３−ジ−ｔ−ブチルフェニル）−３−メチルブチル−１−マレイミド］、ポリ［（Ｓ）−（−）−１−（２，４−ジ−ｔ−ブチルフェニル）−３−メチルブチル−１−マレイミド］、ポリ［（Ｓ）−（−）−１−（２，５−ジ−ｔ−ブチルフェニル）−３−メチルブチル−１−マレイミド］、ポリ［（Ｓ）−（−）−１−（２，６−ジ−ｔ−ブチルフェニル）−３−メチルブチル−１−マレイミド］、ポリ［（Ｓ）−（−）−１−（３，４−ジ−ｔ−ブチルフェニル）−３−メチルブチル−１−マレイミド］、ポリ［（Ｓ）−（−）−１−（３，５−ジ−ｔ−ブチルフェニル）−３−メチルブチル−１−マレイミド］、ポリ［（Ｓ）−（−）−１−（２，４，６−トリ−ｔ−ブチルフェニル）−３−メチルブチル−１−マレイミド］、ポリ［（Ｓ）−（−）−１−（２，３，４，５−テトラ−ｔ−ブチルフェニル）−３−メチルブチル−１−マレイミド］、ポリ［（Ｓ）−（−）−１−（２，３，４，６−テトラ−ｔ−ブチルフェニル）−３−メチルブチル−１−マレイミド］、ポリ［（Ｓ）−（−）−１−（２，３，５，６−テトラ−ｔ−ブチルフェニル）−３−メチルブチル−１−マレイミド］、ポリ［（Ｓ）−（−）−１−（２，３，４，５，６−ペンタ−ｔ−ブチルフェニル）−３−メチルブチル−１−マレイミド］、ポリ［（Ｓ）−（−）−１−（２−メトキシフェニル）−３−メチルブチル−１−マレイミド］、ポリ［（Ｓ）−（−）−１−（３−メトキシフェニル）−３−メチルブチル−１−マレイミド］、ポリ［（Ｓ）−（−）−１−（４−メトキシフェニル）−３−メチルブチル−１−マレイミド］、ポリ［（Ｓ）−（−）−１−（２、３−ジメトキシフェニル）−３−メチルブチル−１−マレイミド］、ポリ［（Ｓ）−（−）−１−（２、４−ジメトキシフェニル）−３−メチルブチル−１−マレイミド］、ポリ［（Ｓ）−（−）−１−（２、５−ジメトキシフェニル）−３−メチルブチル−１−マレイミド］、ポリ［（Ｓ）−（−）−１−（２、６−ジメトキシフェニル）−３−メチルブチル−１−マレイミド］、ポリ［（Ｓ）−（−）−１−（３、４−ジメトキシフェニル）−３−メチルブチル−１−マレイミド］、ポリ［（Ｓ）−（−）−１−（３、５−ジメトキシフェニル）−３−メチルブチル−１−マレイミド］、ポリ［（Ｓ）−（−）−１−（２、４、６−トリメトキシフェニル）−３−メチルブチル−１−マレイミド］、ポリ［（Ｓ）−（−）−１−（２、３、４、５−テトラメトキシフェニル）−３−メチルブチル−１−マレイミド］、ポリ［（Ｓ）−（−）−１−（２、３、４、６−テトラメトキシフェニル）−３−メチルブチル−１−マレイミド］、ポリ［（Ｓ）−（−）−１−（２、３、５、６−テトラメトキシフェニル）−３−メチルブチル−１−マレイミド］、ポリ［（Ｓ）−（−）−１−（２、３、４、５、６−ペンタメトキシフェニル）−３−メチルブチル−１−マレイミド］、ポリ［（Ｓ）−（−）−１−（２−エトキシフェニル）−３−メチルブチル−１−マレイミド］、ポリ［（Ｓ）−（−）−１−（３−エトキシフェニル）−３−メチルブチル−１−マレイミド］、ポリ［（Ｓ）−（−）−１−（４−エトキシフェニル）−３−メチルブチル−１−マレイミド］、ポリ［（Ｓ）−（−）−１−（２、３−ジエトキシフェニル）−３−メチルブチル−１−マレイミド］、ポリ［（Ｓ）−（−）−１−（２、４−ジエトキシフェニル）−３−メチルブチル−１−マレイミド］、ポリ［（Ｓ）−（−）−１−（２、５−ジエトキシフェニル）−３−メチルブチル−１−マレイミド］、ポリ［（Ｓ）−（−）−１−（２、６−ジエトキシフェニル）−３−メチルブチル−１−マレイミド］、ポリ［（Ｓ）−（−）−１−（３、４−ジエトキシフェニル）−３−メチルブチル−１−マレイミド］、ポリ［（Ｓ）−（−）−１−（３、５−ジエトキシフェニル）−３−メチルブチル−１−マレイミド］、ポリ［（Ｓ）−（−）−１−（２、４、６−トリエトキシフェニル）−３−メチルブチル−１−マレイミド］、ポリ［（Ｓ）−（−）−１−（２、３、４、５−テトラエトキシフェニル）−３−メチルブチル−１−マレイミド］、ポリ［（Ｓ）−（−）−１−（２、３、４、６−テトラエトキシフェニル）−３−メチルブチル−１−マレイミド］、ポリ［（Ｓ）−（−）−１−（２、３、５、６−テトラエトキシフェニル）−３−メチルブチル−１−マレイミド］、ポリ［（Ｓ）−（−）−１−（２、３、４、５、６−ペンタエトキシフェニル）−３−メチルブチル−１−マレイミド］等が挙げられ、これら（Ｓ）体と鏡像体の（Ｒ）体のモノマーを用い、不斉アニオン重合したポリマーも含まれる。
【００４１】
また、上記一般式（５）又は一般式（６）において、Ｒ６がｔｅｒｔ−ブチル基である化合物としては、例えば、ポリ［（Ｓ）−（−）−１−フェニル−２，２−ジメチルプロピル−１−マレイミド］、ポリ［（Ｓ）−（−）−１−（２−メチルフェニル）−２，２−ジメチルプロピル−１−マレイミド］、ポリ［（Ｓ）−（−）−１−（３−メチルフェニル）−２，２−ジメチルプロピル−１−マレイミド］、ポリ［（Ｓ）−（−）−１−（４−メチルフェニル）−２，２−ジメチルプロピル−１−マレイミド］、ポリ［（Ｓ）−（−）−１−（２，３−ジメチルフェニル）−２，２−ジメチルプロピル−１−マレイミド］、ポリ［（Ｓ）−（−）−１−（２，４−ジメチルフェニル）−２，２−ジメチルプロピル−１−マレイミド］、ポリ［（Ｓ）−（−）−１−（２，５−ジメチルフェニル）−２，２−ジメチルプロピル−１−マレイミド］、ポリ［（Ｓ）−（−）−１−（２，６−ジメチルフェニル）−２，２−ジメチルプロピル−１−マレイミド］、ポリ［（Ｓ）−（−）−１−（３，４−ジメチルフェニル）−２，２−ジメチルプロピル−１−マレイミド］、ポリ［（Ｓ）−（−）−１−（３，５−ジメチルフェニル）−２，２−ジメチルプロピル−１−マレイミド］、ポリ［（Ｓ）−（−）−１−（２，４，６−トリメチルフェニル）−２，２−ジメチルプロピル１−マレイミド］、ポリ［（Ｓ）−（−）−１−（２，３，４，５−テトラメチルフェニル）−２，２−ジメチルプロピル１−マレイミド］、ポリ［（Ｓ）−（−）−１−（２，３，４，６−テトラメチルフェニル）−２，２−ジメチルプロピル１−マレイミド］、ポリ［（Ｓ）−（−）−１−（２，３，５，６−テトラメチルフェニル）−２，２−ジメチルプロピル１−マレイミド］、ポリ［（Ｓ）−（−）−１−（２，３，４，５，６−ペンタメチルフェニル）−２，２−ジメチルプロピル−１−マレイミド］、ポリ［（Ｓ）−（−）−１−（２−エチルフェニル）−２，２−ジメチルプロピル−１−マレイミド］、ポリ［（Ｓ）−（−）−１−（３−エチルフェニル）−２，２−ジメチルプロピル−１−マレイミド］、ポリ［（Ｓ）−（−）−１−（４−エチルフェニル）−２，２−ジメチルプロピル−１−マレイミド］、ポリ［（Ｓ）−（−）−１−（２，３−ジエチルフェニル）−２，２−ジメチルプロピル−１−マレイミド］、ポリ［（Ｓ）−（−）−１−（２，４−ジエチルフェニル）−２，２−ジメチルプロピル−１−マレイミド］、ポリ［（Ｓ）−（−）−１−（２，５−ジエチルフェニル）−２，２−ジメチルプロピル−１−マレイミド］、ポリ［（Ｓ）−（−）−１−（２，６−ジエチルフェニル）−２，２−ジメチルプロピル−１−マレイミド］、ポリ［（Ｓ）−（−）−１−（３，４−ジエチルフェニル）−２，２−ジメチルプロピル−１−マレイミド］、ポリ［（Ｓ）−（−）−１−（３，５−ジエチルフェニル）−２，２−ジメチルプロピル−１−マレイミド］、ポリ［（Ｓ）−（−）−１−（２，４，６−トリエチルフェニル）−２，２−ジメチルプロピル１−マレイミド］、ポリ［（Ｓ）−（−）−１−（２，３，４，５−テトラエチルフェニル）−２，２−ジメチルプロピル−１−マレイミド］、ポリ［（Ｓ）−（−）−１−（２，３，４，６−テトラエチルフェニル）−２，２−ジメチルプロピル−１−マレイミド］、ポリ［（Ｓ）−（−）−１−（２，３，５，６−テトラエチルフェニル）−２，２−ジメチルプロピル−１−マレイミド］、ポリ［（Ｓ）−（−）−１−（２，３，４，５，６−ペンタエチルフェニル）−２，２−ジメチルプロピル−１−マレイミド］、ポリ［（Ｓ）−（−）−１−（２−ｎ−プロピルフェニル）−２，２−ジメチルプロピル−１−マレイミド］、ポリ［（Ｓ）−（−）−１−（３−ｎ−プロピルフェニル）−２，２−ジメチルプロピル−１−マレイミド］、ポリ［（Ｓ）−（−）−１−（４−ｎ−プロピルフェニル）−２，２−ジメチルプロピル−１−マレイミド］、ポリ［（Ｓ）−（−）−１−（２，３−ジ−ｎ−プロピルフェニル）−２，２−ジメチルプロピル−１−マレイミド］、ポリ［（Ｓ）−（−）−１−（２，４−ジ−ｎ−プロピルフェニル）−２，２−ジメチルプロピル−１−マレイミド］、ポリ［（Ｓ）−（−）−１−（２，５−ジ−ｎ−プロピルフェニル）−２，２−ジメチルプロピル−１−マレイミド］、ポリ［（Ｓ）−（−）−１−（２，６−ジ−ｎ−プロピルフェニル）−２，２−ジメチルプロピル−１−マレイミド］、ポリ［（Ｓ）−（−）−１−（３，４−ジ−ｎ−プロピルフェニル）−２，２−ジメチルプロピル−１−マレイミド］、ポリ［（Ｓ）−（−）−１−（３，５−ジ−ｎ−プロピルフェニル）−２，２−ジメチルプロピル−１−マレイミド］、ポリ［（Ｓ）−（−）−１−（２，４，６−トリ−ｎ−プロピルフェニル）−２，２−ジメチルプロピル−１−マレイミド］、ポリ［（Ｓ）−（−）−１−（２，３，４，５−テトラ−ｎ−プロピルフェニル）−２，２−ジメチルプロピル−１−マレイミド］、ポリ［（Ｓ）−（−）−１−（２，３，４，６−テトラ−ｎ−プロピルフェニル）−２，２−ジメチルプロピル−１−マレイミド］、ポリ［（Ｓ）−（−）−１−（２，３，５，６−テトラ−ｎ−プロピルフェニル）−２，２−ジメチルプロピル−１−マレイミド］、ポリ［（Ｓ）−（−）−１−（２，３，４，５，６−ペンタ−ｎ−プロピルフェニル）−２，２−ジメチルプロピル−１−マレイミド］、ポリ［（Ｓ）−（−）−１−（２−ｉ−プロピルフェニル）−２，２−ジメチルプロピル−１−マレイミド］、ポリ［（Ｓ）−（−）−１−（３−ｉ−プロピルフェニル）−２，２−ジメチルプロピル−１−マレイミド］、ポリ［（Ｓ）−（−）−１−（４−ｉ−プロピルフェニル）−２，２−ジメチルプロピル−１−マレイミド］、ポリ［（Ｓ）−（−）−１−（２，３−ジ−ｉ−プロピルフェニル）−２，２−ジメチルプロピル−１−マレイミド］、ポリ［（Ｓ）−（−）−１−（２，４−ジ−ｉ−プロピルフェニル）−２，２−ジメチルプロピル−１−マレイミド］、ポリ［（Ｓ）−（−）−１−（２，５−ジ−ｉ−プロピルフェニル）−２，２−ジメチルプロピル−１−マレイミド］、ポリ［（Ｓ）−（−）−１−（２，６−ジ−ｉ−プロピルフェニル）−２，２−ジメチルプロピル−１−マレイミド］、ポリ［（Ｓ）−（−）−１−（３，４−ジ−ｉ−プロピルフェニル）−２，２−ジメチルプロピル−１−マレイミド］、ポリ［（Ｓ）−（−）−１−（３，５−ジ−ｉ−プロピルフェニル）−２，２−ジメチルプロピル−１−マレイミド］、ポリ［（Ｓ）−（−）−１−（２，４，６−トリ−ｉ−プロピルフェニル）−２，２−ジメチルプロピル−１−マレイミド］、ポリ［（Ｓ）−（−）−１−（２，３，４，５−テトラ−ｉ−プロピルフェニル）−２，２−ジメチルプロピル−１−マレイミド］、ポリ［（Ｓ）−（−）−１−（２，３，４，６−テトラ−ｉ−プロピルフェニル）−２，２−ジメチルプロピル−１−マレイミド］、ポリ［（Ｓ）−（−）−１−（２，３，５，６−テトラ−ｉ−プロピルフェニル）−２，２−ジメチルプロピル−１−マレイミド］、ポリ［（Ｓ）−（−）−１−（２，３，４，５，６−ペンタ−ｉ−プロピルフェニル）−２，２−ジメチルプロピル−１−マレイミド］、ポリ［（Ｓ）−（−）−１−（２−ｎ−ブチルフェニル）−２，２−ジメチルプロピル−１−マレイミド］、ポリ［（Ｓ）−（−）−１−（３−ｎ−ブチルフェニル）−２，２−ジメチルプロピル−１−マレイミド］、ポリ［（Ｓ）−（−）−１−（４−ｎ−ブチルフェニル）−２，２−ジメチルプロピル−１−マレイミド］、ポリ［（Ｓ）−（−）−１−（２，３−ジ−ｎ−ブチルフェニル）−２，２−ジメチルプロピル−１−マレイミド］、ポリ［（Ｓ）−（−）−１−（２，４−ジ−ｎ−ブチルフェニル）−２，２−ジメチルプロピル−１−マレイミド］、ポリ［（Ｓ）−（−）−１−（２，５−ジ−ｎ−ブチルフェニル）−２，２−ジメチルプロピル−１−マレイミド］、ポリ［（Ｓ）−（−）−１−（２，６−ジ−ｎ−ブチルフェニル）−２，２−ジメチルプロピル−１−マレイミド］、ポリ［（Ｓ）−（−）−１−（３，４−ジ−ｎ−ブチルフェニル）−２，２−ジメチルプロピル−１−マレイミド］、ポリ［（Ｓ）−（−）−１−（３，５−ジ−ｎ−ブチルフェニル）−２，２−ジメチルプロピル−１−マレイミド］、ポリ［（Ｓ）−（−）−１−（２，４，６−トリ−ｎ−ブチルフェニル）−２，２−ジメチルプロピル−１−マレイミド］、ポリ［（Ｓ）−（−）−１−（２，３，４，５−テトラ−ｎ−ブチルフェニル）−２，２−ジメチルプロピル−１−マレイミド］、ポリ［（Ｓ）−（−）−１−（２，３，４，６−テトラ−ｎ−ブチルフェニル）−２，２−ジメチルプロピル−１−マレイミド］、ポリ［（Ｓ）−（−）−１−（２，３，５，６−テトラ−ｎ−ブチルフェニル）−２，２−ジメチルプロピル−１−マレイミド］、ポリ［（Ｓ）−（−）−１−（２，３，４，５，６−ペンタ−ｎ−ブチルフェニル）−２，２−ジメチルプロピル−１−マレイミド］、ポリ［（Ｓ）−（−）−１−（２−フェニル）−２，２−ジメチルプロピル−１−マレイミド］、ポリ［（Ｓ）−（−）−１−（３−ｉ−ブチルフェニル）−２，２−ジメチルプロピル−１−マレイミド］、ポリ［（Ｓ）−（−）−１−（４−ｉ−ブチルフェニル）−２，２−ジメチルプロピル−１−マレイミド］、ポリ［（Ｓ）−（−）−１−（２，３−ジ−ｉ−ブチルフェニル）−２，２−ジメチルプロピル−１−マレイミド］、ポリ［（Ｓ）−（−）−１−（２，４−ジ−ｉ−ブチルフェニル）−２，２−ジメチルプロピル−１−マレイミド］、ポリ［（Ｓ）−（−）−１−（２，５−ジ−ｉ−ブチルフェニル）−２，２−ジメチルプロピル−１−マレイミド］、ポリ［（Ｓ）−（−）−１−（２，６−ジ−ｉ−ブチルフェニル）−２，２−ジメチルプロピル−１−マレイミド］、ポリ［（Ｓ）−（−）−１−（３，４−ジ−ｉ−ブチルフェニル）−２，２−ジメチルプロピル−１−マレイミド］、ポリ［（Ｓ）−（−）−１−（３，５−ジ−ｉ−ブチルフェニル）−２，２−ジメチルプロピル−１−マレイミド］、ポリ［（Ｓ）−（−）−１−（２，４，６−トリ−ｉ−ブチルフェニル）−２，２−ジメチルプロピル−１−マレイミド］、ポリ［（Ｓ）−（−）−１−（２，３，４，５−テトラ−ｉ−ブチルフェニル）−２，２−ジメチルプロピル−１−マレイミド］、ポリ［（Ｓ）−（−）−１−（２，３，４，６−テトラ−ｉ−ブチルフェニル）−２，２−ジメチルプロピル−１−マレイミド］、ポリ［（Ｓ）−（−）−１−（２，３，５，６−テトラ−ｉ−ブチルフェニル）−２，２−ジメチルプロピル−１−マレイミド］、ポリ［（Ｓ）−（−）−１−（２，３，４，５，６−ペンタ−ｉ−ブチルフェニル）−２，２−ジメチルプロピル−１−マレイミド］、ポリ［（Ｓ）−（−）−１−（２−２，２−ジメチルプロピル−フェニル）−２，２−ジメチルプロピル−１−マレイミド］、ポリ［（Ｓ）−（−）−１−（３−２，２−ジメチルプロピル−フェニル）−２，２−ジメチルプロピル−１−マレイミド］、ポリ［（Ｓ）−（−）−１−（４−ｔ−ブチルフェニル）−２，２−ジメチルプロピル−１−マレイミド］、ポリ［（Ｓ）−（−）−１−（２，３−ジ−ｔ−ブチルフェニル）−２，２−ジメチルプロピル−１−マレイミド］、ポリ［（Ｓ）−（−）−１−（２，４−ジ−ｔ−ブチルフェニル）−２，２−ジメチルプロピル−１−マレイミド］、ポリ［（Ｓ）−（−）−１−（２，５−ジ−ｔ−ブチルフェニル）−２，２−ジメチルプロピル−１−マレイミド］、ポリ［（Ｓ）−（−）−１−（２，６−ジ−ｔ−ブチルフェニル）−２，２−ジメチルプロピル−１−マレイミド］、ポリ［（Ｓ）−（−）−１−（３，４−ジ−ｔ−ブチルフェニル）−２，２−ジメチルプロピル−１−マレイミド］、ポリ［（Ｓ）−（−）−１−（３，５−ジ−ｔ−ブチルフェニル）−２，２−ジメチルプロピル−１−マレイミド］、ポリ［（Ｓ）−（−）−１−（２，４，６−トリ−ｔ−ブチルフェニル）−２，２−ジメチルプロピル−１−マレイミド］、ポリ［（Ｓ）−（−）−１−（２，３，４，５−テトラ−ｔ−ブチルフェニル）−２，２−ジメチルプロピル−１−マレイミド］、ポリ［（Ｓ）−（−）−１−（２，３，４，６−テトラ−ｔ−ブチルフェニル）−２，２−ジメチルプロピル−１−マレイミド］、ポリ［（Ｓ）−（−）−１−（２，３，５，６−テトラ−ｔ−ブチルフェニル）−２，２−ジメチルプロピル−１−マレイミド］、ポリ［（Ｓ）−（−）−１−（２，３，４，５，６−ペンタ−ｔ−ブチルフェニル）−２，２−ジメチルプロピル−１−マレイミド］、ポリ［（Ｓ）−（−）−１−（２−メトキシフェニル）−２，２−ジメチルプロピル−１−マレイミド］、ポリ［（Ｓ）−（−）−１−（３−メトキシフェニル）−２，２−ジメチルプロピル−１−マレイミド］、ポリ［（Ｓ）−（−）−１−（４−メトキシフェニル）−２，２−ジメチルプロピル−１−マレイミド］、ポリ［（Ｓ）−（−）−１−（２、３−ジメトキシフェニル）−２，２−ジメチルプロピル−１−マレイミド］、ポリ［（Ｓ）−（−）−１−（２、４−ジメトキシフェニル）−２，２−ジメチルプロピル−１−マレイミド］、ポリ［（Ｓ）−（−）−１−（２、５−ジメトキシフェニル）−２，２−ジメチルプロピル−１−マレイミド］、ポリ［（Ｓ）−（−）−１−（２、６−ジメトキシフェニル）−２，２−ジメチルプロピル−１−マレイミド］、ポリ［（Ｓ）−（−）−１−（３、４−ジメトキシフェニル）−２，２−ジメチルプロピル−１−マレイミド］、ポリ［（Ｓ）−（−）−１−（３、５−ジメトキシフェニル）−２，２−ジメチルプロピル−１−マレイミド］、ポリ［（Ｓ）−（−）−１−（２、４、６−トリメトキシフェニル）−２，２−ジメチルプロピル−１−マレイミド］、ポリ［（Ｓ）−（−）−１−（２、３、４、５−テトラメトキシフェニル）−２，２−ジメチルプロピル−１−マレイミド］、ポリ［（Ｓ）−（−）−１−（２、３、４、６−テトラメトキシフェニル）−２，２−ジメチルプロピル−１−マレイミド］、ポリ［（Ｓ）−（−）−１−（２、３、５、６−テトラメトキシフェニル）−２，２−ジメチルプロピル−１−マレイミド］、ポリ［（Ｓ）−（−）−１−（２、３、４、５、６−ペンタメトキシフェニル）−２，２−ジメチルプロピル−１−マレイミド］、ポリ［（Ｓ）−（−）−１−（２−エトキシフェニル）−２，２−ジメチルプロピル−１−マレイミド］、ポリ［（Ｓ）−（−）−１−（３−エトキシフェニル）−２，２−ジメチルプロピル−１−マレイミド］、ポリ［（Ｓ）−（−）−１−（４−エトキシフェニル）−２，２−ジメチルプロピル−１−マレイミド］、ポリ［（Ｓ）−（−）−１−（２、３−ジエトキシフェニル）−２，２−ジメチルプロピル−１−マレイミド］、ポリ［（Ｓ）−（−）−１−（２、４−ジエトキシフェニル）−２，２−ジメチルプロピル−１−マレイミド］、ポリ［（Ｓ）−（−）−１−（２、５−ジエトキシフェニル）−２，２−ジメチルプロピル−１−マレイミド］、ポリ［（Ｓ）−（−）−１−（２、６−ジエトキシフェニル）−２，２−ジメチルプロピル−１−マレイミド］、ポリ［（Ｓ）−（−）−１−（３、４−ジエトキシフェニル）−２，２−ジメチルプロピル−１−マレイミド］、ポリ［（Ｓ）−（−）−１−（３、５−ジエトキシフェニル）−２，２−ジメチルプロピル−１−マレイミド］、ポリ［（Ｓ）−（−）−１−（２、４、６−トリエトキシフェニル）−２，２−ジメチルプロピル−１−マレイミド］、ポリ［（Ｓ）−（−）−１−（２、３、４、５−テトラエトキシフェニル）−２，２−ジメチルプロピル−１−マレイミド］、ポリ［（Ｓ）−（−）−１−（２、３、４、６−テトラエトキシフェニル）−２，２−ジメチルプロピル−１−マレイミド］、ポリ［（Ｓ）−（−）−１−（２、３、５、６−テトラエトキシフェニル）−２，２−ジメチルプロピル−１−マレイミド］、ポリ［（Ｓ）−（−）−１−（２、３、４、５、６−ペンタエトキシフェニル）−２，２−ジメチルプロピル−１−マレイミド］等が挙げられ、これら（Ｓ）体と鏡像体の（Ｒ）体のモノマーを用い、不斉アニオン重合したポリマーも含まれる。
【００４２】
また、上記一般式（５）又は一般式（６）において、Ｒ６がｎ−ブチル基である化合物としては、例えば、ポリ［（Ｓ）−（−）−１−フェニル−ｎ−ペンチル−１−マレイミド］、ポリ［（Ｓ）−（−）−１−（２−メチルフェニル）−ｎ−ペンチル−１−マレイミド］、ポリ［（Ｓ）−（−）−１−（３−メチルフェニル）−ｎ−ペンチル−１−マレイミド］、ポリ［（Ｓ）−（−）−１−（４−メチルフェニル）−ｎ−ペンチル−１−マレイミド］、ポリ［（Ｓ）−（−）−１−（２，３−ジメチルフェニル）−ｎ−ペンチル−１−マレイミド］、ポリ［（Ｓ）−（−）−１−（２，４−ジメチルフェニル）−ｎ−ペンチル−１−マレイミド］、ポリ［（Ｓ）−（−）−１−（２，５−ジメチルフェニル）−ｎ−ペンチル−１−マレイミド］、ポリ［（Ｓ）−（−）−１−（２，６−ジメチルフェニル）−ｎ−ペンチル−１−マレイミド］、ポリ［（Ｓ）−（−）−１−（３，４−ジメチルフェニル）−ｎ−ペンチル−１−マレイミド］、ポリ［（Ｓ）−（−）−１−（３，５−ジメチルフェニル）−ｎ−ペンチル−１−マレイミド］、ポリ［（Ｓ）−（−）−１−（２，４，６−トリメチルフェニル）−ｎ−ペンチル−１−マレイミド］、ポリ［（Ｓ）−（−）−１−（２，３，４，５−テトラメチルフェニル）−ｎ−ペンチル−１−マレイミド］、ポリ［（Ｓ）−（−）−１−（２，３，４，６−テトラメチルフェニル）−ｎ−ペンチル−１−マレイミド］、ポリ［（Ｓ）−（−）−１−（２，３，５，６−テトラメチルフェニル）−ｎ−ペンチル−１−マレイミド］、ポリ［（Ｓ）−（−）−１−（２，３，４，５，６−ペンタメチルフェニル）−ｎ−ペンチル−１−マレイミド］、ポリ［（Ｓ）−（−）−１−（２−エチルフェニル）−ｎ−ペンチル−１−マレイミド］、ポリ［（Ｓ）−（−）−１−（３−エチルフェニル）−ｎ−ペンチル−１−マレイミド］、ポリ［（Ｓ）−（−）−１−（４−エチルフェニル）−ｎ−ペンチル−１−マレイミド］、ポリ［（Ｓ）−（−）−１−（２，３−ジエチルフェニル）−ｎ−ペンチル−１−マレイミド］、ポリ［（Ｓ）−（−）−１−（２，４−ジエチルフェニル）−ｎ−ペンチル−１−マレイミド］、ポリ［（Ｓ）−（−）−１−（２，５−ジエチルフェニル）−ｎ−ペンチル−１−マレイミド］、ポリ［（Ｓ）−（−）−１−（２，６−ジエチルフェニル）−ｎ−ペンチル−１−マレイミド］、ポリ［（Ｓ）−（−）−１−（３，４−ジエチルフェニル）−ｎ−ペンチル−１−マレイミド］、ポリ［（Ｓ）−（−）−１−（３，５−ジエチルフェニル）−ｎ−ペンチル−１−マレイミド］、ポリ［（Ｓ）−（−）−１−（２，４，６−トリエチルフェニル）−ｎ−ペンチル−１−マレイミド］、ポリ［（Ｓ）−（−）−１−（２，３，４，５−テトラエチルフェニル）−ｎ−ペンチル−１−マレイミド］、ポリ［（Ｓ）−（−）−１−（２，３，４，６−テトラエチルフェニル）−ｎ−ペンチル−１−マレイミド］、ポリ［（Ｓ）−（−）−１−（２，３，５，６−テトラエチルフェニル）−ｎ−ペンチル−１−マレイミド］、ポリ［（Ｓ）−（−）−１−（２，３，４，５，６−ペンタエチルフェニル）−ｎ−ペンチル−１−マレイミド］、ポリ［（Ｓ）−（−）−１−（２−ｎ−プロピルフェニル）−ｎ−ペンチル−１−マレイミド］、ポリ［（Ｓ）−（−）−１−（３−ｎ−プロピルフェニル）−ｎ−ペンチル−１−マレイミド］、ポリ［（Ｓ）−（−）−１−（４−ｎ−プロピルフェニル）−ｎ−ペンチル−１−マレイミド］、ポリ［（Ｓ）−（−）−１−（２，３−ジ−ｎ−プロピルフェニル）−ｎ−ペンチル−１−マレイミド］、ポリ［（Ｓ）−（−）−１−（２，４−ジ−ｎ−プロピルフェニル）−ｎ−ペンチル−１−マレイミド］、ポリ［（Ｓ）−（−）−１−（２，５−ジ−ｎ−プロピルフェニル）−ｎ−ペンチル−１−マレイミド］、ポリ［（Ｓ）−（−）−１−（２，６−ジ−ｎ−プロピルフェニル）−ｎ−ペンチル−１−マレイミド］、ポリ［（Ｓ）−（−）−１−（３，４−ジ−ｎ−プロピルフェニル）−ｎ−ペンチル−１−マレイミド］、ポリ［（Ｓ）−（−）−１−（３，５−ジ−ｎ−プロピルフェニル）−ｎ−ペンチル−１−マレイミド］、ポリ［（Ｓ）−（−）−１−（２，４，６−トリ−ｎ−プロピルフェニル）−ｎ−ペンチル−１−マレイミド］、ポリ［（Ｓ）−（−）−１−（２，３，４，５−テトラ−ｎ−プロピルフェニル）−ｎ−ペンチル−１−マレイミド］、ポリ［（Ｓ）−（−）−１−（２，３，４，６−テトラ−ｎ−プロピルフェニル）−ｎ−ペンチル−１−マレイミド］、ポリ［（Ｓ）−（−）−１−（２，３，５，６−テトラ−ｎ−プロピルフェニル）−ｎ−ペンチル−１−マレイミド］、ポリ［（Ｓ）−（−）−１−（２，３，４，５，６−ペンタ−ｎ−プロピルフェニル）−ｎ−ペンチル−１−マレイミド］、ポリ［（Ｓ）−（−）−１−（２−ｉ−プロピルフェニル）−ｎ−ペンチル−１−マレイミド］、ポリ［（Ｓ）−（−）−１−（３−ｉ−プロピルフェニル）−ｎ−ペンチル−１−マレイミド］、ポリ［（Ｓ）−（−）−１−（４−ｉ−プロピルフェニル）−ｎ−ペンチル−１−マレイミド］、ポリ［（Ｓ）−（−）−１−（２，３−ジ−ｉ−プロピルフェニル）−ｎ−ペンチル−１−マレイミド］、ポリ［（Ｓ）−（−）−１−（２，４−ジ−ｉ−プロピルフェニル）−ｎ−ペンチル−１−マレイミド］、ポリ［（Ｓ）−（−）−１−（２，５−ジ−ｉ−プロピルフェニル）−ｎ−ペンチル−１−マレイミド］、ポリ［（Ｓ）−（−）−１−（２，６−ジ−ｉ−プロピルフェニル）−ｎ−ペンチル−１−マレイミド］、ポリ［（Ｓ）−（−）−１−（３，４−ジ−ｉ−プロピルフェニル）−ｎ−ペンチル−１−マレイミド］、ポリ［（Ｓ）−（−）−１−（３，５−ジ−ｉ−プロピルフェニル）−ｎ−ペンチル−１−マレイミド］、ポリ［（Ｓ）−（−）−１−（２，４，６−トリ−ｉ−プロピルフェニル）−ｎ−ペンチル−１−マレイミド］、ポリ［（Ｓ）−（−）−１−（２，３，４，５−テトラ−ｉ−プロピルフェニル）−ｎ−ペンチル−１−マレイミド］、ポリ［（Ｓ）−（−）−１−（２，３，４，６−テトラ−ｉ−プロピルフェニル）−ｎ−ペンチル−１−マレイミド］、ポリ［（Ｓ）−（−）−１−（２，３，５，６−テトラ−ｉ−プロピルフェニル）−ｎ−ペンチル−１−マレイミド］、ポリ［（Ｓ）−（−）−１−（２，３，４，５，６−ペンタ−ｉ−プロピルフェニル）−ｎ−ペンチル−１−マレイミド］、ポリ［（Ｓ）−（−）−１−（２−ｎ−ブチルフェニル）−ｎ−ペンチル−１−マレイミド］、ポリ［（Ｓ）−（−）−１−（３−ｎ−ブチルフェニル）−ｎ−ペンチル−１−マレイミド］、ポリ［（Ｓ）−（−）−１−（４−ｎ−ブチルフェニル）−ｎ−ペンチル−１−マレイミド］、ポリ［（Ｓ）−（−）−１−（２，３−ジ−ｎ−ブチルフェニル）−ｎ−ペンチル−１−マレイミド］、ポリ［（Ｓ）−（−）−１−（２，４−ジ−ｎ−ブチルフェニル）−ｎ−ペンチル−１−マレイミド］、ポリ［（Ｓ）−（−）−１−（２，５−ジ−ｎ−ブチルフェニル）−ｎ−ペンチル−１−マレイミド］、ポリ［（Ｓ）−（−）−１−（２，６−ジ−ｎ−ブチルフェニル）−ｎ−ペンチル−１−マレイミド］、ポリ［（Ｓ）−（−）−１−（３，４−ジ−ｎ−ブチルフェニル）−ｎ−ペンチル−１−マレイミド］、ポリ［（Ｓ）−（−）−１−（３，５−ジ−ｎ−ブチルフェニル）−ｎ−ペンチル−１−マレイミド］、ポリ［（Ｓ）−（−）−１−（２，４，６−トリ−ｎ−ブチルフェニル）−ｎ−ペンチル−１−マレイミド］、ポリ［（Ｓ）−（−）−１−（２，３，４，５−テトラ−ｎ−ブチルフェニル）−ｎ−ペンチル−１−マレイミド］、ポリ［（Ｓ）−（−）−１−（２，３，４，６−テトラ−ｎ−ブチルフェニル）−ｎ−ペンチル−１−マレイミド］、ポリ［（Ｓ）−（−）−１−（２，３，５，６−テトラ−ｎ−ブチルフェニル）−ｎ−ペンチル−１−マレイミド］、ポリ［（Ｓ）−（−）−１−（２，３，４，５，６−ペンタ−ｎ−ブチルフェニル）−ｎ−ペンチル−１−マレイミド］、ポリ［（Ｓ）−（−）−１−（２−ｉ−ブチルフェニル）−ｎ−ペンチル−１−マレイミド］、ポリ［（Ｓ）−（−）−１−（３−ｉ−ブチルフェニル）−ｎ−ペンチル−１−マレイミド］、ポリ［（Ｓ）−（−）−１−（４−ｉ−ブチルフェニル）−ｎ−ペンチル−１−マレイミド］、ポリ［（Ｓ）−（−）−１−（２，３−ジ−ｉ−ブチルフェニル）−ｎ−ペンチル−１−マレイミド］、ポリ［（Ｓ）−（−）−１−（２，４−ジ−ｉ−ブチルフェニル）−ｎ−ペンチル−１−マレイミド］、ポリ［（Ｓ）−（−）−１−（２，５−ジ−ｉ−ブチルフェニル）−ｎ−ペンチル−１−マレイミド］、ポリ［（Ｓ）−（−）−１−（２，６−ジ−ｉ−ブチルフェニル）−ｎ−ペンチル−１−マレイミド］、ポリ［（Ｓ）−（−）−１−（３，４−ジ−ｉ−ブチルフェニル）−ｎ−ペンチル−１−マレイミド］、ポリ［（Ｓ）−（−）−１−（３，５−ジ−ｉ−ブチルフェニル）−ｎ−ペンチル−１−マレイミド］、ポリ［（Ｓ）−（−）−１−（２，４，６−トリ−ｉ−ブチルフェニル）−ｎ−ペンチル−１−マレイミド］、ポリ［（Ｓ）−（−）−１−（２，３，４，５−テトラ−ｉ−ブチルフェニル）−ｎ−ペンチル−１−マレイミド］、ポリ［（Ｓ）−（−）−１−（２，３，４，６−テトラ−ｉ−ブチルフェニル）−ｎ−ペンチル−１−マレイミド］、ポリ［（Ｓ）−（−）−１−（２，３，５，６−テトラ−ｉ−ブチルフェニル）−ｎ−ペンチル−１−マレイミド］、ポリ［（Ｓ）−（−）−１−（２，３，４，５，６−ペンタ−ｉ−ブチルフェニル）−ｎ−ペンチル−１−マレイミド］、ポリ［（Ｓ）−（−）−１−（２−ｔ−ブチルフェニル）−ｎ−ペンチル−１−マレイミド］、ポリ［（Ｓ）−（−）−１−（３−ｔ−ブチルフェニル）−ｎ−ペンチル−１−マレイミド］、ポリ［（Ｓ）−（−）−１−（４−ｔ−ブチルフェニル）−ｎ−ペンチル−１−マレイミド］、ポリ［（Ｓ）−（−）−１−（２，３−ジ−ｔ−ブチルフェニル）−ｎ−ペンチル−１−マレイミド］、ポリ［（Ｓ）−（−）−１−（２，４−ジ−ｔ−ブチルフェニル）−ｎ−ペンチル−１−マレイミド］、ポリ［（Ｓ）−（−）−１−（２，５−ジ−ｔ−ブチルフェニル）−ｎ−ペンチル−１−マレイミド］、ポリ［（Ｓ）−（−）−１−（２，６−ジ−ｔ−ブチルフェニル）−ｎ−ペンチル−１−マレイミド］、ポリ［（Ｓ）−（−）−１−（３，４−ジ−ｔ−ブチルフェニル）−ｎ−ペンチル−１−マレイミド］、ポリ［（Ｓ）−（−）−１−（３，５−ジ−ｔ−ブチルフェニル）−ｎ−ペンチル−１−マレイミド］、ポリ［（Ｓ）−（−）−１−（２，４，６−トリ−ｔ−ブチルフェニル）−ｎ−ペンチル−１−マレイミド］、ポリ［（Ｓ）−（−）−１−（２，３，４，５−テトラ−ｔ−ブチルフェニル）−ｎ−ペンチル−１−マレイミド］、ポリ［（Ｓ）−（−）−１−（２，３，４，６−テトラ−ｔ−ブチルフェニル）−ｎ−ペンチル−１−マレイミド］、ポリ［（Ｓ）−（−）−１−（２，３，５，６−テトラ−ｔ−ブチルフェニル）−ｎ−ペンチル−１−マレイミド］、ポリ［（Ｓ）−（−）−１−（２，３，４，５，６−ペンタ−ｔ−ブチルフェニル）−ｎ−ペンチル−１−マレイミド］、ポリ［（Ｓ）−（−）−１−（２−メトキシフェニル）−ｎ−ペンチル−１−マレイミド］、ポリ［（Ｓ）−（−）−１−（３−メトキシフェニル）−ｎ−ペンチル−１−マレイミド］、ポリ［（Ｓ）−（−）−１−（４−メトキシフェニル）−ｎ−ペンチル−１−マレイミド］、ポリ［（Ｓ）−（−）−１−（２、３−ジメトキシフェニル）−ｎ−ペンチル−１−マレイミド］、ポリ［（Ｓ）−（−）−１−（２、４−ジメトキシフェニル）−ｎ−ペンチル−１−マレイミド］、ポリ［（Ｓ）−（−）−１−（２、５−ジメトキシフェニル）−ｎ−ペンチル−１−マレイミド］、ポリ［（Ｓ）−（−）−１−（２、６−ジメトキシフェニル）−ｎ−ペンチル−１−マレイミド］、ポリ［（Ｓ）−（−）−１−（３、４−ジメトキシフェニル）−ｎ−ペンチル−１−マレイミド］、ポリ［（Ｓ）−（−）−１−（３、５−ジメトキシフェニル）−ｎ−ペンチル−１−マレイミド］、ポリ［（Ｓ）−（−）−１−（２、４、６−トリメトキシフェニル）−ｎ−ペンチル−１−マレイミド］、ポリ［（Ｓ）−（−）−１−（２、３、４、５−テトラメトキシフェニル）−ｎ−ペンチル−１−マレイミド］、ポリ［（Ｓ）−（−）−１−（２、３、４、６−テトラメトキシフェニル）−ｎ−ペンチル−１−マレイミド］、ポリ［（Ｓ）−（−）−１−（２、３、５、６−テトラメトキシフェニル）−ｎ−ペンチル−１−マレイミド］、ポリ［（Ｓ）−（−）−１−（２、３、４、５、６−ペンタメトキシフェニル）−ｎ−ペンチル−１−マレイミド］、ポリ［（Ｓ）−（−）−１−（２−エトキシフェニル）−ｎ−ペンチル−１−マレイミド］、ポリ［（Ｓ）−（−）−１−（３−エトキシフェニル）−ｎ−ペンチル−１−マレイミド］、ポリ［（Ｓ）−（−）−１−（４−エトキシフェニル）−ｎ−ペンチル−１−マレイミド］、ポリ［（Ｓ）−（−）−１−（２、３−ジエトキシフェニル）−ｎ−ペンチル−１−マレイミド］、ポリ［（Ｓ）−（−）−１−（２、４−ジエトキシフェニル）−ｎ−ペンチル−１−マレイミド］、ポリ［（Ｓ）−（−）−１−（２、５−ジエトキシフェニル）−ｎ−ペンチル−１−マレイミド］、ポリ［（Ｓ）−（−）−１−（２、６−ジエトキシフェニル）−ｎ−ペンチル−１−マレイミド］、ポリ［（Ｓ）−（−）−１−（３、４−ジエトキシフェニル）−ｎ−ペンチル−１−マレイミド］、ポリ［（Ｓ）−（−）−１−（３、５−ジエトキシフェニル）−ｎ−ペンチル−１−マレイミド］、ポリ［（Ｓ）−（−）−１−（２、４、６−トリエトキシフェニル）−ｎ−ペンチル−１−マレイミド］、ポリ［（Ｓ）−（−）−１−（２、３、４、５−テトラエトキシフェニル）−ｎ−ペンチル−１−マレイミド］、ポリ［（Ｓ）−（−）−１−（２、３、４、６−テトラエトキシフェニル）−ｎ−ペンチル−１−マレイミド］、ポリ［（Ｓ）−（−）−１−（２、３、５、６−テトラエトキシフェニル）−ｎ−ペンチル−１−マレイミド］、ポリ［（Ｓ）−（−）−１−（２、３、４、５、６−ペンタエトキシフェニル）−ｎ−ペンチル−１−マレイミド］等が挙げられ、これら（Ｓ）体と鏡像体の（Ｒ）体のモノマーを用い、不斉アニオン重合したポリマーも含まれる。
【００４３】
また、上記一般式（５）又は一般式（６）において、Ｒ６がメトキシメチル基である化合物としては、例えば、ポリ［（Ｓ）−（−）−１−フェニル−メトキシエチル−１−マレイミド］、ポリ［（Ｓ）−（−）−１−（２−メチルフェニル）−メトキシエチル−１−マレイミド］、ポリ［（Ｓ）−（−）−１−（３−メチルフェニル）−メトキシエチル−１−マレイミド］、ポリ［（Ｓ）−（−）−１−（４−メチルフェニル）−メトキシエチル−１−マレイミド］、ポリ［（Ｓ）−（−）−１−（２，３−ジメチルフェニル）−メトキシエチル−１−マレイミド］、ポリ［（Ｓ）−（−）−１−（２，４−ジメチルフェニル）−メトキシエチル−１−マレイミド］、ポリ［（Ｓ）−（−）−１−（２，５−ジメチルフェニル）−メトキシエチル−１−マレイミド］、ポリ［（Ｓ）−（−）−１−（２，６−ジメチルフェニル）−メトキシエチル−１−マレイミド］、ポリ［（Ｓ）−（−）−１−（３，４−ジメチルフェニル）−メトキシエチル−１−マレイミド］、ポリ［（Ｓ）−（−）−１−（３，５−ジメチルフェニル）−メトキシエチル−１−マレイミド］、ポリ［（Ｓ）−（−）−１−（２，４，６−トリメチルフェニル）−メトキシエチル−１−マレイミド］、ポリ［（Ｓ）−（−）−１−（２，３，４，５−テトラメチルフェニル）−メトキシエチル−１−マレイミド］、ポリ［（Ｓ）−（−）−１−（２，３，４，６−テトラメチルフェニル）−メトキシエチル−１−マレイミド］、ポリ［（Ｓ）−（−）−１−（２，３，５，６−テトラメチルフェニル）−メトキシエチル−１−マレイミド］、ポリ［（Ｓ）−（−）−１−（２，３，４，５，６−ペンタメチルフェニル）−メトキシエチル−１−マレイミド］、ポリ［（Ｓ）−（−）−１−（２−エチルフェニル）−メトキシエチル−１−マレイミド］、ポリ［（Ｓ）−（−）−１−（３−エチルフェニル）−メトキシエチル−１−マレイミド］、ポリ［（Ｓ）−（−）−１−（４−エチルフェニル）−メトキシエチル−１−マレイミド］、ポリ［（Ｓ）−（−）−１−（２，３−ジエチルフェニル）−メトキシエチル−１−マレイミド］、ポリ［（Ｓ）−（−）−１−（２，４−ジエチルフェニル）−メトキシエチル−１−マレイミド］、ポリ［（Ｓ）−（−）−１−（２，５−ジエチルフェニル）−メトキシエチル−１−マレイミド］、ポリ［（Ｓ）−（−）−１−（２，６−ジエチルフェニル）−メトキシエチル−１−マレイミド］、ポリ［（Ｓ）−（−）−１−（３，４−ジエチルフェニル）−メトキシエチル−１−マレイミド］、ポリ［（Ｓ）−（−）−１−（３，５−ジエチルフェニル）−メトキシエチル−１−マレイミド］、ポリ［（Ｓ）−（−）−１−（２，４，６−トリエチルフェニル）−メトキシエチル−１−マレイミド］、ポリ［（Ｓ）−（−）−１−（２，３，４，５−テトラエチルフェニル）−メトキシエチル−１−マレイミド］、ポリ［（Ｓ）−（−）−１−（２，３，４，６−テトラエチルフェニル）−メトキシエチル−１−マレイミド］、ポリ［（Ｓ）−（−）−１−（２，３，５，６−テトラエチルフェニル）−メトキシエチル−１−マレイミド］、ポリ［（Ｓ）−（−）−１−（２，３，４，５，６−ペンタエチルフェニル）−メトキシエチル−１−マレイミド］、ポリ［（Ｓ）−（−）−１−（２−ｎ−プロピルフェニル）−メトキシエチル−１−マレイミド］、ポリ［（Ｓ）−（−）−１−（３−ｎ−プロピルフェニル）−メトキシエチル−１−マレイミド］、ポリ［（Ｓ）−（−）−１−（４−ｎ−プロピルフェニル）−メトキシエチル−１−マレイミド］、ポリ［（Ｓ）−（−）−１−（２，３−ジ−ｎ−プロピルフェニル）−メトキシエチル−１−マレイミド］、ポリ［（Ｓ）−（−）−１−（２，４−ジ−ｎ−プロピルフェニル）−メトキシエチル−１−マレイミド］、ポリ［（Ｓ）−（−）−１−（２，５−ジ−ｎ−プロピルフェニル）−メトキシエチル−１−マレイミド］、ポリ［（Ｓ）−（−）−１−（２，６−ジ−ｎ−プロピルフェニル）−メトキシエチル−１−マレイミド］、ポリ［（Ｓ）−（−）−１−（３，４−ジ−ｎ−プロピルフェニル）−メトキシエチル−１−マレイミド］、ポリ［（Ｓ）−（−）−１−（３，５−ジ−ｎ−プロピルフェニル）−メトキシエチル−１−マレイミド］、ポリ［（Ｓ）−（−）−１−（２，４，６−トリ−ｎ−プロピルフェニル）−メトキシエチル−１−マレイミド］、ポリ［（Ｓ）−（−）−１−（２，３，４，５−テトラ−ｎ−プロピルフェニル）−メトキシエチル−１−マレイミド］、ポリ［（Ｓ）−（−）−１−（２，３，４，６−テトラ−ｎ−プロピルフェニル）−メトキシエチル−１−マレイミド］、ポリ［（Ｓ）−（−）−１−（２，３，５，６−テトラ−ｎ−プロピルフェニル）−メトキシエチル−１−マレイミド］、ポリ［（Ｓ）−（−）−１−（２，３，４，５，６−ペンタ−ｎ−プロピルフェニル）−メトキシエチル−１−マレイミド］、ポリ［（Ｓ）−（−）−１−（２−ｉ−プロピルフェニル）−メトキシエチル−１−マレイミド］、ポリ［（Ｓ）−（−）−１−（３−ｉ−プロピルフェニル）−メトキシエチル−１−マレイミド］、ポリ［（Ｓ）−（−）−１−（４−ｉ−プロピルフェニル）−メトキシエチル−１−マレイミド］、ポリ［（Ｓ）−（−）−１−（２，３−ジ−ｉ−プロピルフェニル）−メトキシエチル−１−マレイミド］、ポリ［（Ｓ）−（−）−１−（２，４−ジ−ｉ−プロピルフェニル）−メトキシエチル−１−マレイミド］、ポリ［（Ｓ）−（−）−１−（２，５−ジ−ｉ−プロピルフェニル）−メトキシエチル−１−マレイミド］、ポリ［（Ｓ）−（−）−１−（２，６−ジ−ｉ−プロピルフェニル）−メトキシエチル−１−マレイミド］、ポリ［（Ｓ）−（−）−１−（３，４−ジ−ｉ−プロピルフェニル）−メトキシエチル−１−マレイミド］、ポリ［（Ｓ）−（−）−１−（３，５−ジ−ｉ−プロピルフェニル）−メトキシエチル−１−マレイミド］、ポリ［（Ｓ）−（−）−１−（２，４，６−トリ−ｉ−プロピルフェニル）−メトキシエチル−１−マレイミド］、ポリ［（Ｓ）−（−）−１−（２，３，４，５−テトラ−ｉ−プロピルフェニル）−メトキシエチル−１−マレイミド］、ポリ［（Ｓ）−（−）−１−（２，３，４，６−テトラ−ｉ−プロピルフェニル）−メトキシエチル−１−マレイミド］、ポリ［（Ｓ）−（−）−１−（２，３，５，６−テトラ−ｉ−プロピルフェニル）−メトキシエチル−１−マレイミド］、ポリ［（Ｓ）−（−）−１−（２，３，４，５，６−ペンタ−ｉ−プロピルフェニル）−メトキシエチル−１−マレイミド］、ポリ［（Ｓ）−（−）−１−（２−ｎ−ブチルフェニル）−メトキシエチル−１−マレイミド］、ポリ［（Ｓ）−（−）−１−（３−ｎ−ブチルフェニル）−メトキシエチル−１−マレイミド］、ポリ［（Ｓ）−（−）−１−（４−ｎ−ブチルフェニル）−メトキシエチル−１−マレイミド］、ポリ［（Ｓ）−（−）−１−（２，３−ジ−ｎ−ブチルフェニル）−メトキシエチル−１−マレイミド］、ポリ［（Ｓ）−（−）−１−（２，４−ジ−ｎ−ブチルフェニル）−メトキシエチル−１−マレイミド］、ポリ［（Ｓ）−（−）−１−（２，５−ジ−ｎ−ブチルフェニル）−メトキシエチル−１−マレイミド］、ポリ［（Ｓ）−（−）−１−（２，６−ジ−ｎ−ブチルフェニル）−メトキシエチル−１−マレイミド］、ポリ［（Ｓ）−（−）−１−（３，４−ジ−ｎ−ブチルフェニル）−メトキシエチル−１−マレイミド］、ポリ［（Ｓ）−（−）−１−（３，５−ジ−ｎ−ブチルフェニル）−メトキシエチル−１−マレイミド］、ポリ［（Ｓ）−（−）−１−（２，４，６−トリ−ｎ−ブチルフェニル）−メトキシエチル−１−マレイミド］、ポリ［（Ｓ）−（−）−１−（２，３，４，５−テトラ−ｎ−ブチルフェニル）−メトキシエチル−１−マレイミド］、ポリ［（Ｓ）−（−）−１−（２，３，４，６−テトラ−ｎ−ブチルフェニル）−メトキシエチル−１−マレイミド］、ポリ［（Ｓ）−（−）−１−（２，３，５，６−テトラ−ｎ−ブチルフェニル）−メトキシエチル−１−マレイミド］、ポリ［（Ｓ）−（−）−１−（２，３，４，５，６−ペンタ−ｎ−ブチルフェニル）−メトキシエチル−１−マレイミド］、ポリ［（Ｓ）−（−）−１−（２−ｉ−ブチルフェニル）−メトキシエチル−１−マレイミド］、ポリ［（Ｓ）−（−）−１−（３−ｉ−ブチルフェニル）−メトキシエチル−１−マレイミド］、ポリ［（Ｓ）−（−）−１−（４−ｉ−ブチルフェニル）−メトキシエチル−１−マレイミド］、ポリ［（Ｓ）−（−）−１−（２，３−ジ−ｉ−ブチルフェニル）−メトキシエチル−１−マレイミド］、ポリ［（Ｓ）−（−）−１−（２，４−ジ−ｉ−ブチルフェニル）−メトキシエチル−１−マレイミド］、ポリ［（Ｓ）−（−）−１−（２，５−ジ−ｉ−ブチルフェニル）−メトキシエチル−１−マレイミド］、ポリ［（Ｓ）−（−）−１−（２，６−ジ−ｉ−ブチルフェニル）−メトキシエチル−１−マレイミド］、ポリ［（Ｓ）−（−）−１−（３，４−ジ−ｉ−ブチルフェニル）−メトキシエチル−１−マレイミド］、ポリ［（Ｓ）−（−）−１−（３，５−ジ−ｉ−ブチルフェニル）−メトキシエチル−１−マレイミド］、ポリ［（Ｓ）−（−）−１−（２，４，６−トリ−ｉ−ブチルフェニル）−メトキシエチル−１−マレイミド］、ポリ［（Ｓ）−（−）−１−（２，３，４，５−テトラ−ｉ−ブチルフェニル）−メトキシエチル−１−マレイミド］、ポリ［（Ｓ）−（−）−１−（２，３，４，６−テトラ−ｉ−ブチルフェニル）−メトキシエチル−１−マレイミド］、ポリ［（Ｓ）−（−）−１−（２，３，５，６−テトラ−ｉ−ブチルフェニル）−メトキシエチル−１−マレイミド］、ポリ［（Ｓ）−（−）−１−（２，３，４，５，６−ペンタ−ｉ−ブチルフェニル）−メトキシエチル−１−マレイミド］、ポリ［（Ｓ）−（−）−１−（２−ｔ−ブチルフェニル）−メトキシエチル−１−マレイミド］、ポリ［（Ｓ）−（−）−１−（３−ｔ−ブチルフェニル）−メトキシエチル−１−マレイミド］、ポリ［（Ｓ）−（−）−１−（４−ｔ−ブチルフェニル）−メトキシエチル−１−マレイミド］、ポリ［（Ｓ）−（−）−１−（２，３−ジ−ｔ−ブチルフェニル）−メトキシエチル−１−マレイミド］、ポリ［（Ｓ）−（−）−１−（２，４−ジ−ｔ−ブチルフェニル）−メトキシエチル−１−マレイミド］、ポリ［（Ｓ）−（−）−１−（２，５−ジ−ｔ−ブチルフェニル）−メトキシエチル−１−マレイミド］、ポリ［（Ｓ）−（−）−１−（２，６−ジ−ｔ−ブチルフェニル）−メトキシエチル−１−マレイミド］、ポリ［（Ｓ）−（−）−１−（３，４−ジ−ｔ−ブチルフェニル）−メトキシエチル−１−マレイミド］、ポリ［（Ｓ）−（−）−１−（３，５−ジ−ｔ−ブチルフェニル）−メトキシエチル−１−マレイミド］、ポリ［（Ｓ）−（−）−１−（２，４，６−トリ−ｔ−ブチルフェニル）−メトキシエチル−１−マレイミド］、ポリ［（Ｓ）−（−）−１−（２，３，４，５−テトラ−ｔ−ブチルフェニル）−メトキシエチル−１−マレイミド］、ポリ［（Ｓ）−（−）−１−（２，３，４，６−テトラ−ｔ−ブチルフェニル）−メトキシエチル−１−マレイミド］、ポリ［（Ｓ）−（−）−１−（２，３，５，６−テトラ−ｔ−ブチルフェニル）−メトキシエチル−１−マレイミド］、ポリ［（Ｓ）−（−）−１−（２，３，４，５，６−ペンタ−ｔ−ブチルフェニル）−メトキシエチル−１−マレイミド］、ポリ［（Ｓ）−（−）−１−（２−メトキシフェニル）−メトキシエチル−１−マレイミド］、ポリ［（Ｓ）−（−）−１−（３−メトキシフェニル）−メトキシエチル−１−マレイミド］、ポリ［（Ｓ）−（−）−１−（４−メトキシフェニル）−メトキシエチル−１−マレイミド］、ポリ［（Ｓ）−（−）−１−（２、３−ジメトキシフェニル）−メトキシエチル−１−マレイミド］、ポリ［（Ｓ）−（−）−１−（２、４−ジメトキシフェニル）−メトキシエチル−１−マレイミド］、ポリ［（Ｓ）−（−）−１−（２、５−ジメトキシフェニル）−メトキシエチル−１−マレイミド］、ポリ［（Ｓ）−（−）−１−（２、６−ジメトキシフェニル）−メトキシエチル−１−マレイミド］、ポリ［（Ｓ）−（−）−１−（３、４−ジメトキシフェニル）−メトキシエチル−１−マレイミド］、ポリ［（Ｓ）−（−）−１−（３、５−ジメトキシフェニル）−メトキシエチル−１−マレイミド］、ポリ［（Ｓ）−（−）−１−（２、４、６−トリメトキシフェニル）−メトキシエチル−１−マレイミド］、ポリ［（Ｓ）−（−）−１−（２、３、４、５−テトラメトキシフェニル）−メトキシエチル−１−マレイミド］、ポリ［（Ｓ）−（−）−１−（２、３、４、６−テトラメトキシフェニル）−メトキシエチル−１−マレイミド］、ポリ［（Ｓ）−（−）−１−（２、３、５、６−テトラメトキシフェニル）−メトキシエチル−１−マレイミド］、ポリ［（Ｓ）−（−）−１−（２、３、４、５、６−ペンタメトキシフェニル）−メトキシエチル−１−マレイミド］、ポリ［（Ｓ）−（−）−１−（２−エトキシフェニル）−メトキシエチル−１−マレイミド］、ポリ［（Ｓ）−（−）−１−（３−エトキシフェニル）−メトキシエチル−１−マレイミド］、ポリ［（Ｓ）−（−）−１−（４−エトキシフェニル）−メトキシエチル−１−マレイミド］、ポリ［（Ｓ）−（−）−１−（２、３−ジエトキシフェニル）−メトキシエチル−１−マレイミド］、ポリ［（Ｓ）−（−）−１−（２、４−ジエトキシフェニル）−メトキシエチル−１−マレイミド］、ポリ［（Ｓ）−（−）−１−（２、５−ジエトキシフェニル）−メトキシエチル−１−マレイミド］、ポリ［（Ｓ）−（−）−１−（２、６−ジエトキシフェニル）−メトキシエチル−１−マレイミド］、ポリ［（Ｓ）−（−）−１−（３、４−ジエトキシフェニル）−メトキシエチル−１−マレイミド］、ポリ［（Ｓ）−（−）−１−（３、５−ジエトキシフェニル）−メトキシエチル−１−マレイミド］、ポリ［（Ｓ）−（−）−１−（２、４、６−トリエトキシフェニル）−メトキシエチル−１−マレイミド］、ポリ［（Ｓ）−（−）−１−（２、３、４、５−テトラエトキシフェニル）−メトキシエチル−１−マレイミド］、ポリ［（Ｓ）−（−）−１−（２、３、４、６−テトラエトキシフェニル）−メトキシエチル−１−マレイミド］、ポリ［（Ｓ）−（−）−１−（２、３、５、６−テトラエトキシフェニル）−メトキシエチル−１−マレイミド］、ポリ［（Ｓ）−（−）−１−（２、３、４、５、６−ペンタエトキシフェニル）−メトキシエチル−１−マレイミド］等が挙げられ、これら（Ｓ）体と鏡像体の（Ｒ）体のモノマーを用い、不斉アニオン重合したポリマーも含まれる。
【００４４】
また、上記一般式（５）又は一般式（６）において、Ｒ６がメトキシエチル基である化合物としては、例えば、ポリ［（Ｓ）−（−）−１−フェニル−メトキシプロピル−１−マレイミド］、ポリ［（Ｓ）−（−）−１−（２−メチルフェニル）−メトキシプロピル−１−マレイミド］、ポリ［（Ｓ）−（−）−１−（３−メチルフェニル）−メトキシプロピル−１−マレイミド］、ポリ［（Ｓ）−（−）−１−（４−メチルフェニル）−メトキシプロピル−１−マレイミド］、ポリ［（Ｓ）−（−）−１−（２，３−ジメチルフェニル）−メトキシプロピル−１−マレイミド］、ポリ［（Ｓ）−（−）−１−（２，４−ジメチルフェニル）−メトキシプロピル−１−マレイミド］、ポリ［（Ｓ）−（−）−１−（２，５−ジメチルフェニル）−メトキシプロピル−１−マレイミド］、ポリ［（Ｓ）−（−）−１−（２，６−ジメチルフェニル）−メトキシプロピル−１−マレイミド］、ポリ［（Ｓ）−（−）−１−（３，４−ジメチルフェニル）−メトキシプロピル−１−マレイミド］、ポリ［（Ｓ）−（−）−１−（３，５−ジメチルフェニル）−メトキシプロピル−１−マレイミド］、ポリ［（Ｓ）−（−）−１−（２，４，６−トリメチルフェニル）−メトキシプロピル−１−マレイミド］、ポリ［（Ｓ）−（−）−１−（２，３，４，５−テトラメチルフェニル）−メトキシプロピル−１−マレイミド］、ポリ［（Ｓ）−（−）−１−（２，３，４，６−テトラメチルフェニル）−メトキシプロピル−１−マレイミド］、ポリ［（Ｓ）−（−）−１−（２，３，５，６−テトラメチルフェニル）−メトキシプロピル−１−マレイミド］、ポリ［（Ｓ）−（−）−１−（２，３，４，５，６−ペンタメチルフェニル）−メトキシプロピル−１−マレイミド］、ポリ［（Ｓ）−（−）−１−（２−エチルフェニル）−メトキシプロピル−１−マレイミド］、ポリ［（Ｓ）−（−）−１−（３−エチルフェニル）−メトキシプロピル−１−マレイミド］、ポリ［（Ｓ）−（−）−１−（４−エチルフェニル）−メトキシプロピル−１−マレイミド］、ポリ［（Ｓ）−（−）−１−（２，３−ジエチルフェニル）−メトキシプロピル−１−マレイミド］、ポリ［（Ｓ）−（−）−１−（２，４−ジエチルフェニル）−メトキシプロピル−１−マレイミド］、ポリ［（Ｓ）−（−）−１−（２，５−ジエチルフェニル）−メトキシプロピル−１−マレイミド］、ポリ［（Ｓ）−（−）−１−（２，６−ジエチルフェニル）−メトキシプロピル−１−マレイミド］、ポリ［（Ｓ）−（−）−１−（３，４−ジエチルフェニル）−メトキシプロピル−１−マレイミド］、ポリ［（Ｓ）−（−）−１−（３，５−ジエチルフェニル）−メトキシプロピル−１−マレイミド］、ポリ［（Ｓ）−（−）−１−（２，４，６−トリエチルフェニル）−メトキシプロピル−１−マレイミド］、ポリ［（Ｓ）−（−）−１−（２，３，４，５−テトラエチルフェニル）−メトキシプロピル−１−マレイミド］、ポリ［（Ｓ）−（−）−１−（２，３，４，６−テトラエチルフェニル）−メトキシプロピル−１−マレイミド］、ポリ［（Ｓ）−（−）−１−（２，３，５，６−テトラエチルフェニル）−メトキシプロピル−１−マレイミド］、ポリ［（Ｓ）−（−）−１−（２，３，４，５，６−ペンタエチルフェニル）−メトキシプロピル−１−マレイミド］、ポリ［（Ｓ）−（−）−１−（２−ｎ−プロピルフェニル）−メトキシプロピル−１−マレイミド］、ポリ［（Ｓ）−（−）−１−（３−ｎ−プロピルフェニル）−メトキシプロピル−１−マレイミド］、ポリ［（Ｓ）−（−）−１−（４−ｎ−プロピルフェニル）−メトキシプロピル−１−マレイミド］、ポリ［（Ｓ）−（−）−１−（２，３−ジ−ｎ−プロピルフェニル）−メトキシプロピル−１−マレイミド］、ポリ［（Ｓ）−（−）−１−（２，４−ジ−ｎ−プロピルフェニル）−メトキシプロピル−１−マレイミド］、ポリ［（Ｓ）−（−）−１−（２，５−ジ−ｎ−プロピルフェニル）−メトキシプロピル−１−マレイミド］、ポリ［（Ｓ）−（−）−１−（２，６−ジ−ｎ−プロピルフェニル）−メトキシプロピル−１−マレイミド］、ポリ［（Ｓ）−（−）−１−（３，４−ジ−ｎ−プロピルフェニル）−メトキシプロピル−１−マレイミド］、ポリ［（Ｓ）−（−）−１−（３，５−ジ−ｎ−プロピルフェニル）−メトキシプロピル−１−マレイミド］、ポリ［（Ｓ）−（−）−１−（２，４，６−トリ−ｎ−プロピルフェニル）−メトキシプロピル−１−マレイミド］、ポリ［（Ｓ）−（−）−１−（２，３，４，５−テトラ−ｎ−プロピルフェニル）−メトキシプロピル−１−マレイミド］、ポリ［（Ｓ）−（−）−１−（２，３，４，６−テトラ−ｎ−プロピルフェニル）−メトキシプロピル−１−マレイミド］、ポリ［（Ｓ）−（−）−１−（２，３，５，６−テトラ−ｎ−プロピルフェニル）−メトキシプロピル−１−マレイミド］、ポリ［（Ｓ）−（−）−１−（２，３，４，５，６−ペンタ−ｎ−プロピルフェニル）−メトキシプロピル−１−マレイミド］、ポリ［（Ｓ）−（−）−１−（２−ｉ−プロピルフェニル）−メトキシプロピル−１−マレイミド］、ポリ［（Ｓ）−（−）−１−（３−ｉ−プロピルフェニル）−メトキシプロピル−１−マレイミド］、ポリ［（Ｓ）−（−）−１−（４−ｉ−プロピルフェニル）−メトキシプロピル−１−マレイミド］、ポリ［（Ｓ）−（−）−１−（２，３−ジ−ｉ−プロピルフェニル）−メトキシプロピル−１−マレイミド］、ポリ［（Ｓ）−（−）−１−（２，４−ジ−ｉ−プロピルフェニル）−メトキシプロピル−１−マレイミド］、ポリ［（Ｓ）−（−）−１−（２，５−ジ−ｉ−プロピルフェニル）−メトキシプロピル−１−マレイミド］、ポリ［（Ｓ）−（−）−１−（２，６−ジ−ｉ−プロピルフェニル）−メトキシプロピル−１−マレイミド］、ポリ［（Ｓ）−（−）−１−（３，４−ジ−ｉ−プロピルフェニル）−メトキシプロピル−１−マレイミド］、ポリ［（Ｓ）−（−）−１−（３，５−ジ−ｉ−プロピルフェニル）−メトキシプロピル−１−マレイミド］、ポリ［（Ｓ）−（−）−１−（２，４，６−トリ−ｉ−プロピルフェニル）−メトキシプロピル−１−マレイミド］、ポリ［（Ｓ）−（−）−１−（２，３，４，５−テトラ−ｉ−プロピルフェニル）−メトキシプロピル−１−マレイミド］、ポリ［（Ｓ）−（−）−１−（２，３，４，６−テトラ−ｉ−プロピルフェニル）−メトキシプロピル−１−マレイミド］、ポリ［（Ｓ）−（−）−１−（２，３，５，６−テトラ−ｉ−プロピルフェニル）−メトキシプロピル−１−マレイミド］、ポリ［（Ｓ）−（−）−１−（２，３，４，５，６−ペンタ−ｉ−プロピルフェニル）−メトキシプロピル−１−マレイミド］、ポリ［（Ｓ）−（−）−１−（２−ｎ−ブチルフェニル）−メトキシプロピル−１−マレイミド］、ポリ［（Ｓ）−（−）−１−（３−ｎ−ブチルフェニル）−メトキシプロピル−１−マレイミド］、ポリ［（Ｓ）−（−）−１−（４−ｎ−ブチルフェニル）−メトキシプロピル−１−マレイミド］、ポリ［（Ｓ）−（−）−１−（２，３−ジ−ｎ−ブチルフェニル）−メトキシプロピル−１−マレイミド］、ポリ［（Ｓ）−（−）−１−（２，４−ジ−ｎ−ブチルフェニル）−メトキシプロピル−１−マレイミド］、ポリ［（Ｓ）−（−）−１−（２，５−ジ−ｎ−ブチルフェニル）−メトキシプロピル−１−マレイミド］、ポリ［（Ｓ）−（−）−１−（２，６−ジ−ｎ−ブチルフェニル）−メトキシプロピル−１−マレイミド］、ポリ［（Ｓ）−（−）−１−（３，４−ジ−ｎ−ブチルフェニル）−メトキシプロピル−１−マレイミド］、ポリ［（Ｓ）−（−）−１−（３，５−ジ−ｎ−ブチルフェニル）−メトキシプロピル−１−マレイミド］、ポリ［（Ｓ）−（−）−１−（２，４，６−トリ−ｎ−ブチルフェニル）−メトキシプロピル−１−マレイミド］、ポリ［（Ｓ）−（−）−１−（２，３，４，５−テトラ−ｎ−ブチルフェニル）−メトキシプロピル−１−マレイミド］、ポリ［（Ｓ）−（−）−１−（２，３，４，６−テトラ−ｎ−ブチルフェニル）−メトキシプロピル−１−マレイミド］、ポリ［（Ｓ）−（−）−１−（２，３，５，６−テトラ−ｎ−ブチルフェニル）−メトキシプロピル−１−マレイミド］、ポリ［（Ｓ）−（−）−１−（２，３，４，５，６−ペンタ−ｎ−ブチルフェニル）−メトキシプロピル−１−マレイミド］、ポリ［（Ｓ）−（−）−１−（２−ｉ−ブチルフェニル）−メトキシプロピル−１−マレイミド］、ポリ［（Ｓ）−（−）−１−（３−ｉ−ブチルフェニル）−メトキシプロピル−１−マレイミド］、ポリ［（Ｓ）−（−）−１−（４−ｉ−ブチルフェニル）−メトキシプロピル−１−マレイミド］、ポリ［（Ｓ）−（−）−１−（２，３−ジ−ｉ−ブチルフェニル）−メトキシプロピル−１−マレイミド］、ポリ［（Ｓ）−（−）−１−（２，４−ジ−ｉ−ブチルフェニル）−メトキシプロピル−１−マレイミド］、ポリ［（Ｓ）−（−）−１−（２，５−ジ−ｉ−ブチルフェニル）−メトキシプロピル−１−マレイミド］、ポリ［（Ｓ）−（−）−１−（２，６−ジ−ｉ−ブチルフェニル）−メトキシプロピル−１−マレイミド］、ポリ［（Ｓ）−（−）−１−（３，４−ジ−ｉ−ブチルフェニル）−メトキシプロピル−１−マレイミド］、ポリ［（Ｓ）−（−）−１−（３，５−ジ−ｉ−ブチルフェニル）−メトキシプロピル−１−マレイミド］、ポリ［（Ｓ）−（−）−１−（２，４，６−トリ−ｉ−ブチルフェニル）−メトキシプロピル−１−マレイミド］、ポリ［（Ｓ）−（−）−１−（２，３，４，５−テトラ−ｉ−ブチルフェニル）−メトキシプロピル−１−マレイミド］、ポリ［（Ｓ）−（−）−１−（２，３，４，６−テトラ−ｉ−ブチルフェニル）−メトキシプロピル−１−マレイミド］、ポリ［（Ｓ）−（−）−１−（２，３，５，６−テトラ−ｉ−ブチルフェニル）−メトキシプロピル−１−マレイミド］、ポリ［（Ｓ）−（−）−１−（２，３，４，５，６−ペンタ−ｉ−ブチルフェニル）−メトキシプロピル−１−マレイミド］、ポリ［（Ｓ）−（−）−１−（２−ｔ−ブチルフェニル）−メトキシプロピル−１−マレイミド］、ポリ［（Ｓ）−（−）−１−（３−ｔ−ブチルフェニル）−メトキシプロピル−１−マレイミド］、ポリ［（Ｓ）−（−）−１−（４−ｔ−ブチルフェニル）−メトキシプロピル−１−マレイミド］、ポリ［（Ｓ）−（−）−１−（２，３−ジ−ｔ−ブチルフェニル）−メトキシプロピル−１−マレイミド］、ポリ［（Ｓ）−（−）−１−（２，４−ジ−ｔ−ブチルフェニル）−メトキシプロピル−１−マレイミド］、ポリ［（Ｓ）−（−）−１−（２，５−ジ−ｔ−ブチルフェニル）−メトキシプロピル−１−マレイミド］、ポリ［（Ｓ）−（−）−１−（２，６−ジ−ｔ−ブチルフェニル）−メトキシプロピル−１−マレイミド］、ポリ［（Ｓ）−（−）−１−（３，４−ジ−ｔ−ブチルフェニル）−メトキシプロピル−１−マレイミド］、ポリ［（Ｓ）−（−）−１−（３，５−ジ−ｔ−ブチルフェニル）−メトキシプロピル−１−マレイミド］、ポリ［（Ｓ）−（−）−１−（２，４，６−トリ−ｔ−ブチルフェニル）−メトキシプロピル−１−マレイミド］、ポリ［（Ｓ）−（−）−１−（２，３，４，５−テトラ−ｔ−ブチルフェニル）−メトキシプロピル−１−マレイミド］、ポリ［（Ｓ）−（−）−１−（２，３，４，６−テトラ−ｔ−ブチルフェニル）−メトキシプロピル−１−マレイミド］、ポリ［（Ｓ）−（−）−１−（２，３，５，６−テトラ−ｔ−ブチルフェニル）−メトキシプロピル−１−マレイミド］、ポリ［（Ｓ）−（−）−１−（２，３，４，５，６−ペンタ−ｔ−ブチルフェニル）−メトキシプロピル−１−マレイミド］、ポリ［（Ｓ）−（−）−１−（２−メトキシフェニル）−メトキシプロピル−１−マレイミド］、ポリ［（Ｓ）−（−）−１−（３−メトキシフェニル）−メトキシプロピル−１−マレイミド］、ポリ［（Ｓ）−（−）−１−（４−メトキシフェニル）−メトキシプロピル−１−マレイミド］、ポリ［（Ｓ）−（−）−１−（２，３−ジメトキシフェニル）−メトキシプロピル−１−マレイミド］、ポリ［（Ｓ）−（−）−１−（２，４−ジメトキシフェニル）−メトキシプロピル−１−マレイミド］、ポリ［（Ｓ）−（−）−１−（２，５−ジメトキシフェニル）−メトキシプロピル−１−マレイミド］、ポリ［（Ｓ）−（−）−１−（２，６−ジメトキシフェニル）−メトキシプロピル−１−マレイミド］、ポリ［（Ｓ）−（−）−１−（３，４−ジメトキシフェニル）−メトキシプロピル−１−マレイミド］、ポリ［（Ｓ）−（−）−１−（３，５−ジメトキシフェニル）−メトキシプロピル−１−マレイミド］、ポリ［（Ｓ）−（−）−１−（２，４，６−トリメトキシフェニル）−メトキシプロピル−１−マレイミド］、ポリ［（Ｓ）−（−）−１−（２，３，４，５−テトラメトキシフェニル）−メトキシプロピル−１−マレイミド］、ポリ［（Ｓ）−（−）−１−（２，３，４，６−テトラメトキシフェニル）−メトキシプロピル−１−マレイミド］、ポリ［（Ｓ）−（−）−１−（２，３，５，６−テトラメトキシフェニル）−メトキシプロピル−１−マレイミド］、ポリ［（Ｓ）−（−）−１−（２，３，４，５，６−ペンタメトキシフェニル）−メトキシプロピル−１−マレイミド］、ポリ［（Ｓ）−（−）−１−（２−エトキシフェニル）−メトキシプロピル−１−マレイミド］、ポリ［（Ｓ）−（−）−１−（３−エトキシフェニル）−メトキシプロピル−１−マレイミド］、ポリ［（Ｓ）−（−）−１−（４−エトキシフェニル）−メトキシプロピル−１−マレイミド］、ポリ［（Ｓ）−（−）−１−（２，３−ジエトキシフェニル）−メトキシプロピル−１−マレイミド］、ポリ［（Ｓ）−（−）−１−（２，４−ジエトキシフェニル）−メトキシプロピル−１−マレイミド］、ポリ［（Ｓ）−（−）−１−（２，５−ジエトキシフェニル）−メトキシプロピル−１−マレイミド］、ポリ［（Ｓ）−（−）−１−（２，６−ジエトキシフェニル）−メトキシプロピル−１−マレイミド］、ポリ［（Ｓ）−（−）−１−（３，４−ジエトキシフェニル）−メトキシプロピル−１−マレイミド］、ポリ［（Ｓ）−（−）−１−（３，５−ジエトキシフェニル）−メトキシプロピル−１−マレイミド］、ポリ［（Ｓ）−（−）−１−（２，４，６−トリエトキシフェニル）−メトキシプロピル−１−マレイミド］、ポリ［（Ｓ）−（−）−１−（２，３，４，５−テトラエトキシフェニル）−メトキシプロピル−１−マレイミド］、ポリ［（Ｓ）−（−）−１−（２，３，４，６−テトラエトキシフェニル）−メトキシプロピル−１−マレイミド］、ポリ［（Ｓ）−（−）−１−（２，３，５，６−テトラエトキシフェニル）−メトキシプロピル−１−マレイミド］、ポリ［（Ｓ）−（−）−１−（２，３，４，５，６−ペンタエトキシフェニル）−メトキシプロピル−１−マレイミド］等が挙げられ、これら（Ｓ）体と鏡像体の（Ｒ）体のモノマーを用い、不斉アニオン重合したポリマーも含まれる。
【００４５】
また、上記一般式（５）又は一般式（６）において、Ｒ６がエトキシメチル基である化合物としては、例えば、ポリ［（Ｓ）−（−）−１−（２−メチルフェニル）−エトキシエチル−１−マレイミド］、ポリ［（Ｓ）−（−）−１−（３−メチルフェニル）−エトキシエチル−１−マレイミド］、ポリ［（Ｓ）−（−）−１−（４−メチルフェニル）−エトキシエチル−１−マレイミド］、ポリ［（Ｓ）−（−）−１−（２，３−ジメチルフェニル）−エトキシエチル−１−マレイミド］、ポリ［（Ｓ）−（−）−１−（２，４−ジメチルフェニル）−エトキシエチル−１−マレイミド］、ポリ［（Ｓ）−（−）−１−（２，５−ジメチルフェニル）−エトキシエチル−１−マレイミド］、ポリ［（Ｓ）−（−）−１−（２，６−ジメチルフェニル）−エトキシエチル−１−マレイミド］、ポリ［（Ｓ）−（−）−１−（３，４−ジメチルフェニル）−エトキシエチル−１−マレイミド］、ポリ［（Ｓ）−（−）−１−（３，５−ジメチルフェニル）−エトキシエチル−１−マレイミド］、ポリ［（Ｓ）−（−）−１−（２，４，６−トリメチルフェニル）−エトキシエチル−１−マレイミド］、ポリ［（Ｓ）−（−）−１−（２，３，４，５−テトラメチルフェニル）−エトキシエチル−１−マレイミド］、ポリ［（Ｓ）−（−）−１−（２，３，４，６−テトラメチルフェニル）−エトキシエチル−１−マレイミド］、ポリ［（Ｓ）−（−）−１−（２，３，５，６−テトラメチルフェニル）−エトキシエチル−１−マレイミド］、ポリ［（Ｓ）−（−）−１−（２，３，４，５，６−ペンタメチルフェニル）−エトキシエチル−１−マレイミド］、ポリ［（Ｓ）−（−）−１−（２−エチルフェニル）−エトキシエチル−１−マレイミド］、ポリ［（Ｓ）−（−）−１−（３−エチルフェニル）−エトキシエチル−１−マレイミド］、ポリ［（Ｓ）−（−）−１−（４−エチルフェニル）−エトキシエチル−１−マレイミド］、ポリ［（Ｓ）−（−）−１−（２，３−ジエチルフェニル）−エトキシエチル−１−マレイミド］、ポリ［（Ｓ）−（−）−１−（２，４−ジエチルフェニル）−エトキシエチル−１−マレイミド］、ポリ［（Ｓ）−（−）−１−（２，５−ジエチルフェニル）−エトキシエチル−１−マレイミド］、ポリ［（Ｓ）−（−）−１−（２，６−ジエチルフェニル）−エトキシエチル−１−マレイミド］、ポリ［（Ｓ）−（−）−１−（３，４−ジエチルフェニル）−エトキシエチル−１−マレイミド］、ポリ［（Ｓ）−（−）−１−（３，５−ジエチルフェニル）−エトキシエチル−１−マレイミド］、ポリ［（Ｓ）−（−）−１−（２，４，６−トリエチルフェニル）−エトキシエチル−１−マレイミド］、ポリ［（Ｓ）−（−）−１−（２，３，４，５−テトラエチルフェニル）−エトキシエチル−１−マレイミド］、ポリ［（Ｓ）−（−）−１−（２，３，４，６−テトラエチルフェニル）−エトキシエチル−１−マレイミド］、ポリ［（Ｓ）−（−）−１−（２，３，５，６−テトラエチルフェニル）−エトキシエチル−１−マレイミド］、ポリ［（Ｓ）−（−）−１−（２，３，４，５，６−ペンタエチルフェニル）−エトキシエチル−１−マレイミド］、ポリ［（Ｓ）−（−）−１−（２−ｎ−プロピルフェニル）−エトキシエチル−１−マレイミド］、ポリ［（Ｓ）−（−）−１−（３−ｎ−プロピルフェニル）−エトキシエチル−１−マレイミド］、ポリ［（Ｓ）−（−）−１−（４−ｎ−プロピルフェニル）−エトキシエチル−１−マレイミド］、ポリ［（Ｓ）−（−）−１−（２，３−ジ−ｎ−プロピルフェニル）−エトキシエチル−１−マレイミド］、ポリ［（Ｓ）−（−）−１−（２，４−ジ−ｎ−プロピルフェニル）−エトキシエチル−１−マレイミド］、ポリ［（Ｓ）−（−）−１−（２，５−ジ−ｎ−プロピルフェニル）−エトキシエチル−１−マレイミド］、ポリ［（Ｓ）−（−）−１−（２，６−ジ−ｎ−プロピルフェニル）−エトキシエチル−１−マレイミド］、ポリ［（Ｓ）−（−）−１−（３，４−ジ−ｎ−プロピルフェニル）−エトキシエチル−１−マレイミド］、ポリ［（Ｓ）−（−）−１−（３，５−ジ−ｎ−プロピルフェニル）−エトキシエチル−１−マレイミド］、ポリ［（Ｓ）−（−）−１−（２，４，６−トリ−ｎ−プロピルフェニル）−エトキシエチル−１−マレイミド］、ポリ［（Ｓ）−（−）−１−（２，３，４，５−テトラ−ｎ−プロピルフェニル）−エトキシエチル−１−マレイミド］、ポリ［（Ｓ）−（−）−１−（２，３，４，６−テトラ−ｎ−プロピルフェニル）−エトキシエチル−１−マレイミド］、ポリ［（Ｓ）−（−）−１−（２，３，５，６−テトラ−ｎ−プロピルフェニル）−エトキシエチル−１−マレイミド］、ポリ［（Ｓ）−（−）−１−（２，３，４，５，６−ペンタ−ｎ−プロピルフェニル）−エトキシエチル−１−マレイミド］、ポリ［（Ｓ）−（−）−１−（２−ｉ−プロピルフェニル）−エトキシエチル−１−マレイミド］、ポリ［（Ｓ）−（−）−１−（３−ｉ−プロピルフェニル）−エトキシエチル−１−マレイミド］、ポリ［（Ｓ）−（−）−１−（４−ｉ−プロピルフェニル）−エトキシエチル−１−マレイミド］、ポリ［（Ｓ）−（−）−１−（２，３−ジ−ｉ−プロピルフェニル）−エトキシエチル−１−マレイミド］、ポリ［（Ｓ）−（−）−１−（２，４−ジ−ｉ−プロピルフェニル）−エトキシエチル−１−マレイミド］、ポリ［（Ｓ）−（−）−１−（２，５−ジ−ｉ−プロピルフェニル）−エトキシエチル−１−マレイミド］、ポリ［（Ｓ）−（−）−１−（２，６−ジ−ｉ−プロピルフェニル）−エトキシエチル−１−マレイミド］、ポリ［（Ｓ）−（−）−１−（３，４−ジ−ｉ−プロピルフェニル）−エトキシエチル−１−マレイミド］、ポリ［（Ｓ）−（−）−１−（３，５−ジ−ｉ−プロピルフェニル）−エトキシエチル−１−マレイミド］、ポリ［（Ｓ）−（−）−１−（２，４，６−トリ−ｉ−プロピルフェニル）−エトキシエチル−１−マレイミド］、ポリ［（Ｓ）−（−）−１−（２，３，４，５−テトラ−ｉ−プロピルフェニル）−エトキシエチル−１−マレイミド］、ポリ［（Ｓ）−（−）−１−（２，３，４，６−テトラ−ｉ−プロピルフェニル）−エトキシエチル−１−マレイミド］、ポリ［（Ｓ）−（−）−１−（２，３，５，６−テトラ−ｉ−プロピルフェニル）−エトキシエチル−１−マレイミド］、ポリ［（Ｓ）−（−）−１−（２，３，４，５，６−ペンタ−ｉ−プロピルフェニル）−エトキシエチル−１−マレイミド］、ポリ［（Ｓ）−（−）−１−（２−ｎ−ブチルフェニル）−エトキシエチル−１−マレイミド］、ポリ［（Ｓ）−（−）−１−（３−ｎ−ブチルフェニル）−エトキシエチル−１−マレイミド］、ポリ［（Ｓ）−（−）−１−（４−ｎ−ブチルフェニル）−エトキシエチル−１−マレイミド］、ポリ［（Ｓ）−（−）−１−（２，３−ジ−ｎ−ブチルフェニル）−エトキシエチル−１−マレイミド］、ポリ［（Ｓ）−（−）−１−（２，４−ジ−ｎ−ブチルフェニル）−エトキシエチル−１−マレイミド］、ポリ［（Ｓ）−（−）−１−（２，５−ジ−ｎ−ブチルフェニル）−エトキシエチル−１−マレイミド］、ポリ［（Ｓ）−（−）−１−（２，６−ジ−ｎ−ブチルフェニル）−エトキシエチル−１−マレイミド］、ポリ［（Ｓ）−（−）−１−（３，４−ジ−ｎ−ブチルフェニル）−エトキシエチル−１−マレイミド］、ポリ［（Ｓ）−（−）−１−（３，５−ジ−ｎ−ブチルフェニル）−エトキシエチル−１−マレイミド］、ポリ［（Ｓ）−（−）−１−（２，４，６−トリ−ｎ−ブチルフェニル）−エトキシエチル−１−マレイミド］、ポリ［（Ｓ）−（−）−１−（２，３，４，５−テトラ−ｎ−ブチルフェニル）−エトキシエチル−１−マレイミド］、ポリ［（Ｓ）−（−）−１−（２，３，４，６−テトラ−ｎ−ブチルフェニル）−エトキシエチル−１−マレイミド］、ポリ［（Ｓ）−（−）−１−（２，３，５，６−テトラ−ｎ−ブチルフェニル）−エトキシエチル−１−マレイミド］、ポリ［（Ｓ）−（−）−１−（２，３，４，５，６−ペンタ−ｎ−ブチルフェニル）−エトキシエチル−１−マレイミド］、ポリ［（Ｓ）−（−）−１−（２−ｉ−ブチルフェニル）−エトキシエチル−１−マレイミド］、ポリ［（Ｓ）−（−）−１−（３−ｉ−ブチルフェニル）−エトキシエチル−１−マレイミド］、ポリ［（Ｓ）−（−）−１−（４−ｉ−ブチルフェニル）−エトキシエチル−１−マレイミド］、ポリ［（Ｓ）−（−）−１−（２，３−ジ−ｉ−ブチルフェニル）−エトキシエチル−１−マレイミド］、ポリ［（Ｓ）−（−）−１−（２，４−ジ−ｉ−ブチルフェニル）−エトキシエチル−１−マレイミド］、ポリ［（Ｓ）−（−）−１−（２，５−ジ−ｉ−ブチルフェニル）−エトキシエチル−１−マレイミド］、ポリ［（Ｓ）−（−）−１−（２，６−ジ−ｉ−ブチルフェニル）−エトキシエチル−１−マレイミド］、ポリ［（Ｓ）−（−）−１−（３，４−ジ−ｉ−ブチルフェニル）−エトキシエチル−１−マレイミド］、ポリ［（Ｓ）−（−）−１−（３，５−ジ−ｉ−ブチルフェニル）−エトキシエチル−１−マレイミド］、ポリ［（Ｓ）−（−）−１−（２，４，６−トリ−ｉ−ブチルフェニル）−エトキシエチル−１−マレイミド］、ポリ［（Ｓ）−（−）−１−（２，３，４，５−テトラ−ｉ−ブチルフェニル）−エトキシエチル−１−マレイミド］、ポリ［（Ｓ）−（−）−１−（２，３，４，６−テトラ−ｉ−ブチルフェニル）−エトキシエチル−１−マレイミド］、ポリ［（Ｓ）−（−）−１−（２，３，５，６−テトラ−ｉ−ブチルフェニル）−エトキシエチル−１−マレイミド］、ポリ［（Ｓ）−（−）−１−（２，３，４，５，６−ペンタ−ｉ−ブチルフェニル）−エトキシエチル−１−マレイミド］、ポリ［（Ｓ）−（−）−１−（２−ｔ−ブチルフェニル）−エトキシエチル−１−マレイミド］、ポリ［（Ｓ）−（−）−１−（３−ｔ−ブチルフェニル）−エトキシエチル−１−マレイミド］、ポリ［（Ｓ）−（−）−１−（４−ｔ−ブチルフェニル）−エトキシエチル−１−マレイミド］、ポリ［（Ｓ）−（−）−１−（２，３−ジ−ｔ−ブチルフェニル）−エトキシエチル−１−マレイミド］、ポリ［（Ｓ）−（−）−１−（２，４−ジ−ｔ−ブチルフェニル）−エトキシエチル−１−マレイミド］、ポリ［（Ｓ）−（−）−１−（２，５−ジ−ｔ−ブチルフェニル）−エトキシエチル−１−マレイミド］、ポリ［（Ｓ）−（−）−１−（２，６−ジ−ｔ−ブチルフェニル）−エトキシエチル−１−マレイミド］、ポリ［（Ｓ）−（−）−１−（３，４−ジ−ｔ−ブチルフェニル）−エトキシエチル−１−マレイミド］、ポリ［（Ｓ）−（−）−１−（３，５−ジ−ｔ−ブチルフェニル）−エトキシエチル−１−マレイミド］、ポリ［（Ｓ）−（−）−１−（２，４，６−トリ−ｔ−ブチルフェニル）−エトキシエチル−１−マレイミド］、ポリ［（Ｓ）−（−）−１−（２，３，４，５−テトラ−ｔ−ブチルフェニル）−エトキシエチル−１−マレイミド］、ポリ［（Ｓ）−（−）−１−（２，３，４，６−テトラ−ｔ−ブチルフェニル）−エトキシエチル−１−マレイミド］、ポリ［（Ｓ）−（−）−１−（２，３，５，６−テトラ−ｔ−ブチルフェニル）−エトキシエチル−１−マレイミド］、ポリ［（Ｓ）−（−）−１−（２，３，４，５，６−ペンタ−ｔ−ブチルフェニル）−エトキシエチル−１−マレイミド］、ポリ［（Ｓ）−（−）−１−（２−メトキシフェニル）−エトキシエチル−１−マレイミド］、ポリ［（Ｓ）−（−）−１−（３−メトキシフェニル）−エトキシエチル−１−マレイミド］、ポリ［（Ｓ）−（−）−１−（４−メトキシフェニル）−エトキシエチル−１−マレイミド］、ポリ［（Ｓ）−（−）−１−（２、３−ジメトキシフェニル）−エトキシエチル−１−マレイミド］、ポリ［（Ｓ）−（−）−１−（２、４−ジメトキシフェニル）−エトキシエチル−１−マレイミド］、ポリ［（Ｓ）−（−）−１−（２、５−ジメトキシフェニル）−エトキシエチル−１−マレイミド］、ポリ［（Ｓ）−（−）−１−（２、６−ジメトキシフェニル）−エトキシエチル−１−マレイミド］、ポリ［（Ｓ）−（−）−１−（３、４−ジメトキシフェニル）−エトキシエチル−１−マレイミド］、ポリ［（Ｓ）−（−）−１−（３、５−ジメトキシフェニル）−エトキシエチル−１−マレイミド］、ポリ［（Ｓ）−（−）−１−（２、４、６−トリメトキシフェニル）−エトキシエチル−１−マレイミド］、ポリ［（Ｓ）−（−）−１−（２、３、４、５−テトラメトキシフェニル）−エトキシエチル−１−マレイミド］、ポリ［（Ｓ）−（−）−１−（２、３、４、６−テトラメトキシフェニル）−エトキシエチル−１−マレイミド］、ポリ［（Ｓ）−（−）−１−（２、３、５、６−テトラメトキシフェニル）−エトキシエチル−１−マレイミド］、ポリ［（Ｓ）−（−）−１−（２、３、４、５、６−ペンタメトキシフェニル）−エトキシエチル−１−マレイミド］、ポリ［（Ｓ）−（−）−１−（２−エトキシフェニル）−エトキシエチル−１−マレイミド］、ポリ［（Ｓ）−（−）−１−（３−エトキシフェニル）−エトキシエチル−１−マレイミド］、ポリ［（Ｓ）−（−）−１−（４−エトキシフェニル）−エトキシエチル−１−マレイミド］、ポリ［（Ｓ）−（−）−１−（２、３−ジエトキシフェニル）−エトキシエチル−１−マレイミド］、ポリ［（Ｓ）−（−）−１−（２、４−ジエトキシフェニル）−エトキシエチル−１−マレイミド］、ポリ［（Ｓ）−（−）−１−（２、５−ジエトキシフェニル）−エトキシエチル−１−マレイミド］、ポリ［（Ｓ）−（−）−１−（２、６−ジエトキシフェニル）−エトキシエチル−１−マレイミド］、ポリ［（Ｓ）−（−）−１−（３、４−ジエトキシフェニル）−エトキシエチル−１−マレイミド］、ポリ［（Ｓ）−（−）−１−（３、５−ジエトキシフェニル）−エトキシエチル−１−マレイミド］、ポリ［（Ｓ）−（−）−１−（２、４、６−トリエトキシフェニル）−エトキシエチル−１−マレイミド］、ポリ［（Ｓ）−（−）−１−（２、３、４、５−テトラエトキシフェニル）−エトキシエチル−１−マレイミド］、ポリ［（Ｓ）−（−）−１−（２、３、４、６−テトラエトキシフェニル）−エトキシエチル−１−マレイミド］、ポリ［（Ｓ）−（−）−１−（２、３、５、６−テトラエトキシフェニル）−エトキシエチル−１−マレイミド］、ポリ［（Ｓ）−（−）−１−（２、３、４、５、６−ペンタエトキシフェニル）−エトキシエチル−１−マレイミド］等が挙げられ、これら（Ｓ）体と鏡像体の（Ｒ）体のモノマーを用い、不斉アニオン重合したポリマーも含まれる。
【００４６】
また、上記一般式（５）又は一般式（６）において、Ｒ６がエトキシエチル基である化合物としては、例えば、ポリ［（Ｓ）−（−）−１−（２−メチルフェニル）−エトキシプロピル−１−マレイミド］、ポリ［（Ｓ）−（−）−１−（３−メチルフェニル）−エトキシプロピル−１−マレイミド］、ポリ［（Ｓ）−（−）−１−（４−メチルフェニル）−エトキシプロピル−１−マレイミド］、ポリ［（Ｓ）−（−）−１−（２，３−ジメチルフェニル）−エトキシプロピル−１−マレイミド］、ポリ［（Ｓ）−（−）−１−（２，４−ジメチルフェニル）−エトキシプロピル−１−マレイミド］、ポリ［（Ｓ）−（−）−１−（２，５−ジメチルフェニル）−エトキシプロピル−１−マレイミド］、ポリ［（Ｓ）−（−）−１−（２，６−ジメチルフェニル）−エトキシプロピル−１−マレイミド］、ポリ［（Ｓ）−（−）−１−（３，４−ジメチルフェニル）−エトキシプロピル−１−マレイミド］、ポリ［（Ｓ）−（−）−１−（３，５−ジメチルフェニル）−エトキシプロピル−１−マレイミド］、ポリ［（Ｓ）−（−）−１−（２，４，６−トリメチルフェニル）−エトキシプロピル−１−マレイミド］、ポリ［（Ｓ）−（−）−１−（２，３，４，５−テトラメチルフェニル）−エトキシプロピル−１−マレイミド］、ポリ［（Ｓ）−（−）−１−（２，３，４，６−テトラメチルフェニル）−エトキシプロピル−１−マレイミド］、ポリ［（Ｓ）−（−）−１−（２，３，５，６−テトラメチルフェニル）−エトキシプロピル−１−マレイミド］、ポリ［（Ｓ）−（−）−１−（２，３，４，５，６−ペンタメチルフェニル）−エトキシプロピル−１−マレイミド］、ポリ［（Ｓ）−（−）−１−（２−エチルフェニル）−エトキシプロピル−１−マレイミド］、ポリ［（Ｓ）−（−）−１−（３−エチルフェニル）−エトキシプロピル−１−マレイミド］、ポリ［（Ｓ）−（−）−１−（４−エチルフェニル）−エトキシプロピル−１−マレイミド］、ポリ［（Ｓ）−（−）−１−（２，３−ジエチルフェニル）−エトキシプロピル−１−マレイミド］、ポリ［（Ｓ）−（−）−１−（２，４−ジエチルフェニル）−エトキシプロピル−１−マレイミド］、ポリ［（Ｓ）−（−）−１−（２，５−ジエチルフェニル）−エトキシプロピル−１−マレイミド］、ポリ［（Ｓ）−（−）−１−（２，６−ジエチルフェニル）−エトキシプロピル−１−マレイミド］、ポリ［（Ｓ）−（−）−１−（３，４−ジエチルフェニル）−エトキシプロピル−１−マレイミド］、ポリ［（Ｓ）−（−）−１−（３，５−ジエチルフェニル）−エトキシプロピル−１−マレイミド］、ポリ［（Ｓ）−（−）−１−（２，４，６−トリエチルフェニル）−エトキシプロピル−１−マレイミド］、ポリ［（Ｓ）−（−）−１−（２，３，４，５−テトラエチルフェニル）−エトキシプロピル−１−マレイミド］、ポリ［（Ｓ）−（−）−１−（２，３，４，６−テトラエチルフェニル）−エトキシプロピル−１−マレイミド］、ポリ［（Ｓ）−（−）−１−（２，３，５，６−テトラエチルフェニル）−エトキシプロピル−１−マレイミド］、ポリ［（Ｓ）−（−）−１−（２，３，４，５，６−ペンタエチルフェニル）−エトキシプロピル−１−マレイミド］、ポリ［（Ｓ）−（−）−１−（２−ｎ−プロピルフェニル）−エトキシプロピル−１−マレイミド］、ポリ［（Ｓ）−（−）−１−（３−ｎ−プロピルフェニル）−エトキシプロピル−１−マレイミド］、ポリ［（Ｓ）−（−）−１−（４−ｎ−プロピルフェニル）−エトキシプロピル−１−マレイミド］、ポリ［（Ｓ）−（−）−１−（２，３−ジ−ｎ−プロピルフェニル）−エトキシプロピル−１−マレイミド］、ポリ［（Ｓ）−（−）−１−（２，４−ジ−ｎ−プロピルフェニル）−エトキシプロピル−１−マレイミド］、ポリ［（Ｓ）−（−）−１−（２，５−ジ−ｎ−プロピルフェニル）−エトキシプロピル−１−マレイミド］、ポリ［（Ｓ）−（−）−１−（２，６−ジ−ｎ−プロピルフェニル）−エトキシプロピル−１−マレイミド］、ポリ［（Ｓ）−（−）−１−（３，４−ジ−ｎ−プロピルフェニル）−エトキシプロピル−１−マレイミド］、ポリ［（Ｓ）−（−）−１−（３，５−ジ−ｎ−プロピルフェニル）−エトキシプロピル−１−マレイミド］、ポリ［（Ｓ）−（−）−１−（２，４，６−トリ−ｎ−プロピルフェニル）−エトキシプロピル−１−マレイミド］、ポリ［（Ｓ）−（−）−１−（２，３，４，５−テトラ−ｎ−プロピルフェニル）−エトキシプロピル−１−マレイミド］、ポリ［（Ｓ）−（−）−１−（２，３，４，６−テトラ−ｎ−プロピルフェニル）−エトキシプロピル−１−マレイミド］、ポリ［（Ｓ）−（−）−１−（２，３，５，６−テトラ−ｎ−プロピルフェニル）−エトキシプロピル−１−マレイミド］、ポリ［（Ｓ）−（−）−１−（２，３，４，５，６−ペンタ−ｎ−プロピルフェニル）−エトキシプロピル−１−マレイミド］、ポリ［（Ｓ）−（−）−１−（２−ｉ−プロピルフェニル）−エトキシプロピル−１−マレイミド］、ポリ［（Ｓ）−（−）−１−（３−ｉ−プロピルフェニル）−エトキシプロピル−１−マレイミド］、ポリ［（Ｓ）−（−）−１−（４−ｉ−プロピルフェニル）−エトキシプロピル−１−マレイミド］、ポリ［（Ｓ）−（−）−１−（２，３−ジ−ｉ−プロピルフェニル）−エトキシプロピル−１−マレイミド］、ポリ［（Ｓ）−（−）−１−（２，４−ジ−ｉ−プロピルフェニル）−エトキシプロピル−１−マレイミド］、ポリ［（Ｓ）−（−）−１−（２，５−ジ−ｉ−プロピルフェニル）−エトキシプロピル−１−マレイミド］、ポリ［（Ｓ）−（−）−１−（２，６−ジ−ｉ−プロピルフェニル）−エトキシプロピル−１−マレイミド］、ポリ［（Ｓ）−（−）−１−（３，４−ジ−ｉ−プロピルフェニル）−エトキシプロピル−１−マレイミド］、ポリ［（Ｓ）−（−）−１−（３，５−ジ−ｉ−プロピルフェニル）−エトキシプロピル−１−マレイミド］、ポリ［（Ｓ）−（−）−１−（２，４，６−トリ−ｉ−プロピルフェニル）−エトキシプロピル−１−マレイミド］、ポリ［（Ｓ）−（−）−１−（２，３，４，５−テトラ−ｉ−プロピルフェニル）−エトキシプロピル−１−マレイミド］、ポリ［（Ｓ）−（−）−１−（２，３，４，６−テトラ−ｉ−プロピルフェニル）−エトキシプロピル−１−マレイミド］、ポリ［（Ｓ）−（−）−１−（２，３，５，６−テトラ−ｉ−プロピルフェニル）−エトキシプロピル−１−マレイミド］、ポリ［（Ｓ）−（−）−１−（２，３，４，５，６−ペンタ−ｉ−プロピルフェニル）−エトキシプロピル−１−マレイミド］、ポリ［（Ｓ）−（−）−１−（２−ｎ−ブチルフェニル）−エトキシプロピル−１−マレイミド］、ポリ［（Ｓ）−（−）−１−（３−ｎ−ブチルフェニル）−エトキシプロピル−１−マレイミド］、ポリ［（Ｓ）−（−）−１−（４−ｎ−ブチルフェニル）−エトキシプロピル−１−マレイミド］、ポリ［（Ｓ）−（−）−１−（２，３−ジ−ｎ−ブチルフェニル）−エトキシプロピル−１−マレイミド］、ポリ［（Ｓ）−（−）−１−（２，４−ジ−ｎ−ブチルフェニル）−エトキシプロピル−１−マレイミド］、ポリ［（Ｓ）−（−）−１−（２，５−ジ−ｎ−ブチルフェニル）−エトキシプロピル−１−マレイミド］、ポリ［（Ｓ）−（−）−１−（２，６−ジ−ｎ−ブチルフェニル）−エトキシプロピル−１−マレイミド］、ポリ［（Ｓ）−（−）−１−（３，４−ジ−ｎ−ブチルフェニル）−エトキシプロピル−１−マレイミド］、ポリ［（Ｓ）−（−）−１−（３，５−ジ−ｎ−ブチルフェニル）−エトキシプロピル−１−マレイミド］、ポリ［（Ｓ）−（−）−１−（２，４，６−トリ−ｎ−ブチルフェニル）−エトキシプロピル−１−マレイミド］、ポリ［（Ｓ）−（−）−１−（２，３，４，５−テトラ−ｎ−ブチルフェニル）−エトキシプロピル−１−マレイミド］、ポリ［（Ｓ）−（−）−１−（２，３，４，６−テトラ−ｎ−ブチルフェニル）−エトキシプロピル−１−マレイミド］、ポリ［（Ｓ）−（−）−１−（２，３，５，６−テトラ−ｎ−ブチルフェニル）−エトキシプロピル−１−マレイミド］、ポリ［（Ｓ）−（−）−１−（２，３，４，５，６−ペンタ−ｎ−ブチルフェニル）−エトキシプロピル−１−マレイミド］、ポリ［（Ｓ）−（−）−１−（２−ｉ−ブチルフェニル）−エトキシプロピル−１−マレイミド］、ポリ［（Ｓ）−（−）−１−（３−ｉ−ブチルフェニル）−エトキシプロピル−１−マレイミド］、ポリ［（Ｓ）−（−）−１−（４−ｉ−ブチルフェニル）−エトキシプロピル−１−マレイミド］、ポリ［（Ｓ）−（−）−１−（２，３−ジ−ｉ−ブチルフェニル）−エトキシプロピル−１−マレイミド］、ポリ［（Ｓ）−（−）−１−（２，４−ジ−ｉ−ブチルフェニル）−エトキシプロピル−１−マレイミド］、ポリ［（Ｓ）−（−）−１−（２，５−ジ−ｉ−ブチルフェニル）−エトキシプロピル−１−マレイミド］、ポリ［（Ｓ）−（−）−１−（２，６−ジ−ｉ−ブチルフェニル）−エトキシプロピル−１−マレイミド］、ポリ［（Ｓ）−（−）−１−（３，４−ジ−ｉ−ブチルフェニル）−エトキシプロピル−１−マレイミド］、ポリ［（Ｓ）−（−）−１−（３，５−ジ−ｉ−ブチルフェニル）−エトキシプロピル−１−マレイミド］、ポリ［（Ｓ）−（−）−１−（２，４，６−トリ−ｉ−ブチルフェニル）−エトキシプロピル−１−マレイミド］、ポリ［（Ｓ）−（−）−１−（２，３，４，５−テトラ−ｉ−ブチルフェニル）−エトキシプロピル−１−マレイミド］、ポリ［（Ｓ）−（−）−１−（２，３，４，６−テトラ−ｉ−ブチルフェニル）−エトキシプロピル−１−マレイミド］、ポリ［（Ｓ）−（−）−１−（２，３，５，６−テトラ−ｉ−ブチルフェニル）−エトキシプロピル−１−マレイミド］、ポリ［（Ｓ）−（−）−１−（２，３，４，５，６−ペンタ−ｉ−ブチルフェニル）−エトキシプロピル−１−マレイミド］、ポリ［（Ｓ）−（−）−１−（２−ｔ−ブチルフェニル）−エトキシプロピル−１−マレイミド］、ポリ［（Ｓ）−（−）−１−（３−ｔ−ブチルフェニル）−エトキシプロピル−１−マレイミド］、ポリ［（Ｓ）−（−）−１−（４−ｔ−ブチルフェニル）−エトキシプロピル−１−マレイミド］、ポリ［（Ｓ）−（−）−１−（２，３−ジ−ｔ−ブチルフェニル）−エトキシプロピル−１−マレイミド］、ポリ［（Ｓ）−（−）−１−（２，４−ジ−ｔ−ブチルフェニル）−エトキシプロピル−１−マレイミド］、ポリ［（Ｓ）−（−）−１−（２，５−ジ−ｔ−ブチルフェニル）−エトキシプロピル−１−マレイミド］、ポリ［（Ｓ）−（−）−１−（２，６−ジ−ｔ−ブチルフェニル）−エトキシプロピル−１−マレイミド］、ポリ［（Ｓ）−（−）−１−（３，４−ジ−ｔ−ブチルフェニル）−エトキシプロピル−１−マレイミド］、ポリ［（Ｓ）−（−）−１−（３，５−ジ−ｔ−ブチルフェニル）−エトキシプロピル−１−マレイミド］、ポリ［（Ｓ）−（−）−１−（２，４，６−トリ−ｔ−ブチルフェニル）−エトキシプロピル−１−マレイミド］、ポリ［（Ｓ）−（−）−１−（２，３，４，５−テトラ−ｔ−ブチルフェニル）−エトキシプロピル−１−マレイミド］、ポリ［（Ｓ）−（−）−１−（２，３，４，６−テトラ−ｔ−ブチルフェニル）−エトキシプロピル−１−マレイミド］、ポリ［（Ｓ）−（−）−１−（２，３，５，６−テトラ−ｔ−ブチルフェニル）−エトキシプロピル−１−マレイミド］、ポリ［（Ｓ）−（−）−１−（２，３，４，５，６−ペンタ−ｔ−ブチルフェニル）−エトキシプロピル−１−マレイミド］、ポリ［（Ｓ）−（−）−１−（２−メトキシフェニル）−エトキシプロピル−１−マレイミド］、ポリ［（Ｓ）−（−）−１−（３−メトキシフェニル）−エトキシプロピル−１−マレイミド］、ポリ［（Ｓ）−（−）−１−（４−メトキシフェニル）−エトキシプロピル−１−マレイミド］、ポリ［（Ｓ）−（−）−１−（２，３−ジメトキシフェニル）−エトキシプロピル−１−マレイミド］、ポリ［（Ｓ）−（−）−１−（２，４−ジメトキシフェニル）−エトキシプロピル−１−マレイミド］、ポリ［（Ｓ）−（−）−１−（２，５−ジメトキシフェニル）−エトキシプロピル−１−マレイミド］、ポリ［（Ｓ）−（−）−１−（２，６−ジメトキシフェニル）−エトキシプロピル−１−マレイミド］、ポリ［（Ｓ）−（−）−１−（３，４−ジメトキシフェニル）−エトキシプロピル−１−マレイミド］、ポリ［（Ｓ）−（−）−１−（３，５−ジメトキシフェニル）−エトキシプロピル−１−マレイミド］、ポリ［（Ｓ）−（−）−１−（２，４，６−トリメトキシフェニル）−エトキシプロピル−１−マレイミド］、ポリ［（Ｓ）−（−）−１−（２，３，４，５−テトラメトキシフェニル）−エトキシプロピル−１−マレイミド］、ポリ［（Ｓ）−（−）−１−（２，３，４，６−テトラメトキシフェニル）−エトキシプロピル−１−マレイミド］、ポリ［（Ｓ）−（−）−１−（２，３，５，６−テトラメトキシフェニル）−エトキシプロピル−１−マレイミド］、ポリ［（Ｓ）−（−）−１−（２，３，４，５，６−ペンタメトキシフェニル）−エトキシプロピル−１−マレイミド］、、ポリ［（Ｓ）−（−）−１−（２−エトキシフェニル）−エトキシプロピル−１−マレイミド］、ポリ［（Ｓ）−（−）−１−（３−エトキシフェニル）−エトキシプロピル−１−マレイミド］、ポリ［（Ｓ）−（−）−１−（４−エトキシフェニル）−エトキシプロピル−１−マレイミド］、ポリ［（Ｓ）−（−）−１−（２，３−ジエトキシフェニル）−エトキシプロピル−１−マレイミド］、ポリ［（Ｓ）−（−）−１−（２，４−ジエトキシフェニル）−エトキシプロピル−１−マレイミド］、ポリ［（Ｓ）−（−）−１−（２，５−ジエトキシフェニル）−エトキシプロピル−１−マレイミド］、ポリ［（Ｓ）−（−）−１−（２，６−ジエトキシフェニル）−エトキシプロピル−１−マレイミド］、ポリ［（Ｓ）−（−）−１−（３，４−ジエトキシフェニル）−エトキシプロピル−１−マレイミド］、ポリ［（Ｓ）−（−）−１−（３，５−ジエトキシフェニル）−エトキシプロピル−１−マレイミド］、ポリ［（Ｓ）−（−）−１−（２，４，６−トリエトキシフェニル）−エトキシプロピル−１−マレイミド］、ポリ［（Ｓ）−（−）−１−（２，３，４，５−テトラエトキシフェニル）−エトキシプロピル−１−マレイミド］、ポリ［（Ｓ）−（−）−１−（２，３，４，６−テトラエトキシフェニル）−エトキシプロピル−１−マレイミド］、ポリ［（Ｓ）−（−）−１−（２，３，５，６−テトラエトキシフェニル）−エトキシプロピル−１−マレイミド］、ポリ［（Ｓ）−（−）−１−（２，３，４，５，６−ペンタエトキシフェニル）−エトキシプロピル−１−マレイミド］等が挙げられ、これら（Ｓ）体と鏡像体の（Ｒ）体のモノマーを用い、不斉アニオン重合したポリマーも含まれる。
【００４７】
本発明の上記一般式（５）又は一般式（６）で示される光学活性ポリマレイミド誘導体は、前記したとおり、上記一般式（１）又は一般式（２）で示される光学活性マレイミド誘導体を不斉アニオン重合することにより調製することができる。
【００４８】
本発明において、重合方法としては、不斉配位子及びアニオン重合触媒を反応溶剤に添加、溶解させた後、これに原料である上記一般式（１）又は一般式（２）で示される光学活性マレイミド誘導体を添加し反応させる。
【００４９】
本発明の方法において、アニオン重合触媒としては、例えば、ｎ−ブチルリチウム、フルオレニルリチウム、ジエチル亜鉛、ジメチル亜鉛等の有機金属触媒が挙げられ、その使用量としては、反応に用いる原料光学活性マレイミド誘導体に対して、通常０．１〜３０モル％の範囲で使用する。
【００５０】
本発明の方法において、アニオン重合に用いる光学活性配位子としては、上記一般式（７）で示されるビスオキサゾリン誘導体又は上記式（８）で示される（−）−スパルテイン（以下Ｓｐと略す）が好ましい。
【００５１】
上記一般式（７）で示されるビスオキサゾリン誘導体としては、具体的には、（４Ｓ）−２，２’−（１−エチルプロピリデン）ビス［４−（１−フェニルエチル）−４，５−ジハイドロオキサゾール］、（４Ｓ）−２，２’−（１−エチルプロピリデン）ビス［４−（１−（１−ナフチル）エチル）−４，５−ジハイドロオキサゾール］、（４Ｓ）−２，２’−（１−メチルエチリデン）ビス［４−（１−フェニルエチル）−４，５−ジハイドロオキサゾール］、（４Ｓ）−２，２’−（シクロプロピリデン）ビス［４−（１−フェニルエチル）−４，５−ジハイドロオキサゾール］、（４Ｓ）−２，２’−（１，３−フェニル）ビス［４−（１−フェニルエチル）−４，５−ジハイドロオキサゾール、（４Ｓ）−２，２’−（２，６−ピリジル）ビス［４−（１−フェニルエチル）−４，５−ジハイドロオキサゾール等が挙げられる。使用量としては、反応に使用するアニオン重合触媒に対して理論的には等モル量の使用で良いが、安定した反応を行うため、好ましくは１．０２〜１．５モル量使用する。
【００５２】
本発明の方法において、不斉アニオン重合の際に適用可能な溶剤としては、反応に不活性なものであればあらゆるものが使用可能であり、特に限定する限定するものではないが、具体的には、ジエチルエーテル、ジ−ｎ−プロピルエーテル、ジ−ｉ−プロピルエーテル、ジ−ｎ−ブチルエーテル、ジ−ｔ−ブチルエーテル、テトラヒドロフラン（以下、ＴＨＦと略す）等のエーテル系溶剤、ベンゼン、トルエン、キシレン、エチルベンゼン、メシチレン等の芳香族炭化水素系溶剤等が挙げられる。
【００５３】
本発明の方法において、不斉アニオン重合の際に適用可能な溶剤の使用量としては、特に限定するものではないが、反応に用いる光学活性マレイミド誘導体に対して重量で、２〜１００倍程度使用する。
【００５４】
本発明において、不斉アニオン重合の反応温度としては、反応条件により異なり、特に限定するものではないが、通常−７８℃〜１００℃の範囲で実施可能である。
【００５５】
本発明の方法において、不斉アニオン重合の反応時間としては、触媒及び反応温度の違いにより異なり、特に規定するものではないが、通常１時間〜３００時間の範囲内で反応は完結する。
【００５６】
反応終了後、反応液をヘキサン、へプタン、メタノール、エタノール、イソプロパノール等の生成物の溶解度が低い溶剤に滴下晶析させることにより、本発明の光学活性ポリマレイミド誘導体を粉末として取り上げる。純度を向上させるために、さらにＴＨＦやトルエン等の溶剤に再溶解させ、再度メタノール等の溶剤に投入し、再晶析を行っても良い。
【００５７】
本発明の分離剤は、上記一般式（５）又は一般式（６）で示される光学活性ポリマレイミド誘導体からなり、光学活性物質の分離剤として幅広く使用することができる。
【００５８】
本発明の分離剤としては、具体的には、上記一般式（５）又は一般式（６）で示される光学活性ポリマレイミド誘導体そのもの、上記一般式（５）又は一般式（６）で示される光学活性ポリマレイミド誘導体を担体に担持したもの等が挙げられる。
【００５９】
本発明の分離剤において、担体としては特に限定するものではないが、具体的には、シリカゲル、アルミナ、架橋ポリスチレン、ポリアクリル酸誘導体、ポリシロキサン及びこれらのアルキルシラン等で表面処理したものが挙げられる。これらのうち、担体の粒径としては１μｍ〜２００μｍ、平均細孔径としては１０〜３０００オングストロームのものが高速液体クロマトグラフィー又はガスクロマトグラフィーにおける分離剤用の担体として好ましい。
【００６０】
本発明の分離剤において、担持方法としては、特に限定するものではないが、上記一般式（５）又は一般式（６）で示される光学活性ポリマレイミド誘導体と担体を接触させ物理的に担持させても良いし、光学活性ポリマレイミド誘導体の製造時にそのポリマーの末端に官能基を付与し、担体と化学的に結合させても良い。
【００６１】
本発明の分離剤において、上記一般式（５）又は一般式（６）で示される光学活性ポリマレイミド誘導体の担体に対する担持量としては、用いる担体の種類、物性により異なり、特に限定するものではないが、通常、充填剤の重量に対して１〜５０重量％の範囲で担持可能である。
【００６２】
上記一般式（５）又は一般式（６）で示される光学活性ポリマレイミド誘導体を担体に担持させた本発明の分離剤は、数多くの光学活性化合物の分離に適用可能であり、例えば、本発明の分離剤を、ガラス製、金属製等のカラムに充填すれば、クロマトグラフィー用充填カラムとして使用することができる。具体的には、高速液体クロマトグラフィー用の充填カラムとして使用する場合は、溶離液としてヘキサン−イソプロパノール等を用いる順相系、アルコール−水等を用いる逆相系のいずれにおいても幅広く応用可能である。
【００６３】
本発明の分離剤を用いて光学活性物質を分離する方法としては、特に限定するものではないが、例えば、高速液体クロマトグラフィー、ガスクロマトグラフィーにより光学活性物質を容易に分離することができる。また、本発明の分離剤は、核磁気共鳴スペクトル（以下、ＮＭＲと略す）のシフト試薬としての適用も可能である。
【００６４】
【発明の効果】
本発明によれば、新規な光学活性マレイミド誘導体、及び光学活性ポリマレイミド誘導体を提供することができる。本発明の光学活性ポリマレイミド誘導体からなる分離剤は光学異性体分離剤として極めて有用である。
【００６５】
【実施例】
以下、実施例により本発明を具体的に説明するが、本発明は実施例のみに限定されるものではない。
【００６６】
なお、以下の実施例において、平均分子量はゲルパーミエーションクロマトグラフィー（東ソー製高速ＧＰＣシステム）によりポリスチレン換算で算出、旋光度はＨＯＲＩＢＡ製ＳＥＰＡ−３００、ＭＡＳＳはＪＥＯＬ製ＪＭＳ−７００、１Ｈ−ＮＭＲ及び１３Ｃ−ＮＭＲはＶａｒｉａｎ製Ｇｅｍｉｎｉ−２００、ＩＲはＰｅｒｋｉｎ  Ｅｌｍｅｒ製２０００ＦＴ−ＩＲにより測定した。
【００６７】
また、調製した光学活性ポリマレイミド誘導体の分離能の測定には東ソー製マルチポンプＣＣＰＭ、紫外可視検出器ＵＶ−８０２０、マルチステーションＬＣ−８０２０を用いた。
【００６８】
実施例１  （Ｓ）−（−）−１−（２−メチルフェニル）−ｎ−プロピル−１−マレイミドの調製
冷却コンデンサー、滴下ロート及び攪拌子を備えた５００ｍｌの丸底３つ口フラスコに、無水マレイン酸２．９４ｇ（３０．０ｍｍｏｌ）及び乾燥ベンゼン１５５ｇを入れ、攪拌することにより溶解させた後、油浴上で３０℃にした。
【００６９】
次いで、これに（Ｓ）−（−）−１−（２メチルフェニル）−ｎ−プロピルアミン４．４８ｇ（３０．０ｍｍｏｌ）を乾燥ベンゼン７６ｇに溶解させた溶液を滴下ロートを用い添加した後、１時間攪拌を行った。
【００７０】
さらに反応液を激しく攪拌しながら、これに塩化亜鉛４．０９ｇ（３０．０ｍｍｏｌ）を加え、油浴上で８０℃に加熱し、ヘキサメチルジシラザン９．６８ｇ（６０．０ｍｍｏｌ）を乾燥ベンゼン７８ｇに溶解させた溶液を滴下ロートを用いて滴下し、さらに加熱還流下、５時間反応を行った。
【００７１】
反応終了後、室温に冷却、２．０Ｎ塩酸で洗浄、酢酸エチルで抽出、飽和炭酸水素ナトリウム水溶液で洗浄、飽和食塩水で洗浄、無水硫酸マグネシウム上で乾燥、濃縮することにより粗製（Ｓ）−（−）−１−（２−メチルフェニル）−ｎ−プロピル−１−マレイミドを得た。得られた（Ｓ）−（−）−１−（２−メチルフェニル）−ｎ−プロピル−１−マレイミドは引き続きカラムクロマトグラフィー（ｎ−ヘキサン／酢酸エチル＝４／１，ｖｏｌ／ｖｏｌ）で精製、更にカラムクロマトグラフィー（ｎ−ヘキサン／酢酸エチル＝９／１，ｖｏｌ／ｖｏｌ）で分取することにより淡黄色オイル６．５ｇを得た（収率９４，５％）。
【００７２】
１Ｈ−ＮＭＲ（ＣＤＣｌ３）σ７．３６−７．１３（ｍ，５Ｈ）、６．６１（ｓ，２Ｈ）、５．１５−４．８８（ｔ，１Ｈ）、２．５９−２．１９（ｍ，２Ｈ）、２．００−１．９２（ｔ，３Ｈ）、０．９８−０．８９（ｔ，３Ｈ）
１３Ｃ−ＮＭＲ（ＣＤＣｌ３）σ１７０．７０，１３９．５５，１３３．６０，１２８．３１，１２７．７１，１２７．６５，５６．６１，２４．２９，１７．０７，１１．４６
ＭＡＳＳ（ｍ／ｚ）  ２２９（Ｍ＋）
元素分析；Ｃ７３．５，Ｈ６．４，Ｎ６．０
（Ｃａｌｃ．；Ｃ７３．３，Ｈ６．６，Ｎ６．１）。
【００７３】
参考例１  （Ｓ）−（−）−１−フェニル−ｎ−プロピル−１−マレイミドの調製
冷却コンデンサー、滴下ロート及び攪拌子を備えた５００ｍｌの丸底３つ口フラスコに、無水マレイン酸２．９４ｇ（３０．０ｍｍｏｌ）及び乾燥ベンゼン１５５ｇを入れ、攪拌することにより溶解させた後、油浴上で３０℃にした。
【００７４】
次いで、これに（Ｓ）−（−）−１−フェニル−ｎ−プロピルアミン４．０６ｇ（３０．０ｍｍｏｌ）を乾燥ベンゼン６９ｇに溶解させた溶液を滴下ロートを用い添加した後、１時間攪拌を行った。
【００７５】
さらに反応液を激しく攪拌しながら、これに塩化亜鉛４．０９ｇ（３０．０ｍｍｏｌ）を加え、油浴上で８０℃に加熱し、ヘキサメチルジシラザン９．６８ｇ（６０．０ｍｍｏｌ）を乾燥ベンゼン７８ｇに溶解させた溶液を滴下ロートを用いて滴下し、さらに加熱還流下、５時間反応を行った。
【００７６】
反応終了後、室温に冷却、２．０Ｎ塩酸で洗浄、酢酸エチルで抽出、飽和炭酸水素ナトリウム水溶液で洗浄、飽和食塩水で洗浄、無水硫酸マグネシウム上で乾燥、濃縮することにより粗製（Ｓ）−（−）−１−フェニル−ｎ−プロピル−１−マレイミドを得た。得られた（Ｓ）−（−）−１−フェニル−ｎ−プロピル−１−マレイミドは引き続きカラムクロマトグラフィー（ｎ−ヘキサン／酢酸エチル＝４／１，ｖｏｌ／ｖｏｌ）で精製、更にカラムクロマトグラフィー（ｎ−ヘキサン／酢酸エチル＝９／１，ｖｏｌ／ｖｏｌ）で分取することにより淡黄色オイル６．０ｇを得た（収率９３，５％）。
【００７７】
比旋光度［α］Ｄ２５＝−１９．８°（Ｃ＝１．０，ＴＨＦ，ｌ＝１０ｃｍ）
１Ｈ−ＮＭＲ（ＣＤＣｌ３）σ７．４６−７．２４（ｍ，５Ｈ）、６．６０（ｓ，２Ｈ）、５．０６−４．９８（ｔ，１Ｈ）、２．５３−２．１４（ｍ，２Ｈ）、０．９５−０．８７（ｔ，３Ｈ）
１３Ｃ−ＮＭＲ（ＣＤＣｌ３）σ１７０．６１，１３９．４６，１３３．６９，１２８．３３，１２７．７４，１２７．６０，５６．６２，２４．２８，１１．４２
ＭＡＳＳ（ｍ／ｚ）  ２１５（Ｍ＋）
ＩＲ（ＫＢｒ；ν  ｃｍ−１）３４５７，３１００，３０６６，３０３２，２９７１，２９３４，２８７８，１７６７，１７０３，１５８６，１４９４，１４５６，１３６１，１２６３，１２０８，１１６５，１１０６，１０３１，１００２、９０９，８２６，７６３，６９４
元素分析；Ｃ７２．３，Ｈ６．３，Ｎ６．６
（Ｃａｌｃ．；Ｃ７２．５，Ｈ６．１，Ｎ６．５）。
【００７８】
実施例２
マグネット攪拌子を入れた５０ｍｌのナス型フラスコに、ジエチル亜鉛１２０ｍｇ（１．００ｍｍｏｌ）、（−）−スパルテイン２８０ｍｇ（１．２０ｍｍｏｌ）及びトルエン２．０ｇを仕込み、攪拌しながら−１０℃で３０分攪拌を行った後、これに参考例１で得られた（Ｓ）−（−）−１−フェニル−ｎ−プロピル−１−マレイミド２．１５ｇ（１０．００ｍｍｏｌ）をトルエン１８．０ｇに溶解した液を添加、さらに同温度で２５９時間反応を行った。
【００７９】
反応終了後、反応液を２００ｍｌのメタノールに投入し、次いで析出物をろ取、室温度で減圧下、乾燥することにより目的物の光学活性ポリ［（Ｓ）−（−）−１−フェニル−ｎ−プロピル−１−マレイミド］２．０９ｇを白色粉体物として得た（収率９７．２）。
【００８０】
数平均分子量（Ｍｎ）＝２．１５×１０３，Ｍｗ／Ｍｎ＝１６．３
比旋光度［α］４３５２５＝７３．９°（Ｃ＝０．１，ＣＨＣｌ３）
１Ｈ−ＮＭＲ（ＣＤＣｌ３）σ７．５０−６．９７（ｂ，５Ｈ），５．１２−４．７２（ｂ，１Ｈ），２．５５−１．９５（ｂ，２Ｈ），１．１０−０．８０（ｂ，３Ｈ）
１３Ｃ−ＮＭＲ（ＣＤＣｌ３）σ１７６．２７，１３８．２９，１２８．０９，１２７．６５，５７．３０，４２．９８，２３．０２，１１．３２
ＩＲ（ＫＢｒ；ν  ｃｍ−１）３４５６，３１０１，３０６５，３０３３，２９７２，２９３５，２８７９，１７７４，１６９５，１４９５，１４５６，１３９６，１３６６，１２１２，１１８７，１１２３，１０３１，９１１，８０４，７４６，６９７，６５５
元素分析；Ｃ７２．２，Ｈ６．４，Ｎ６．７
（Ｃａｌｃ．；Ｃ７２．５，Ｈ６．１，Ｎ６．５）。
【００８１】
実施例３
マグネット攪拌子を入れた５０ｍｌのナス型フラスコに、ジエチル亜鉛１２０ｍｇ（１．００ｍｍｏｌ）、（−）−スパルテイン２８０ｍｇ（１．２０ｍｍｏｌ）及びトルエン２．０ｇを仕込み、攪拌しながら−１０℃で３０分攪拌を行った後、これに（Ｓ）−（−）−１−（２−メチルフェニル）−ｎ−プロピル−１−マレイミド２．２９ｇ（１０．００ｍｍｏｌ）をトルエン１８．０ｇに溶解した液を添加、さらに同温度で２５９時間反応を行った。
【００８２】
反応終了後、反応液を２００ｍｌのメタノールに投入し、次いで析出物をろ取、室温度で減圧下、乾燥することにより目的物の光学活性ポリ［（Ｓ）−（−）−１−（２−メチルフェニル）−ｎ−プロピル−１−マレイミド］２．２２ｇを白色粉体物として得た（収率９７．０）。
【００８３】
数平均分子量（Ｍｎ）＝２．８８×１０３，Ｍｗ／Ｍｎ＝２１．３
比旋光度［α］４３５２５＝４１．３°（Ｃ＝０．１，ＣＨＣｌ３）
１Ｈ−ＮＭＲ（ＣＤＣｌ３）σ７．５２−７．４４（ｂ，４Ｈ），５．４２−４．８０（ｂ，１Ｈ），４．０１−３．１５（ｂ，５Ｈ），２．６０−１．９０（ｂ，２Ｈ），１．５０−０．９０（ｂ，３Ｈ）
ＩＲ（ＫＢｒ；ν  ｃｍ−１）３４５０，３０３２，２９７５，２９３７，２８７９，１７７３，１６９４，１６１２，１５１５，１４５９，１３９６，１３６６，１２９５，１２５１，１１８１，１１２４，１０３５，９１１，８３２，７３８，６９８
元素分析；Ｃ７３．２，Ｈ６．８，Ｎ６．１
（Ｃａｌｃ．；Ｃ７３．３，Ｈ６．６，Ｎ６．１）。
【００８４】
実施例４
マグネット攪拌子を入れた５０ｍｌのナス型フラスコに、ジエチル亜鉛１２０ｍｇ（１．００ｍｍｏｌ）、（−）−スパルテイン２８０ｍｇ（１．２０ｍｍｏｌ）及びトルエン２．０ｇを仕込み、攪拌しながら−１０℃で３０分攪拌を行った後、これに（Ｓ）−（−）−１−（３，５−ジメチルフェニル）−ｎ−プロピル−１−マレイミド２．４３ｇ（１０．００ｍｍｏｌ）をトルエン１８．０ｇに溶解した液を添加、さらに同温度で２５９時間反応を行った。
【００８５】
反応終了後、反応液を２００ｍｌのメタノールに投入し、次いで析出物をろ取、室温度で減圧下、乾燥することにより目的物の光学活性ポリ［（Ｓ）−（−）−１−（３，５−ジメチルフェニル）−ｎ−プロピル−１−マレイミド］２．３８ｇを白色粉体物として得た（収率９８．０）。
【００８６】
数平均分子量（Ｍｎ）＝２．５８×１０３，Ｍｗ／Ｍｎ＝２０．３
比旋光度［α］４３５２５＝５２．６°（Ｃ＝０．１，ＣＨＣｌ３）
１Ｈ−ＮＭＲ（ＣＤＣｌ３）σ７．４８−６．９５（ｂ，３Ｈ），５．５１−４．９１（ｂ，１Ｈ），４．１５−３．２４（ｂ，７Ｈ），２．５８−１．８５（ｂ，２Ｈ），１．６２−１．０５（ｂ，３Ｈ）
ＩＲ（ＫＢｒ；ν  ｃｍ−１）３４５１，３０３１，２９７５，２９３９，２８７９，１７７４，１６９４，１６１０，１５１０，１４５８，１３９６，１３６７，１２９６，１２５０，１１８０，１１２９，１０３４，９１１，８３２，３９，６９７
元素分析；Ｃ７４．３，Ｈ６．８，Ｎ５．９
（Ｃａｌｃ．；Ｃ７４．１，Ｈ７．０，Ｎ５．８）。
【００８７】
実施例５
マグネット攪拌子を入れた５０ｍｌのナス型フラスコに、ジエチル亜鉛１２０ｍｇ（１．００ｍｍｏｌ）、（−）−スパルテイン２８０ｍｇ（１．２０ｍｍｏｌ）及びトルエン２．０ｇを仕込み、攪拌しながら−１０℃で３０分攪拌を行った後、これに（Ｓ）−（−）−１−（４−メトキシフェニル）−ｎ−プロピル−１−マレイミド２．４５ｇ（１０．００ｍｍｏｌ）をトルエン１８．０ｇに溶解した液を添加、さらに同温度で２５９時間反応を行った。
【００８８】
反応終了後、反応液を２００ｍｌのメタノールに投入し、次いで析出物をろ取、室温度で減圧下、乾燥することにより目的物の光学活性ポリ［（Ｓ）−（−）−１−（４−メトキシフェニル）−ｎ−プロピル−１−マレイミド］２．３９ｇを白色粉体物として得た（収率９７．５）。
【００８９】
数平均分子量（Ｍｎ）＝２．９８×１０３，Ｍｗ／Ｍｎ＝１９．８
比旋光度［α］４３５２５＝７５．５°（Ｃ＝０．１，ＣＨＣｌ３）
１Ｈ−ＮＭＲ（ＣＤＣｌ３）σ７．５０−６．８０（ｂ，４Ｈ），５．０５−４．８９（ｂ，１Ｈ），４．０１−３．４２（ｂ，２Ｈ），２．５１−２．００（ｂ，５Ｈ），１．５６−０．８９（ｂ，３Ｈ）
ＩＲ（ＫＢｒ；ν  ｃｍ−１）３４５１，３１０１，３０６５，３０３５，２９７０，２９２２，２８７０，１７７３，１６９４，１５１６，１４５０，１３９７，１３６５，１２２４，１１８６，１０９３，１０１８，８１７，７４３，６１７
元素分析；Ｃ６８．８，Ｈ６．１，Ｎ５．７
（Ｃａｌｃ．；Ｃ６８．６，Ｈ６．２，Ｎ５．７）。
【００９０】
実施例６  光学活性ポリ［（Ｓ）−（−）−１−フェニル−ｎ−プロピル−１−マレイミド］（比旋光度［α］４３５２５＝７３．９°（Ｃ＝０．１，ＣＨＣｌ３））１０％担持シリカゲル及びその充填カラムの調製
５０ｍｌのナス型フラスコに、実施例２で調製した光学活性ポリ［（Ｓ）−（−）−１−フェニル−ｎ−プロピル−１−マレイミド］（比旋光度［α］４３５２５＝７３．９°（Ｃ＝０．１，ＣＨＣｌ３））５００ｍｇ及びクロロホルム１０ｍｌ仕込み溶解させた後、シリカゲル（平均粒径１０μｍ、平均細孔径１００オングストローム）４．５ｇを添加、次いでロータリーエバポレーターでクロロホルムを減圧留去することにより目的物の光学活性ポリ［（Ｓ）−（−）−１−フェニル−ｎ−プロピル−１−マレイミド］（比旋光度［α］４３５２５＝７３．９°（Ｃ＝０．１，ＣＨＣｌ３））１０％担持シリカゲル５ｇを得た。
【００９１】
得られた光学活性ポリ［（Ｓ）−（−）−１−フェニル−ｎ−プロピル−１−マレイミド］（比旋光度［α］４３５２５＝７３．９°（Ｃ＝０．１，ＣＨＣｌ３））１０％担持シリカゲルをメタノールに分散させた後、ステンレス製の４．６ｍｍＩＤ×２５０ｍｍのカラムに高圧ポンプを用い、流量２．０ｍｌ／ｍｉｎ、最高圧力２９．４ＭＰａで充填した。得られたカラムの理論段数は１４５７段であった。
【００９２】
理論段数の測定に当たっては、溶離液としてヘキサン／イソプロパノール＝９／１を用い、トルエンの溶出により測定した。なお、理論段数は下式により算出した。
【００９３】
理論段数（Ｎ）＝５．５４×［Ｔｒ／（Ｗ１／２）］２
Ｔｒ＝保持時間（ｓｅｃ）
Ｗ１／２＝半値幅（ｍｍ）
実施例７〜実施例８
実施例６で調製したカラムを用い、表１中に示した条件下、各種化合物の分離を行った。結果を表１中にあわせて示す。
【００９４】
【表１】
2004294219.tif 000014